(57)【要約】【課題】ルーム居住者に対して予定されている作業を忘れることなく、確実に実行できるようにすること。【解決手段】ルーム居住者が居住しているルームの入口付近に配置されて、前記居住者特定情報を表示する居住者特定情報表示部材（Ｒ２ｃ）と、前記居住者特定情報表示部材（Ｒ２ｃ）に隣接した位置に作業日時情報を表示する作業日時情報表示部材（Ｌｒ，Ｌｙ）とを有する作業関連情報表示部材（Ｒ２ｃ＋Ｌｒ＋Ｌｙ）と、前記作業予定日時接近状態が検出された時に前記作業予定日時接近状態になっていることを作業日時情報表示部材（Ｌｙ）に自動的に表示する接近状態自動表示手段（１Ｃ8A＋２Ｃ2D）と、前記作業予定日時経過状態が検出された時に前記作業予定日時経過状態になっていることを作業日時情報表示部材（Ｌｒ）に自動的に表示する経過状態自動表示手段（１Ｃ8B＋２Ｃ2E）とを備えたルーム居住者管理システム。【選択図】    図４
2005092774.tif 000002
【特許請求の範囲】
【請求項１】
次の構成要件（Ａ01）〜（Ａ06）を備えたルーム居住者管理システム、
（Ａ01）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段、
（Ａ02）ルーム居住者が居住しているルームの入口付近に配置されて、前記居住者特定情報を表示する居住者特定情報表示部材と、前記居住者特定情報表示部材に隣接した位置に作業日時情報を表示する作業日時情報表示部材とを有する作業関連情報表示部材、
（Ａ03）前記作業予定日時の所定時間前になったときに作業予定日時が接近した状態であることを自動的に検出する作業予定日時接近状態自動検出手段、
（Ａ04）前記作業予定日時接近状態が検出された時に前記作業予定日時接近状態になっていることを作業日時情報表示部材に自動的に表示する接近状態自動表示手段、
（Ａ05）前記作業予定日時が経過したときに作業予定日時が経過した状態であることを自動的に検出する作業予定日時経過状態自動検出手段、
（Ａ06）前記作業予定日時経過状態が検出された時に前記作業予定日時経過状態になっていることを作業日時情報表示部材に自動的に表示する経過状態自動表示手段。
【請求項２】
下記の構成要件（Ａ01）〜（Ａ04）を備えたルーム居住者管理システム、
（Ａ01）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段、
（Ａ02）ルーム居住者が居住しているルームの入口付近に配置されて、前記居住者特定情報を表示する居住者特定情報表示部材と、前記居住者特定情報表示部材に隣接した位置に作業日時情報を表示する作業日時情報表示部材とを有する作業関連情報表示部材、
（Ａ03）前記作業予定日時の所定時間前になったときに作業予定日時が接近した状態であることを自動的に検出する作業予定日時接近状態自動検出手段、
（Ａ04）前記作業予定日時接近状態が検出された時に前記作業予定日時接近状態になっていることを作業日時情報表示部材に自動的に表示する接近状態自動表示手段。
【請求項３】
下記の構成要件（Ａ01），（Ａ02），（Ａ05），（Ａ06）を備えルーム居住者管理システム、
（Ａ01）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段、
（Ａ02）ルーム居住者が居住しているルームの入口付近に配置されて、前記居住者特定情報を表示する居住者特定情報表示部材と、前記居住者特定情報表示部材に隣接した位置に作業日時情報を表示する作業日時情報表示部材とを有する作業関連情報表示部材、
（Ａ05）前記作業予定日時が経過したときに作業予定日時が経過した状態であることを自動的に検出する作業予定日時経過状態自動検出手段、
（Ａ06）前記作業予定日時経過状態が検出された時に前記作業予定日時経過状態になっていることを作業日時情報表示部材に自動的に表示する経過状態自動表示手段。
【請求項４】
下記の構成要件（Ａ015），（Ａ016）を備えたルーム居住者管理システム、
（Ａ015）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段と、ルーム居住者に対する作業が前記作業予定日時の所定時間前になったときに作業予定日時が接近した状態であることを自動的に検出する作業予定日時接近状態自動検出手段と、前記作業予定日時接近状態が検出された時に特定のルーム居住者の作業が前記作業予定日時接近状態になっていることを示す作業日時情報を自動的に送信する作業予定日時接近状態表示信号自動送信手段と、を有するルーム居住者管理サーバ、
（Ａ016）ルーム居住者が居住しているルームの入口付近に配置されて前記居住者特定情報を表示する居住者特定情報表示部材および前記作業日時情報に基づいて前記居住者特定情報表示部材に隣接した位置に前記作業予定日時接近状態になっていることを表示する作業日時情報表示部材を有する作業関連情報表示部材と、特定のルーム居住者に対する作業が前記作業予定日時接近状態になっていることを示す前記作業日時情報を前記ルーム居住者管理サーバから受信する作業日時情報受信手段と、前記作業日時情報を受信したときに前記居住者特定情報表示部材に隣接する位置の前記作業日時情報表示部材に前記作業予定日時接近状態になっていることを表示する作業予定日時接近状態表示手段と、を有するルーム端末。
【請求項５】
下記の構成要件（Ａ015′），（Ａ016′）を備えたルーム居住者管理システム、
（Ａ015′）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段と、ルーム居住者に対する作業が前記作業予定日時を経過したときに作業予定日時が経過した状態であることを自動的に検出する作業予定日時経過状態自動検出手段と、前記作業予定日時経過状態が検出された時に特定のルーム居住者の作業が前記作業予定日時経過状態になっていることを示す作業日時情報を自動的に送信する作業予定日時経過状態表示信号自動送信手段と、を有するルーム居住者管理サーバ、
（Ａ016′）ルーム居住者が居住しているルームの入口付近に配置されて前記居住者特定情報を表示する居住者特定情報表示部材および前記作業日時情報に基づいて前記居住者特定情報表示部材に隣接した位置に前記作業予定日時経過状態になっていることを表示する作業日時情報表示部材と、特定のルーム居住者に対する作業が前記作業予定日時経過状態になっていることを示す前記作業日時情報を前記ルーム居住者管理サーバから受信する作業日時情報受信手段と、前記作業日時情報を受信したときに前記居住者特定情報表示部材に隣接する位置の前記作業日時情報表示部材に前記作業予定日時経過状態になっていることを表示する作業予定日時経過状態表示手段と、を有するルーム端末。
【請求項６】
下記の構成要件（Ａ027），（Ａ028）を備えたことを特徴とするルーム居住者管理システム、
（Ａ027）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段と、特定のルーム居住者に関する情報要求信号および無線端末で入力された入力情報を受信する情報受信手段と、前記情報要求信号を受信したときに前記特定のルーム居住者に関する作業日時情報および作業内容情報を含む作業関連情報を送信する作業関連情報送信手段と、受信した前記入力情報を記憶する受信情報登録手段と、を有する前記ルーム居住者管理サーバ、
（Ａ028）前記ルーム居住者管理サーバに前記情報要求信号を送信する情報要求信号送信手段と、前記作業関連情報を受信する作業関連情報受信手段と、受信した作業関連情報を前記作業関連情報表示部材に作業が済んだことを記入する作業状況記入欄が表示される作業予定表の形式で表示する作業関連情報表示手段と、前記表示された作業予定表の作業状況記入欄に作業が済んだか否かを判別可能な作業状況判別メモをワンタッチで入力することが可能な作業状況入力手段と、前記表示された作業予定表の作業状況記入欄に入力された作業状況メモを作業予定表に表示して記憶する入力作業状況記憶手段と、前記作業状況判別メモを前記ルーム居住者管理サーバに送信する入力情報送信手段と、を有する無線端末。
【発明の詳細な説明】
【技術分野】
【０００１】
本発明は、病院、介護施設、老人ホーム、宿泊施設等種々の施設のルーム（部屋）で生活しているルーム居住者（医療施設の入院患者、介護施設や老人ホームの入所者、宿泊施設の宿泊者等）の管理システム（ルーム居住者管理システム）に関し、特に、ルーム居住者に対して、予定された時刻に実行することが定まっている介護作業、医療作業、サービス作業（サービス行為）等の種々の予定作業を予定どおりに実行できるようにするためのルーム居住者管理システムに関する。
【背景技術】
【０００２】
従来の前記各種施設のルーム居住者管理システムでは、各施設のルーム（部屋）番号に対応してルーム居住者の氏名と、予定作業の種類（検温作業、点滴作業、血圧測定作業、オムツ替え作業、等）と、作業を行う予定時刻等を、管理ノートに記入したり、コンピュータに記憶させて管理している。
従来のルーム居住者管理システムでは、予定作業の種類や作業実行時刻等を管理ノートの記載や、コンピュータに接続されたディスプレイの表示等で確認する必要がある。管理ノートやコンピュータに接続されたディスプレイ等は、病院のナースセンタや、介護施設、老人ホーム、宿泊施設等の各種施設の事務室等に置かれている。したがって、前記予定作業の種類や作業実行時刻等を確認するためには前記管理ノートやディスプレイ等の置かれている場所（予定作業確認可能場所）に行かなければならなかった。
【０００３】
前記ルーム居住者に対する各種作業を実行する作業担当者が忙しい時には、作業担当者が前記確認可能場所に行く暇がない場合があり、また、確認するのを忘れたり、作業を忘れたりする場合があった。
また、ルーム居住者に対して予定された作業を実行した場合で、作業を実行したこと（作業が終了したこと）を記録する必要がある場合に、作業を実行する場所と、作業が終了したことを用紙またはコンピュータの記憶装置に記録する場所とが離れている場合には、作業が終了したことの記録を忘れることがあった。
【０００４】
前記種類のルーム居住者管理システムとしては従来種々の提案が行われており、例えば、下記の特許文献（１）〜（７）に記載された技術が従来公知である。
（１）特許文献１（特開２００３−１６１９０号公報）記載の技術
この公報には、確実且つ迅速な介護サービスを要介護者に提供し、且つ介護支援事業者等の業務を大幅に軽減し、経費も削減するため、インターネットなどのコンピュータネットワークを利用して介護支援の管理を行う介護支援管理システム、介護支援管理方法、及び介護支援管理プログラムが記載されている。
（２）特許文献２（特開２００２−２４５１７４号公報）記載の技術
この公報には、ネットワークを介して端末と接続可能であり、介護サービスの開始時点から終了時点までの一定期間内の介護サービスの予定と実績を管理する介護サービス管理システムであって、介護サービスの実施状況に応じた保健適用の際のポイントの消化具合を把握し、迅速に予定の調整を行える介護サービス管理システムが記載されている。
【０００５】
（３）特許文献３（特開２００２−１０９０５９号公報）記載の技術
この公報には、受給者が希望する介護サービスを事業者側に即座に伝達できる環境を得ることができると共に、ヘルパーにより労働時間の不正な報告が行われる可能性を極力少なくする介護システム業務の管理システムが記載されている。
（４）特許文献４（特開２００２−９９６２１号公報）記載の技術
この公報には、医療サービスを含む各種介護関連サービス全体のユーザ情報のデータベースを共通化できるようにして、各種介護関連サービス全体の請求書発行の一本化を図り、また、ケアプランで立てた各ユーザ毎の総合予算を容易に管理する介護関連サービス管理システムが記載されている。
【０００６】
（５）特許文献５（特開２００１−３３８０６４号公報）記載の技術
この公報には、ケースワーカ自身が介護したデータ帳票をスキャナ等の読取装置で入力させて、ワーカ自身の事務的作業を減少させると共に、得られたデータに対応する介護報酬請求書を自動的に算出して、その請求書を国保連にインターネット通信手段で送信可能な介護保健レセプト管理システムが記載されている。
（６）特許文献６（特開平９−２８５４５０号公報）記載の技術
この公報には、老人介護施設や病院における介護情報の記録、介護作業の支援のための複数のシステムが重複動作する時に、合理的且つ高効率に処理できる介護管理・支援装置が記載されている。
（７）特許文献７（特開平７−１１４５９６号公報）記載の技術
この公報には、介護者氏名、被介護者氏名、介護の日時、介護の内容を入力し且つ入力した情報を一旦記憶した後、所定時刻に光通信によりホストコンピュータに伝送する携帯入力装置２０と、伝送されたデータから引き継ぎに必要な連絡事項を抽出して表にまとめて表示装置に表示、またはプリンタ１３により印字するホストコンピュータとを備えた介護管理システムが記載されている。
【０００７】
【特許文献１】特開２００３−１６１９０号公報
【特許文献２】特開２００２−２４５１７４号公報
【特許文献３】特開２００２−１０９０５９号公報
【特許文献４】特開２００２−９９６２１号公報
【特許文献５】特開２００１−３３８０６４号公報
【特許文献６】特開平９−２８５４５０号公報
【特許文献７】特開平７−１１４５９６号公報
【発明の開示】
【発明が解決しようとする課題】
【０００８】
（前記特許文献１〜７記載の従来技術（１）〜（７）の問題点）
前記従来技術（１）〜（７）では、介護施設または医療施設等の居住用ルームに居住しているルーム居住者に対して種々の介護作業または医療作業を行う作業者に、作業予定時刻が接近したり経過したルーム居住者がルーム内に居ることを、タイミング良く知らせることができなかった。
このため、作業者による前記ルーム居住者に対する作業が、作業予定時刻が過ぎても行われないことがあった。
また、作業者による前記ルーム居住者に対する作業が行われた場合でも、前記作業が終了したことを記録することを忘れた場合には、前記作業が行われたのか否か分からなくなる場合があった。
【０００９】
本発明は、前述の事情に鑑み、ルーム居住者管理システムにおいて、下記（Ｏ01），（Ｏ02）の記載内容を課題とする。
（Ｏ01）ルーム居住者に対して予定されている作業を忘れることなく、確実に実行できるようにすること。
（Ｏ02）ルーム居住者に対する予定作業を終了したことの記録を忘れずに実行できるようにすること。
【課題を解決するための手段】
【００１０】
次に、前記課題を解決した本発明を説明するが、本発明の要素には、後述の実施例の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【００１１】
（本発明）
前記課題を解決するために、本発明のルーム居住者管理システムは、次の構成要件（Ａ01）〜（Ａ06）を備えたことを特徴とする。
（Ａ01）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段（１Ｃ４）、
（Ａ02）ルーム居住者が居住しているルームの入口付近に配置されて、前記居住者特定情報を表示する居住者特定情報表示部材（Ｒ２ｃ）と、前記居住者特定情報表示部材（Ｒ２ｃ）に隣接した位置に作業日時情報を表示する作業日時情報表示部材（Ｌｒ，Ｌｙ）とを有する作業関連情報表示部材（Ｒ２ｃ＋Ｌｒ＋Ｌｙ）、
（Ａ03）前記作業予定日時の所定時間前になったときに作業予定日時が接近した状態であることを自動的に検出する作業予定日時接近状態自動検出手段（１Ｃ5A）、
（Ａ04）前記作業予定日時接近状態が検出された時に前記作業予定日時接近状態になっていることを作業日時情報表示部材（Ｌｙ）に自動的に表示する接近状態自動表示手段（１Ｃ8A＋２Ｃ2D）、
（Ａ05）前記作業予定日時が経過したときに作業予定日時が経過した状態であることを自動的に検出する作業予定日時経過状態自動検出手段（１Ｃ5B）、
（Ａ06）前記作業予定日時経過状態が検出された時に前記作業予定日時経過状態になっていることを作業日時情報表示部材（Ｌｒ）に自動的に表示する経過状態自動表示手段（１Ｃ8B＋２Ｃ2E）。
【００１２】
（第１発明の作用）
前記構成要件（Ａ01）〜（Ａ06）を備えた第１発明のルーム居住者管理システムでは、居住者管理情報記憶手段（１Ｃ４）は、ルーム居住者を特定する居住者特定情報と、前記ルーム居住者に対して行う作業項目を含む作業内容情報および作業予定日時を示す作業日時情報を有する作業関連情報とを記憶する。
作業予定日時接近状態自動検出手段（１Ｃ5A）は、前記作業予定日時の所定時間前になったときに作業予定日時が接近した状態であることを自動的に検出する。
接近状態自動表示手段（１Ｃ8A＋２Ｃ2D）は、前記作業予定日時接近状態が検出された時に前記作業予定日時接近状態になっていることを前記作業日時情報表示部材（Ｌｙ）に自動的に表示する。
作業予定日時経過状態自動検出手段（１Ｃ5B）は、前記作業予定日時が経過したときに作業予定日時が経過した状態であることを自動的に検出する。
経過状態自動表示手段（１Ｃ8B＋２Ｃ2E）は、前記作業予定日時経過状態が検出された時に前記作業予定日時経過状態になっていることを前記作業日時情報表示部材（Ｌｒ）に自動的に表示する。
したがって、ルーム居住者が居住しているルームの入口付近に配置された作業関連情報表示部材（Ｒ２ｃ＋Ｌｒ＋Ｌｙ）には、前記居住者特定情報表示部材（Ｒ２ｃ）に接近した位置に、前記居住者に対する作業予定日時が接近状態になっていることまたは作業予定日時経過状態になっていることが表示される。このため、ルーム居住者が居住しているルームの入口付近を通過する介護士、ナース、医師等は、前記ルーム居住者に対して行うべき作業が接近しているか経過しているかを容易に認識することができるので、前記ルーム居住者に対する作業を忘れずに実行することができる。
【００１３】
（第２発明）
第２発明のルーム居住者管理システムは、下記の構成要件（Ａ01）〜（Ａ0４）を備えたことを特徴とする。
（Ａ01）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段（１Ｃ４）、
（Ａ02）ルーム居住者が居住しているルームの入口付近に配置されて、前記居住者特定情報を表示する居住者特定情報表示部材（Ｒ２ｃ）と、前記居住者特定情報表示部材（Ｒ２ｃ）に隣接した位置に作業日時情報を表示する作業日時情報表示部材（Ｌｙ）とを有する作業関連情報表示部材（Ｒ２ｃ＋Ｌｙ）、
（Ａ03）前記作業予定日時の所定時間前になったときに作業予定日時が接近した状態であることを自動的に検出する作業予定日時接近状態自動検出手段（１Ｃ5A）、
（Ａ04）前記作業予定日時接近状態が検出された時に前記作業予定日時接近状態になっていることを作業日時情報表示部材（Ｌｙ）に自動的に表示する接近状態自動表示手段（１Ｃ8A＋２Ｃ2D）。
【００１４】
（第２発明の作用）
前記構成を備えた構成要件（Ａ01）〜（Ａ0４）を備えた第２発明のルーム居住者管理システムでは、居住者管理情報記憶手段（１Ｃ４）は、ルーム居住者を特定する居住者特定情報と、前記ルーム居住者に対して行う作業項目を含む作業内容情報および作業予定日時を示す作業日時情報を有する作業関連情報とを記憶する。
作業予定日時接近状態自動検出手段（１Ｃ5A）は、前記作業予定日時の所定時間前になったときに作業予定日時が接近した状態であることを自動的に検出する。
接近状態自動表示手段（１Ｃ8A＋２Ｃ2D）は、前記作業予定日時接近状態が検出された時に前記作業予定日時接近状態になっていることを前記作業日時情報表示部材（Ｌｙ）に自動的に表示する。
ルーム居住者が居住しているルームの入口付近に配置された作業関連情報表示部材（Ｒ２ｃ＋Ｌｙ）の前記作業日時情報表示部材（Ｌｒ，Ｌｙ）は、前記居住者特定情報表示部材（Ｒ２ｃ）に隣接した位置に配置されているので、ルーム居住者が居住しているルームの入口付近を通過する介護士、ナース、医師等は、前記ルーム居住者に対して行うべき作業が接近していることを容易に認識することができるので、前記作業を忘れずに実行することができる。
【００１５】
（第３発明）
第３発明のルーム居住者管理システムは、下記の構成要件（Ａ01），（Ａ02），（Ａ05），（Ａ06）を備えたことを特徴とする。
（Ａ01）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段（１Ｃ４）、
（Ａ02）ルーム居住者が居住しているルームの入口付近に配置されて、前記居住者特定情報を表示する居住者特定情報表示部材（Ｒ２ｃ）と、前記居住者特定情報表示部材（Ｒ２ｃ）に隣接した位置に作業日時情報を表示する作業日時情報表示部材（Ｌｒ）とを有する作業関連情報表示部材（Ｒ２ｃ＋Ｌｒ）、
（Ａ05）前記作業予定日時が経過したときに作業予定日時が経過した状態であることを自動的に検出する作業予定日時経過状態自動検出手段（１Ｃ5B）、
（Ａ06）前記作業予定日時経過状態が検出された時に前記作業予定日時経過状態になっていることを作業日時情報表示部材（Ｌｒ）に自動的に表示する経過状態自動表示手段（１Ｃ8B＋２Ｃ2E）。
【００１６】
（第３発明の作用）
前記構成要件（Ａ01），（Ａ02），（Ａ05），（Ａ06）を備えた第３発明のルーム居住者管理システムでは、居住者管理情報記憶手段（１Ｃ４）は、ルーム居住者を特定する居住者特定情報と、前記ルーム居住者に対して行う作業項目を含む作業内容情報および作業予定日時を示す作業日時情報を有する作業関連情報とを記憶する。
作業予定日時経過状態自動検出手段（１Ｃ5B）は、前記作業予定日時が経過したときに作業予定日時が経過した状態であることを自動的に検出する。
経過状態自動表示手段（１Ｃ8B＋２Ｃ2E）は、前記作業予定日時経過状態が検出された時に前記作業予定日時経過状態になっていることを前記作業日時情報表示部材（Ｌｒ）に自動的に表示する。
前記居住者特定情報を表示する居住者特定情報表示部材（Ｒ２ｃ）と、前記居住者特定情報表示部材（Ｒ２ｃ）に隣接した位置に作業日時情報を表示する作業日時情報表示部材（Ｌｒ）とは、ルーム居住者が居住しているルームの入口付近に配置されているので、ルーム居住者が居住しているルームの入口付近を通過する介護士、ナース、医師等は、前記ルーム居住者に対して行うべき作業が経過していることを容易に認識することができるので、前記作業を忘れずに実行することができる。
【００１７】
（本発明の形態１）
本発明の形態１のルーム居住者管理システムは、前記第１発明のルーム居住者管理システムにおいて下記の構成要件（Ａ07）を備えたことを特徴とする。
（Ａ07）作業予定日時接近状態になっている時に点灯される接近状態時点灯用色付きランプ（Ｌｙ）と、前記接近状態時点灯用色付きランプ（Ｌｙ）とは異なる色のランプであって作業予定日時経過状態になっている時に点灯される経過状態時点灯用色付きランプ（Ｌｒ）とを有する作業日時情報表示部材（Ｌｒ，Ｌｙ）。
（本発明の形態１の作用）
前記構成要件（Ａ07）を備えた本発明の形態１のルーム居住者管理システムでは、ルーム居住者が居住しているルームの入口付近に配置された前記作業日時情報表示部材（Ｌｒ，Ｌｙ）の接近状態時点灯用色付きランプ（Ｌｙ）は、作業予定日時接近状態になっている時に点灯される。前記作業日時情報表示部材（Ｌｒ，Ｌｙ）の経過状態時点灯用色付きランプ（Ｌｒ）は、作業予定日時経過状態になっている時に点灯される。前記接近状態時点灯用色付きランプ（Ｌｙ）と経過状態時点灯用色付きランプ（Ｌｒ）とは、色が異なるので、ルーム居住者に対する作業を行う作業者は、ルーム居住者が居住しているルームの入口付近に点灯されているランプの色により、作業予定日時接近状態であるのか、または作業予定日時経過状態であるのかを容易に知ることができる。
【００１８】
（本発明の形態２）
本発明の形態２のルーム居住者管理システムは、前記第２発明のルーム居住者管理システムにおいて下記の構成要件（Ａ08）を備えたとを特徴とする。
（Ａ08）作業予定日時接近状態になっている時に点灯される色付きランプ（Ｌｙ）を有する前記作業日時情報表示部材（Ｌｙ）。
（本発明の形態２の作用）
前記構成要件（Ａ08）を備えた本発明の形態２のルーム居住者管理システムでは、作業予定日時接近状態になっている時、ルーム居住者が居住しているルームの入口付近に前記作業日時情報表示部材（Ｌｙ）の色付きランプ（Ｌｙ）が点灯される。したがって、前記作業日時情報表示部材（Ｌｙ）に点灯される色付ランプ（Ｌｙ）を見た作業者は、作業予定日時接近状態のルーム居住者が居ることを容易に知ることができる。このため、ルーム居住者に対する作業を忘れずに確実に実行することが可能となる。
【００１９】
（本発明の形態３）
本発明の形態３のルーム居住者管理システムは、前記第３発明のルーム居住者管理システムにおいて下記の構成要件（Ａ09）を備えたことを特徴とする。
（Ａ09）作業予定日時経過状態になっている時に点灯される色付きランプ（Ｌｒ）を有する前記作業日時情報表示部材（Ｌｒ）、
（本発明の形態３の作用）
前記構成要件（Ａ09）を備えた第３発明の形態１のルーム居住者管理システムでは、作業予定日時経過状態になっている時に前記作業日時情報表示部材（Ｌｒ）の色付きランプが点灯される。したがって、前記作業日時情報表示部材（Ｌｒ）に点灯される色付ランプを見た作業者は、作業予定日時が経過状態であることを容易に知ることができる。このため、ルーム居住者に対する作業を忘れずに確実に実行することが可能となる。
【００２０】
（本発明の形態４）
本発明の形態４のルーム居住者管理システムは、前記第１発明または本発明の形態１のルーム居住者管理システムにおいて、下記の構成要件（Ａ010）を備えたことを特徴とする。
（Ａ010）平面状の可変表示パネルにより構成された前記作業日時情報表示部材を有する前記作業関連情報表示部材。
前記平面状の可変表示パネルとしては、カラー液晶表示パネル、有機ＥＬパネル、プラズマディスプレイ等を使用可能である。
（本発明の形態４の作用）
前記構成要件（Ａ010）を備えた第１発明の形態２のルーム居住者管理システムでは、前記作業日時情報表示部材の平面状の可変表示パネルには、作業予定日時接近状態であることを示す情報および作業予定日時経過状態であることを示す情報が可変表示される。
【００２１】
（本発明の形態５）
本発明の形態５のルーム居住者管理システムは、前記第２発明または本発明の形態２のルーム居住者管理システムにおいて下記の構成要件（Ａ011）を備えたことを特徴とする。
（Ａ011）作業予定日時接近状態であることを示す情報を可変表示可能な平面状の可変表示パネルを有する前記作業日時情報表示部材。
（本発明の形態５の作用）
前記構成要件（Ａ011）を備えた本発明の形態２のルーム居住者管理システムでは、前記作業日時情報表示部材の平面状の可変表示パネルに、作業予定日時接近状態であることを示す情報が可変表示される。
【００２２】
（本発明の形態６）
本発明の形態６のルーム居住者管理システムは、前記第３発明または本発明の形態３のルーム居住者管理システムにおいて下記の構成要件（Ａ012）を備えたことを特徴とする。
（Ａ012）作業予定日時経過状態であることを示す情報を可変表示可能な平面状の可変表示パネルを有する前記作業日時情報表示部材。
（本発明の形態６の作用）
前記構成要件（Ａ012）を備えた本発明の形態６のルーム居住者管理システムでは、前記作業日時情報表示部材の平面状の可変表示パネルに、作業予定日時経過状態であることを示す情報が可変表示される。
【００２３】
（本発明の形態７）
本発明の形態７のルーム居住者管理システムは、前記第１〜第３発明のいずれかの発明または前記本発明の形態１ないし６のいずれかのルーム居住者管理システムにおいて下記の構成要件（Ａ013），（Ａ014）を備えたことを特徴とする。
（Ａ013）作業項目を含む作業内容情報と作業日時情報とを有する作業関連情報を作業予定表の形式で表示する予定表示部材（Ｒ２ｄ）を有する前記作業関連情報表示部材（Ｒ２ｃ＋Ｒ２ｄ＋Ｌｒ＋Ｌｙ）、
（Ａ014）前記作業関連情報を前記予定表表示部材（Ｒ２ｄ）に作業予定表の形式で表示する作業関連情報表示手段（作業予定表表示手段）（２Ｃ2A）。
【００２４】
（本発明の形態７の作用）
前記構成用件（Ａ013），（Ａ014）を備えた本発明の形態７のルーム居住者管理システムでは、作業関連情報表示手段（作業予定表表示手段）（２Ｃ2A）は、前記作業関連情報表示部材）（Ｒ２ｃ＋Ｒ２ｄ＋Ｌｒ＋Ｌｙ）の予定表示部材（Ｒ２ｄ）に前記作業関連情報を作業予定表の形式で表示する。
【００２５】
（第４発明）
第４発明のルーム居住者管理システムは、下記の構成要件（Ａ015），（Ａ016を備えたことを特徴とする。
（Ａ015）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段（１Ｃ４）と、ルーム居住者に対する作業が前記作業予定日時の所定時間前になったときに作業予定日時が接近した状態であることを自動的に検出する作業予定日時接近状態自動検出手段（１Ｃ5A）と、前記作業予定日時接近状態が検出された時に特定のルーム居住者の作業が前記作業予定日時接近状態になっていることを示す作業日時情報を自動的に送信する作業予定日時接近状態表示信号自動送信手段（１Ｃ8A）とを有するルーム居住者管理サーバ（Ｓ）、
（Ａ016）ルーム居住者が居住しているルームの入口付近に配置されて前記居住者特定情報を表示する居住者特定情報表示部材（Ｒ２ｃ）および前記作業日時情報に基づいて前記居住者特定情報表示部材（Ｒ２ｃ）に隣接した位置に前記作業予定日時接近状態になっていることを表示する作業日時情報表示部材（Ｌｒ，Ｌｙ）を有する作業関連情報表示部材（Ｒ２ｃ＋Ｌｒ＋Ｌｙ）と、特定のルーム居住者に対する作業が前記作業予定日時接近状態になっていることを示す前記作業日時情報を前記ルーム居住者管理サーバ（Ｓ）から受信する作業日時情報受信手段（２Ｃ1A）と、前記作業日時情報を受信したときに前記居住者特定情報表示部材（Ｒ２ｃ）に隣接する位置の前記作業日時情報表示部材（Ｌｒ，Ｌｙ）に前記作業予定日時接近状態になっていることを表示する作業予定日時接近状態表示手段（２Ｃ2D）と、を有するルーム端末（Ｒ）。
【００２６】
（第４発明の作用）
前記構成要件（Ａ015），（Ａ016）を備えた第４発明のルーム居住者管理システムでは、ルーム居住者管理サーバ（Ｓ）の居住者管理情報記憶手段（１Ｃ４）は、ルーム居住者を特定する居住者特定情報と、前記ルーム居住者に対して行う作業項目を含む作業内容情報および作業予定日時を示す作業日時情報を有する作業関連情報とを記憶する。作業予定日時接近状態自動検出手段（１Ｃ5A）は、ルーム居住者毎に前記作業予定日時の所定時間前になったときに作業予定日時が接近した状態であることを自動的に検出する。作業予定日時接近状態表示信号自動送信手段（１Ｃ8A）は、前記作業予定日時接近状態が検出された時に前記作業予定日時接近状態になっていることを示す作業日時情報および前記作業予定日時接近状態になっているルーム居住者を特定する居住者特定情報を自動的に送信する。
ルーム端末（Ｒ）の作業日時情報受信手段（２Ｃ1A）は、特定のルーム居住者に対する作業が前記作業予定日時接近状態になっていることを示す前記作業日時情報を前記ルーム居住者管理サーバ（Ｓ）から受信する。前記作業日時情報を受信したときに作業予定日時接近状態表示手段（２Ｃ2D）は、ルーム居住者が居住しているルームの入口付近に配置された前記居住者特定情報表示部材（Ｒ２ｃ）に隣接する位置の前記作業日時情報表示部材（Ｌｒ，Ｌｙ）に前記作業予定日時接近状態になっていることを表示する。
【００２７】
（第５発明）
第５発明のルーム居住者管理システムは、下記の構成要件（Ａ015′），（Ａ016′）を備えたことを特徴とする。
（Ａ015′）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段（１Ｃ４）と、ルーム居住者に対する作業が前記作業予定日時を経過したときに作業予定日時が経過した状態であることを自動的に検出する作業予定日時経過状態自動検出手段（１Ｃ5B）と、前記作業予定日時経過状態が検出された時に特定のルーム居住者の作業が前記作業予定日時経過状態になっていることを示す作業日時情報を自動的に送信する作業予定日時経過状態表示信号自動送信手段（１Ｃ8B）と、を有するルーム居住者管理サーバ（Ｓ）、
（Ａ016′）ルーム居住者が居住しているルームの入口付近に配置されて前記居住者特定情報を表示する居住者特定情報表示部材（Ｒ２ｃ）および前記作業日時情報に基づいて前記居住者特定情報表示部材（Ｒ２ｃ）に隣接した位置に前記作業予定日時経過状態になっていることを表示する作業日時情報表示部材（Ｌｒ，Ｌｙ）と、特定のルーム居住者に対する作業が前記作業予定日時経過状態になっていることを示す前記作業日時情報を前記ルーム居住者管理サーバ（Ｓ）から受信する作業日時情報受信手段（２Ｃ1A）と、前記作業日時情報を受信したときに前記居住者特定情報表示部材（Ｒ２ｃ）に隣接する位置の前記作業日時情報表示部材（Ｌｒ，Ｌｙ）に前記作業予定日時経過状態になっていることを表示する作業予定日時経過状態表示手段（２Ｃ2E）と、を有するルーム端末（Ｒ）。
【００２８】
（第５発明の作用）
前記構成要件（Ａ015′），（Ａ016′）を備えた第５発明のルーム居住者管理システムでは、ルーム居住者管理サーバ（Ｓ）の居住者管理情報記憶手段（１Ｃ４）は、ルーム居住者を特定する居住者特定情報と、前記ルーム居住者に対して行う作業項目を含む作業内容情報および作業予定日時を示す作業日時情報を有する作業関連情報とを記憶する。作業予定日時経過状態自動検出手段（１Ｃ5B）は、ルーム居住者に対する作業が前記作業予定日時を経過したときに作業予定日時が経過した状態であることを自動的に検出する。作業予定日時経過状態表示信号自動送信手段（１Ｃ8B）は、前記作業予定日時経過状態が検出された時に特定のルーム居住者に対する作業が前記作業予定日時経過状態になっていることを示す作業日時情報を自動的に送信する。
ルーム端末（Ｒ）の作業日時情報受信手段（２Ｃ1A）は、特定のルーム居住者に対する作業が前記作業予定日時経過状態になっていることを示す前記作業日時情報を前記ルーム居住者管理サーバ（Ｓ）から受信する。前記作業日時情報を受信したときに作業予定日時経過状態表示手段（２Ｃ2E）は、前記特定のルーム居住者が居住しているルームの入口付近に配置された前記居住者特定情報表示部材（Ｒ２ｃ）に隣接する位置の前記作業日時情報表示部材（Ｌｒ，Ｌｙ）に前記作業予定日時経過状態になっていることを表示する。
【００２９】
（本発明の形態８）
本発明の形態８のルーム居住者管理システムは、前記第４発明または第５発明のルーム居住者管理システムにおいて、次の構成用件（Ａ017），（Ａ018）を備えたことを特徴とする。
（Ａ017）特定のルーム居住者に関する情報要求信号を受信する情報受信手段（１Ｃ６）と、前記情報要求信号を受信したときに前記特定のルーム居住者に関する作業日時情報および作業内容情報を含む作業関連情報を送信する作業関連情報送信手段（１Ｃ8D）とを有する前記ルーム居住者管理サーバ（Ｓ）、
（Ａ018）前記ルーム居住者管理サーバ（Ｓ）に前記情報要求信号を送信する情報要求信号送信手段（２Ｃ5A）と、前記作業関連情報を受信する作業関連情報受信手段（２Ｃ1）と、前記作業関連情報を表示する予定表表示部（Ｒ２ｄ）を有する作業関連情報表示部材（Ｒ２ｃ＋Ｒ２ｄ＋Ｌｙ；Ｒ２ｃ＋Ｒ２ｄ＋Ｌｒ）と、受信した作業関連情報を前記予定表表示部（Ｒ２ｄ）に作業予定表の形式で表示する作業関連情報表示手段（予定表表示手段）（２Ｃ2A）と、を有する前記ルーム端末（Ｒ）。
【００３０】
（本発明の形態８の作用）
前記構成用件（Ａ017），（Ａ018）を備えた本発明の形態８のルーム居住者管理システムでは、前記ルーム居住者管理サーバ（Ｓ）の情報受信手段（１Ｃ６）は、特定のルーム居住者に関する情報要求信号を受信する。作業関連情報送信手段（１Ｃ8D）は、前記情報要求信号を受信したときに前記特定のルーム居住者に関する作業日時情報および作業内容情報を含む作業関連情報を送信する。
前記ルーム端末（Ｒ）の情報要求信号送信手段（２Ｃ5A）は、前記ルーム居住者管理サーバ（Ｓ）に前記情報要求信号を送信する。作業関連情報受信手段（２Ｃ1）は、前記ルーム居住者管理サーバ（Ｓ）が送信した前記作業関連情報を受信する。作業関連情報表示手段（予定表表示手段）（２Ｃ2A）は、作業関連情報表示部材（Ｒ２ｃ＋Ｒ２ｄ＋Ｌｙ；Ｒ２ｃ＋Ｒ２ｄ＋Ｌｒ）の前記予定表表示部（Ｒ２ｄ）に、前記受信した作業関連情報を作業予定表の形式で表示する。
【００３１】
（本発明の形態９）
本発明の形態９のルーム居住者管理システムは、前記本発明の形態８のルーム居住者管理システムにおいて、下記の構成要件（Ａ019）〜（Ａ021）を備えたことを特徴とする。
（Ａ019）前記ルーム居住者に関連する情報を文字によるメモ入力が可能なメモ入力欄が表示される前記作業予定表、
（Ａ020）前記表示された作業予定表のメモ入力欄に文字によるメモの入力が可能なメモ入力手段（２Ｃ3A）、
（Ａ021）前記表示された作業予定表のメモ入力欄に入力されたメモを作業予定表に表示して記憶する入力メモ記憶手段、
【００３２】
（本発明の形態９の作用）
前記構成要件（Ａ019）〜（Ａ021）を備えた本発明の本発明の形態９のルーム居住者管理システムでは、メモ入力手段（２Ｃ3A）により、前記表示された作業予定表のメモ入力欄に文字によるメモを入力することができる。入力メモ記憶手段は、前記表示された作業予定表のメモ入力欄に入力されたメモを表示し、記憶する。
【００３３】
（本発明の形態１０）
本発明の形態１０のルーム居住者管理システムは、前記本発明の形態８もしくは２のルーム居住者管理システムにおいて、下記の構成要件（Ａ019′）〜（Ａ021′）を備えたことを特徴とする。
（Ａ019′）前記ルーム居住者に対する作業が済んだ時に、作業が済んだことを記入する作業状況記入欄が表示される前記作業予定表、
（Ａ020′）前記表示された作業予定表の作業状況記入欄に作業が済んだか否かを判別可能な作業状況判別メモを入力することが可能な作業状況入力手段（２Ｃ3B）、
（Ａ021′）前記表示された作業予定表の作業状況記入欄に入力された作業状況メモを作業予定表に表示して記憶する入力作業状況記憶手段。
【００３４】
（本発明の形態１０の作用）
前記構成要件（Ａ019′）〜（Ａ021′）を備えた本発明の本発明の形態１０のルーム居住者管理システムでは、作業状況入力手段（２Ｃ3B）により、前記表示された作業予定表の作業状況入力欄に、作業が済んだか否かを判別可能な作業状況判別メモを入力することができる。作業状況記憶手段は、前記表示された作業予定表の作業状況入力欄に入力された作業状況判別メモを表示し、記憶する。
なお、前記「作業状況判別メモ」の入力としては、例えば「済」という文字を入力することができる。
【００３５】
（本発明の形態１１）
本発明の形態１１のルーム居住者管理システムは、前記本発明の形態９または１０のルーム居住者管理システムにおいて、下記の構成要件（Ａ022），（Ａ023）を備えたことを特徴とする。
（Ａ022）前記メモ入力欄に入力したメモまたは作業状況入力欄に入力した作業状況判別メモを含む入力情報をルーム居住者管理サーバ（Ｓ）に送信する入力情報送信手段（２Ｃ5B）を有する前記ルーム端末（Ｒ）、
（Ａ023）前記ルーム端末（Ｒ）が送信した入力情報を受信する情報受信手段（１Ｃ６）と、前記受信した入力情報を記憶する受信情報記憶手段（１Ｃ4C）を有する前記ルーム居住者管理サーバ（Ｓ）。
【００３６】
（本発明の形態１１の作用）
前記構成要件（Ａ022），（Ａ023）を備えた本発明の形態１１のルーム居住者管理システムでは、前記ルーム端末（Ｒ）の入力情報送信手段（２Ｃ5B）は、前記メモ入力欄に入力したメモまたは作業状況入力欄に入力した作業状況判別メモを含む入力情報をルーム居住者管理サーバ（Ｓ）に送信する。
前記ルーム居住者管理サーバ（Ｓ）の情報受信手段（１Ｃ６）は、前記ルーム端末（Ｒ）が送信した入力情報を受信する。受信情報記憶手段（１Ｃ4C）は前記受信した入力情報を記憶する。
したがって、作業者がルーム端末（Ｒ）で入力したルーム居住者に関する情報を、ルーム居住者管理サーバ（Ｓ）で蓄積することができる。そして、蓄積した情報をルーム居住者の管理に利用することができる。
【００３７】
（本発明の形態１２）
本発明の形態１２のルーム居住者管理システムは、前記本発明の形態１１のルーム居住者管理システムにおいて、下記の構成要件（Ａ024）を備えたことを特徴とする。
（Ａ024）前記メモ入力欄に入力したメモまたは作業状況入力欄に入力した作業状況判別メモを含む入力情報をルーム居住者管理サーバ（Ｓ）に送信した時に、前記予定表表示欄に表示された作業予定表の表示を消去する入力情報送信時情報表示終了手段（２Ｃ2C）を有する前記ルーム端末（Ｒ）。
【００３８】
（本発明の形態１２の作用）
前記構成要件（Ａ024）を備えた本発明の形態１２のルーム居住者管理システムでは、ルーム端末（Ｒ）の入力情報送信時情報表示終了手段（２Ｃ2C）は、前記メモ入力欄に入力したメモまたは作業状況入力欄に入力した作業状況判別メモを含む入力情報をルーム居住者管理サーバ（Ｓ）に送信した時に、前記予定表表示欄に表示された作業予定表の表示を消去する。
【００３９】
（本発明の形態１３）
本発明の形態１３のルーム居住者管理システムは、前記本発明の形態１１のルーム居住者管理システムにおいて、下記の構成要件（Ａ025）を備えたことを特徴とする。
（Ａ025）入力の無い期間が所定期間経過した時に前記予定表表示欄（Ｒ２ｄ）に作業予定表が表示されている場合に、前記予定表表示欄（Ｒ２ｄ）に表示された作業予定表の表示を消去する無入力時情報表示終了手段（２Ｃ2B）を有する前記ルーム端末（Ｒ）。
【００４０】
（本発明の形態１３の作用）
前記構成要件（Ａ025）を備えた本発明の形態１３のルーム居住者管理システムでは、前記ルーム端末（Ｒ）の無入力時情報表示終了手段（２Ｃ2B）は、入力の無い期間が所定期間経過した時に前記予定表表示欄（Ｒ２ｄ）に作業予定表が表示されている場合に、前記予定表表示欄（Ｒ２ｄ）に表示された作業予定表の表示を消去する。
【００４１】
（本発明の形態１４）
本発明の形態１４のルーム居住者管理システムは、前記本発明の形態８〜１３のいずれかのルーム居住者管理システムにおいて、下記の構成要件（Ａ026）を備えたことを特徴とする。
（Ａ026）前記作業関連情報表示部材（Ｒ２ｃ＋Ｒ２ｄ＋Ｌｙ；Ｒ２ｃ＋Ｒ２ｄ＋Ｌｒ）に隣接して配置され、ルーム居住者を特定する表示不変の固定情報が離れた位置からでも容易に視認可能に表示されるルーム居住者特定情報表示部材を有する前記ルーム端末（Ｒ）。
（本発明の形態１４の作用）
前記構成要件（Ａ026）を備えた本発明の形態１４のルーム居住者管理システムでは、前記ルーム端末（Ｒ）の前記作業関連情報表示部材（Ｒ２ｃ＋Ｒ２ｄ＋Ｌｙ；Ｒ２ｃ＋Ｒ２ｄ＋Ｌｒ）に隣接して配置されたルーム居住者特定情報表示部材には、ルーム居住者を特定する表示不変の固定情報が離れた位置からでも容易に視認可能に表示される。
したがって、ルーム端末（Ｒ）から離れた位置において、ルーム居住者が誰であるかを容易に確認することができる。
【００４２】
（第６発明）
第６発明のルーム居住者管理システムは、下記の構成要件（Ａ027），（Ａ028を備えたことを特徴とする。
（Ａ027）ルーム居住者を特定する居住者特定情報と、前記ルーム居住者に対して行う作業項目を含む作業内容情報および作業予定日時を示す作業日時情報を有する作業関連情報とを記憶する居住者管理情報記憶手段（１Ｃ４）と、特定のルーム居住者に関する情報要求信号および無線端末（Ｐ）で入力された入力情報を受信する情報受信手段（１Ｃ６）と、前記情報要求信号を受信したときに前記特定のルーム居住者に関する作業日時情報および作業内容情報を含む作業関連情報を送信する作業関連情報送信手段（１Ｃ8D）と、受信した前記入力情報を記憶する受信情報登録手段（１Ｃ７）と、を有する前記ルーム居住者管理サーバ（Ｓ）、
（Ａ028）前記ルーム居住者管理サーバ（Ｓ）に前記情報要求信号を送信する情報要求信号送信手段（３Ｃ5A）と、前記作業関連情報を受信する作業関連情報受信手段（３Ｃ1）と、受信した作業関連情報を前記作業関連情報表示部材（Ｐａ）に作業が済んだことを記入する作業状況記入欄が表示される作業予定表の形式で表示する作業関連情報表示手段（予定表表示手段）（３Ｃ2A）と、前記表示された作業予定表の作業状況記入欄に作業が済んだか否かを判別可能な作業状況判別メモをワンタッチで入力することが可能な作業状況入力手段（３Ｃ3B）と、前記表示された作業予定表の作業状況記入欄に入力された作業状況メモを作業予定表に表示して記憶する入力作業状況一時記憶手段（３Ｃ4B）と、前記作業状況判別メモを前記ルーム居住者管理サーバ（Ｓ）に送信する入力情報送信手段（３Ｃ5B）と、を有する無線端末（Ｐ）。
【００４３】
（第６発明の作用）
前記構成要件（Ａ027），（Ａ028）を備えた第４発明のルーム居住者管理システムでは、前記ルーム居住者管理サーバ（Ｓ）の居住者管理情報記憶手段（１Ｃ４）は、ルーム居住者を特定する居住者特定情報と、前記ルーム居住者に対して行う作業項目を含む作業内容情報および作業予定日時を示す作業日時情報を有する作業関連情報とを記憶する。情報受信手段（１Ｃ６）は、特定のルーム居住者に関する情報要求信号および無線端末（Ｐ）で入力された入力情報を受信する。作業関連情報送信手段（１Ｃ8D）は、前記情報要求信号を受信したときに前記特定のルーム居住者に関する作業日時情報および作業内容情報を含む作業関連情報を送信する。受信情報登録手段（１Ｃ７）は、受信した前記入力情報を記憶する。
無線端末（Ｐ）の情報要求信号送信手段（３Ｃ5A）は、前記ルーム居住者管理サーバ（Ｓ）に前記情報要求信号を送信する。作業関連情報受信手段（３Ｃ1）は、前記作業関連情報を受信する。作業関連情報表示手段（予定表表示手段）（３Ｃ2A）は、前記作業関連情報を表示する作業関連表示部材（Ｐａ）に、受信した作業関連情報を作業予定表の形式で表示する。
作業者は、作業状況入力手段（３Ｃ3B）により、前記表示された作業予定表の作業状況入力欄に、作業が済んだか否かを判別可能な作業状況判別メモをワンタッチで入力することができる。作業状況記憶手段は、前記表示された作業予定表の作業状況入力欄に入力された作業状況判別メモを表示し、一時的に記憶する。入力情報送信手段は、前記作業状況判別メモを前記ルーム居住者管理サーバ（Ｓ）に送信する。
前記ルーム居住者管理サーバ（Ｓ）は、受信した前記無線端末（Ｐ）で入力された入力情報（作業状況判別メモ）を記憶して、ルーム居住者の状態管理に役立てることができる。
なお、前記「作業状況判別メモ」の入力としては、例えば「済」、「完」等の文字を入力したり、二重丸の記号や、チェック印の記号等を入力したりすることができる。
【００４４】
（本発明の形態１５）
本発明の形態１５のルーム居住者管理システムは、前記第６発明のルーム居住者管理システムにおいて、下記の構成要件（Ａ029）〜（Ａ031）を備えたことを特徴とする。
（Ａ029）前記ルーム居住者に関連する情報を文字によるメモ入力が可能なメモ入力欄が表示される前記作業予定表、
（Ａ030）前記表示された作業予定表のメモ入力欄に文字によるメモの入力が可能なメモ入力手段（３Ｃ3A）、
（Ａ031）前記表示された作業予定表のメモ入力欄に入力されたメモを作業予定表に表示して記憶する入力メモ記憶手段。
【００４５】
（本発明の形態１５の作用）
前記構成要件（Ａ029）〜（Ａ031）を備えた本発明の本発明の形態１５のルーム居住者管理システムでは、メモ入力手段（３Ｃ3A）により、前記表示された作業予定表のメモ入力欄に文字によるメモを入力することができる。入力メモ記憶手段は、前記表示された作業予定表のメモ入力欄に入力されたメモを表示し、記憶する。
【００４６】
（本発明の形態１６）
本発明の形態１６のルーム居住者管理システムは、前記第６発明または本発明の形態１５のルーム居住者管理システムにおいて、下記の構成要件（Ａ032），（Ａ033）を備えたことを特徴とする。
（Ａ032）前記メモ入力欄に入力したメモまたは作業状況入力欄に入力した作業状況判別メモを含む入力情報をルーム居住者管理サーバ（Ｓ）に送信する入力情報送信手段（３Ｃ5B）を有する前記無線端末（Ｐ）、
（Ａ033）前記無線端末（Ｐ）が送信した入力情報を受信する情報受信手段（１Ｃ６）と、前記受信した入力情報を記憶する受信情報記憶手段（１Ｃ4C）を有する前記ルーム居住者管理サーバ（Ｓ）。
【００４７】
（本発明の形態１６の作用）
前記構成要件（Ａ032），（Ａ033）を備えた本発明の形態１６のルーム居住者管理システムでは、前記無線端末（Ｐ）の入力情報送信手段（３Ｃ5B）は、前記メモ入力欄に入力したメモまたは作業状況入力欄に入力した作業状況判別メモを含む入力情報をルーム居住者管理サーバ（Ｓ）に送信する。
前記ルーム居住者管理サーバ（Ｓ）の情報受信手段（１Ｃ６）は、前記無線端末（Ｐ）が送信した入力情報を受信する。受信情報記憶手段（１Ｃ4C）は前記受信した入力情報を記憶する。
したがって、作業者が無線端末（Ｐ）で入力したルーム居住者に関する情報を、ルーム居住者管理サーバ（Ｓ）で蓄積することができる。そして、蓄積した情報をルーム居住者の管理に利用することができる。
【００４８】
（本発明の形態１７）
本発明の形態１７のルーム居住者管理システムは、前記本発明の形態１６のルーム居住者管理システムにおいて、下記の構成要件（Ａ034）を備えたことを特徴とする。
（Ａ034）前記メモ入力欄に入力したメモまたは作業状況入力欄に入力した作業状況判別メモを含む入力情報をルーム居住者管理サーバ（Ｓ）に送信した時に、前記予定表表示欄に表示された作業予定表の表示を消去する入力情報送信時情報表示終了手段（３Ｃ2C）を有する前記無線端末（Ｐ）。
【００４９】
（本発明の形態１７の作用）
前記構成要件（Ａ034）を備えた本発明の形態１７のルーム居住者管理システムでは、無線端末（Ｐ）の入力情報送信時情報表示終了手段（３Ｃ2C）は、前記メモ入力欄に入力したメモまたは作業状況入力欄に入力した作業状況判別メモを含む入力情報をルーム居住者管理サーバ（Ｓ）に送信した時に、前記予定表表示欄に表示された作業予定表の表示を消去する。
【発明の効果】
【００５０】
前述の本発明の感光体ドラムまたは画像形成装置は、下記の効果（Ｅ01）,(Ｅ02)を奏する。
（Ｅ01）ルーム居住者が居住しているルームの入り口付近に配置された作業関連情報表示部材に、ルーム居住者に対して予定されている作業を行う日時が接近または経過したことを表示することにより、前記作業を忘れることなく、確実に実行することができる。
（Ｅ02）ルーム居住者が居住しているルームの入り口付近に配置されたルーム端末または、作業者が携帯可能な無線端末により、ルーム居住者に対する予定作業が終了したことを入力して記憶させることができるので、ルーム居住者に対する作業が済んだことを忘れずに記録することができる。
【発明を実施するための最良の形態】
【００５１】
次に図面を参照しながら、本発明の画像形成装置の実施の形態の具体例（実施例）を説明するが、本発明は以下の実施例に限定されるものではない。
（実施例１）
本実施例１では、介護施設の建物内の複数のルーム（部屋）にそれぞれ入所して居住しているルーム居住者を管理するルーム居住者管理システムについて説明するが、本発明は、介護施設以外の入院病棟、湯治旅館等の建物内の複数のルーム（部屋）にそれぞれ居住しているルーム居住者管理システム等にも適用することが可能である。
図１は本発明のルーム居住者管理システムの実施例１の全体説明図である。
図１において、ルーム居住者管理システムは、ルーム居住者管理サーバＳと、前記ルーム居住者管理サーバＳに有線ラン接続されたルーム端末Ｒと、カード式ＰＨＳを着脱可能なＰＤＡにより構成された携帯式の無線端末Ｐとを有している。ルーム居住者が居住している建物は、図示しないが、複数の各ルーム（部屋）と、その各ルームの入口に接続する廊下とを有しており、前記ルーム端末Ｒは、各ルームの入口に隣接し且つ廊下に面した壁に装着されている。
また、ルーム居住者管理サーバＳは、モデムＭ１、公衆回線ＫおよびモデムＭ２を介して費用管理サーバＨに接続されている。
【００５２】
ルーム居住者管理サーバＳは、コンピュータ本体１、ディスプレイ２、キーボード３、マウス４、図示しないＨＤ（ハードディスク）、ＣＤドライブ（コンパクトディスクドライブ）、およびＦＤ（フロッピィディスクドライブ）等により構成されている。
【００５３】
各ルーム（部屋）の入口に隣接して廊下側の壁面に装着した前記ルーム端末Ｒは、その表面の左側部分に、上部の固定表示部Ｒ１ａと、中央部の点灯表示部Ｒ１ｂと、下部の入力キー配置部Ｒ１ｃとを有しており、右側部分に可変表示部材Ｒ２（図１参照）を有している。
固定表示部Ｒ１ａ（図１参照）には、右から左に順次縦書きで「作業時」、「作業前」、「居住有」の文字が印刷表示されており、それらの記載の下方の点灯表示部Ｒ１ｂ（図１、図４参照）には、赤色ランプＬｒ、黄色ランプＬｙ、緑色ランプＬｇが縦方向に４個並んで配置されている。
前記赤色ランプＬｒ，黄色ランプＬｙにより作業日時情報表示部材（Ｌｒ＋Ｌｙ）が構成されている。
【００５４】
図２はルーム端末Ｒのキー配置部および作業表示欄の拡大説明図で、ルーム端末Ｒの電源オン時の初期画面が表示された状態を示す図である。
図２において、前記入力キー配置部Ｒ１ｃには、電源ＳＷと、５行、５列に配置された２５個のキーとが配置されている。前記２５個のキーの詳細は次のとおりである。
図２において、前記キー配置部Ｒ１ｃには、電源オンオフスイッチＳＷおよび次の各キーが配置されている。
（１）数値キー（テンキー）「０」〜「９」、
（２）矢印キー（カーソル移動キー）「←」、「→」、「↑」、「↓」、
（３）画面を切替えるためのキー「前頁」、「次頁」、
（４）かな漢字変換をするキー「変換」
（５）入力文字を確定する「確定」キー、
（６）入力中の未確定文字を消去する「キャンセル」キー、
（７）作業項目の作業が済んだことを入力する「済」キー、
（８）入力用の文字を表示した状態で表示された文字の中から入力する文字を選択する「文字選択」キー、
（９）文字入力を開始するための「文字入力」開始キー、
（１０）ルーム居住者管理サーバＳに作業関連情報の送信を要求する信号を送信したり、ルーム端末Ｒで入力したメモ情報等を送信する「送信」キー、
（１１）予定表が表示された状態において空白行を挿入する「行挿入」キー、
（１２）予定表が表示された状態において選択された行を削除する「行削除」キー、
【００５５】
前記電源スイッチＳＷがオフの場合には、可変表示部材Ｒ２には何も表示されないが、電源スイッチＳＷがオンになると、可変表示部材Ｒ２には次に説明する画像が表示される。
すなわち図１において、電源スイッチＳＷがオンになると、前記ルーム端末Ｒの可変表示部材Ｒ２の左上部には「Bed No」（図１参照）と表示され、その下方にはベッド番号「１」〜「４」を表示するベッド番号表示欄Ｒ２ａが配置されている。前記表示「Bed No」の右側の上側部分には「室番号」と表示され、その右側には室番号表示欄Ｒ２ｂが配置されている。前記室番号表示欄Ｒ２ｂの下側に「ルーム居住者氏名」と表示されている。
前記表示「ルーム居住者氏名」の下方で且つ前記ベッド番号表示欄Ｒ２ａの右側にはベッド番号「１」〜「４」に対応した居住者の氏名「鈴木一郎」〜「佐藤一郎」（図１参照）等を表示するルーム居住者氏名表示欄（居住者特定情報表示部材）Ｒ２ｃ（図１、図４参照）が配置されている。
前記ベッド番号「１」〜「４」の表示欄（ベッド番号表示欄）Ｒ２ａおよび居住者の氏名「鈴木一郎」〜「佐藤一郎」の表示欄（ルーム居住者氏名表示欄）Ｒ２ｃの下方には作業日時情報および作業内容情報を含む作業関連情報を予定表の形式で表示するための予定表表示欄Ｒ２ｄ（図１、図４参照）が配置されている。
前記ルーム居住者氏名表示欄Ｒ２ｃにより構成される居住者特定情報表示部材Ｒ２ｃと、予定表表示欄Ｒ２ｄと、前記作業日時情報表示部材（Ｌｒ＋Ｌｙ）とにより作業関連情報表示部材（Ｒ２ｃ＋Ｒ２ｄ＋Ｌｒ＋Ｌｙ）が構成されている。
【００５６】
前記電源スイッチＳＷがオフの場合には、予定表表示欄Ｒ２ｄには何も表示されないが、電源スイッチＳＷがオンになると、予定表表示欄Ｒ２ｄには、図１、図２に示す画像が表示される。
図２において電源スイッチＳＷがオンになると、前記予定表表示欄Ｒ２ｄの上端には、左から右に向かって順次、「ＩＤ」、「ＲＮ」、「ＢＮ」、「氏名」が表示される。また、前記各表示「ＩＤ」、「ＲＮ」、「ＢＮ」、「氏名」の右側にはそれぞれ、空白の「ＩＤ入力欄」、「ＲＮ（ルームナンバー）入力欄」、「ＢＮ（ベッドナンバー）入力欄」、「氏名表示欄」が同時に表示される。
前記ＩＤ入力欄は、ルーム居住者に対してオムツ替え、着替え等の種々の作業を行う作業者であって、前記ルーム端末Ｒを操作する者のＩＤを入力する欄であり、「ＲＮ（ルームナンバー）入力欄」は前記作業者がルーム番号（部屋番号）を入力する欄、「ＢＮ（ベッドナンバー）入力欄」は前記作業者がベッド番号を入力する欄である。
【００５７】
ルーム居住者の氏名は、ＲＮ（ルーム番号）およびＢＮ（ベッド番号）に対応してルーム居住者管理サーバＳに記憶されている。図２において作業者のＩＤと、ＲＮおよびＢＮが正しく入力してルーム端末Ｒからルーム居住者管理サーバＳに送信すると、送信したＲＮ、ＢＮに対応した居住者の氏名やそのルーム居住者に対して行う作業関連情報等がルーム居住者管理サーバＳからルーム端末Ｒに送信される。そして、ルーム端末Ｒの氏名表示欄に自動的にルーム居住者の氏名が表示されるように構成されている。
前記ルーム端末Ｒは、スタイラスペンＲ３を有している。スタイラスペンＲ３は、前記予定表表示欄Ｒ２ｄに入力用文字列（後述の図３５参照）が表示されている状態で、表示された文字列中の文字を選択して入力する場合に使用される。
【００５８】
図３は無線端末Ｐの斜視図である。
図３において、本実施例１の無線端末Ｐは、ＰＤＡと、前記ＰＤＡに着脱可能に装着されるカード型のＰＨＳとにより構成されている。ＰＨＳは折り畳み式のアンテナ６を有しており、ＰＤＡは電源ＳＷpおよび可変表示部材Ｐａと、次に記載する入力キーＰ１〜Ｐ１０を有している。
（１）カーソル移動用の４個の「矢印」キーＰ１〜Ｐ４、「↑」、「↓」、「→」、「←」、
（２）入力文字を確定する「確定」キーＰ５、
（３）かな漢字変換をする「変換」キー（かな漢字変換キー）Ｐ６、
（４）入力用の文字を表示した状態で表示された文字の中から入力する文字を選択する「文字選択」キーＰ７、
（５）文字入力を開始するための「文字入力」キーＰ８、
（６）入力中の未確定文字を消去する「キャンセル」キーＰ９、
（７）ルーム居住者管理サーバＳに作業データの送信を要求する「送信」キーＰ１０。
前記電源スイッチＳＷpがオフの場合には、前記可変表示部材Ｐａには何も表示されないが、電源スイッチＳＷpがオンになると、可変表示部材Ｐａには、図３に示す画像が表示される。
【００５９】
図３において、電源スイッチＳＷpがオンになると、前記可変表示部材Ｐａの上端には、左から右に向かって順次、「ＩＤ」、「ＲＮ」、「ＢＮ」、「氏名」が表示される。また、前記各表示「ＩＤ」、「ＲＮ」、「ＢＮ」、「氏名」の右側にはそれぞれ、空白の「ＩＤ入力欄」、「ＲＮ（ルームナンバー）入力欄」、「ＢＮ（ベッドナンバー）入力欄」、「氏名表示欄」が同時に表示される。
この無線端末Ｐは前記ルーム端末Ｒと同様に、ルーム居住者の氏名は、ＲＮ（ルーム番号）およびＢＮ（ベッド番号）に対応して記憶されており、作業者のＩＤと、ＲＮおよびＢＮが正しく入力されると、自動的に氏名表示欄にルーム居住者の氏名が表示されるように構成されている。
前記可変表示部材Ｐａの（図３参照）下端には、左から右に向かって順次、「前頁」、「次頁」、「済み」、「キャンセル」、「文字入力」、「変換」、「確定」、「行挿入」、「行削除」が表示される。
【００６０】
前記無線端末Ｐは、スタイラスペンＰ１１を有している。スタイラスペンＰ１１は、前記可変表示部材Ｐａに入力用文字列（後述の図６１参照）が表示されている状態で、表示された文字列中の文字を選択して入力する場合に使用される。
【００６１】
（実施例１の制御部の説明）
図４は実施例１のルーム居住者管理システムの制御部分が備えている各機能をブロック図（機能ブロック図）で示した図であり、ルーム居住者管理サーバのコントローラ、ルーム端末のコントローラ、および費用管理サーバのコントローラのブロック図である。
図４において、前記ルーム居住者管理サーバＳのコントローラ１Ｃ、ルーム端末Ｒのコントローラ２Ｃ、および費用管理サーバＨのコントローラ４Ｃｄ等は、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００６２】
（ルーム居住者管理サーバＳのコントローラ１Ｃの機能）（図４参照）
前記ルーム居住者管理サーバＳのコントローラ１Ｃは次の機能（制御手段）１Ｃ１〜１Ｃ８を有している。
１Ｃ１：情報表示手段
情報表示手段１Ｃ１は、入力画面表示手段１Ｃ1Aと、入力情報表示手段１Ｃ1Bと作業予定表表示手段１Ｃ1Cとを有している。
１Ｃ1A：入力画面表示手段
入力画面表示手段１Ｃ1Aは、データを入力するための入力画面（表示画面Ｓ−１〜Ｓ−１５、図６〜図２０参照）を前記ルーム居住者管理サーバＳのディスプレイ２に表示する。なお、図６の入力画面において（１）または（２）のテーブル表示作成モードが選択された場合に表示される図７の表示画面Ｓ−２または図１４の表示画面Ｓ−９でＩＤ，ＲＮ等が正確に入力されたときには、前記入力画面は作業予定表の形式（図８〜図１３の表示画面Ｓ−３〜Ｓ−８、図１５〜図２０の表示画面Ｓ−１０〜Ｓ１５参照）で表示される。
１Ｃ1B：入力情報表示手段
入力情報表示手段１Ｃ1Bは、前記キーボード３およびマウス４で入力された情報を前記ディスプレイ２に表示する。
１Ｃ1C：作業予定表表示手段
作業予定表表示手段１Ｃ1Cは、図６の入力画面において（４）または（５）のテーブル表示モードが選択された場合に、図７の表示画面Ｓ−２または図１４の表示画面Ｓ−９と類似の表示画面が表示され、その表示画面においてＩＤ、ＲＮ等を入力すると、テーブル表示モードでの作業予定表が表示される。実施例１のこの表示画面（テーブル表示モードの予定表表示画面）では入力を行うことができない。
【００６３】
１Ｃ２：入力情報一時記憶手段
入力情報一時記憶手段１Ｃ２は、前記キーボード３およびマウス４により入力された情報を一時的に記憶する。
１Ｃ３：入力情報登録手段
入力情報登録手段１Ｃ３は、前記入力情報一時記憶手段１Ｃ２で一時記憶された情報をルーム居住者管理サーバＳの後述する記憶手段１Ｃ4A、１Ｃ4B1，１Ｃ4B2に登録する。
【００６４】
１Ｃ４：居住者管理情報記憶手段
居住者管理情報記憶手段１Ｃ４は、居住者特定情報記憶手段１Ｃ4Aと作業関連情報記憶手段１Ｃ4Bと、受信情報記憶手段１Ｃ4Cとを有しており、居住者管理情報を記憶する。
１Ｃ4A：居住者特定情報記憶手段
居住者特定情報記憶手段１Ｃ4Aは、居住者を特定する情報（氏名等）を記憶する。
１Ｃ4B：作業関連情報記憶手段
作業関連情報記憶手段１Ｃ4Bは、作業内容記憶手段１Ｃ4B1、作業日時情報記憶手段１Ｃ4B2、および作業予定表表示パターン記憶手段１Ｃ4B3を有しており、前記ルーム居住者に対して行う作業項目を含む作業内容情報および作業予定日時を示す作業日時情報を有する作業関連情報を記憶する。
１Ｃ4B1：作業内容情報記憶手段
作業内容情報記憶手段１Ｃ4B1は、ルーム居住者管理サーバＳのディスプレイ２に表示された作業項目または作業内容の記入欄等に入力された情報を記憶する。
１Ｃ4B2：作業日時情報記憶手段
作業日時情報記憶手段１Ｃ4B2は、ルーム居住者管理サーバＳのディスプレイ２に表示された日時欄に入力された情報を記憶する。
１Ｃ4B3：作業予定表表示パターン記憶手段
作業予定表表示パターン記憶手段１Ｃ4B3は、ルーム居住者管理サーバＳのディスプレイ２に表示する作業予定表の表示パターン（図８、図９参照）を記憶する。
【００６５】
１Ｃ4C：受信情報記憶手段
受信情報記憶手段１Ｃ4Cは、ルーム端末Ｒまたは無線端末Ｐで入力された情報を受信した場合に、それらの受信情報を記憶する。前記受信情報記憶手段１Ｃ4Cは、作業状況記憶手段１Ｃ4C1、居住者状態メモ記憶手段１Ｃ4C2とメモ欄記入事項記憶手段１Ｃ4C3とを有している。
１Ｃ4C1：作業状況記憶手段
作業状況記憶手段１Ｃ4C1は、ルーム端末Ｒまたは無線端末Ｐで入力された作業状況情報（予定された作業が済んだか否の情報）を受信した場合に記憶する。
１Ｃ4C2：居住者状態メモ記憶手段
居住者状態メモ記憶手段１Ｃ4C2は、ルーム端末Ｒまたは無線端末Ｐで入力された居住者状態メモ欄の記入情報を受信した場合に記憶する。
１Ｃ4C3：メモ欄記入事項記憶手段
メモ欄記入事項記憶手段１Ｃ4C3は、ルーム端末Ｒまたは無線端末Ｐで入力されたメモ欄の記入情報を受信した場合に記憶する。
【００６６】
１Ｃ５：作業予定情報検出手段
作業予定表情報検出手段１Ｃ５は、作業予定日時接近状態自動検出手段１Ｃ5Aと作業予定日時経過状態自動検出手段１Ｃ5Bとを有している。
１Ｃ5A：作業予定日時接近状態自動検出手段
作業予定日時接近状態自動検出手段１Ｃ5Aは、前記作業予定日時の所定時間前になったときに作業予定日時が接近した状態であることを自動的に検出する。
１Ｃ5B：作業予定日時経過状態自動検出手段
作業予定日時経過状態自動検出手段１Ｃ5Bは、前記作業予定日時が経過したときに作業予定日時が経過した状態であることを自動的に検出する。
【００６７】
１Ｃ６：情報受信手段
情報受信手段１Ｃ６は、前記ルーム端末Ｒまたは無線端末Ｐ等からの送信情報を受信する。
１Ｃ７：受信情報登録手段
受信情報登録手段１Ｃ７は、前記情報受信手段１Ｃ６が受信した情報を、前記受信情報記憶手段１Ｃ4Cに記憶（登録）させる。
１Ｃ８：情報送信手段
情報送信手段１Ｃ８は、作業予定日時接近状態表示信号自動送信手段１Ｃ8A、作業予定日時経過状態表示信号自動送信手段１Ｃ8B、表示終了指示信号自動送信手段１Ｃ8Cと作業関連情報送信手段１Ｃ8Dとを有している。
１Ｃ8A：作業予定日時接近状態表示信号自動送信手段
作業予定日時接近状態表示信号自動送信手段１Ｃ8Aは、作業予定日時が接近すると前記ルーム端末Ｒの黄色ランプＬｙ（図１参照）を点灯するための信号を自動的に送信する。
１Ｃ8B：作業予定日時経過状態表示信号自動送信手段
作業予定日時経過状態表示信号自動送信手段１Ｃ8Bは、作業予定日時が経過しても作業が終了してないとき、前記ルーム端末Ｒの赤色ランプＬｒ（図１参照）を点灯するための信号を自動的に送信する。
【００６８】
１Ｃ8C：表示終了指示信号自動送信手段
表示終了指示信号自動送信手段１Ｃ8Bは、黄色ランプＬｙが点灯された状態から作業予定日時が経過した場合、前記黄色ランプＬｙを消灯させる信号を自動的に送信する。また、ルーム端末Ｒおよび無線端末Ｐから作業終了の信号を受信した場合、前記ルーム端末Ｒの点灯した黄色ランプＬｙまたは赤色ランプＬｒを消灯するための信号を自動で送信する。
１Ｃ8D：作業関連情報（作業予定表）送信手段
作業関連情報（作業予定表）送信手段１Ｃ8Dは、前記ルーム端末Ｒおよび無線端末Ｐの要求情報に応じた作業関連情報（作業予定表）を前記ルーム端末Ｒおよび無線端末Ｐに送信する。
１Ｃ8D：医療費請求用作業情報送信手段
医療費請求用作業情報送信手段１Ｃ8Dは、費用管理サーバＨに医療費請求用の作業データを送信する。送信時期としては、定期的または費用管理サーバＨから送信要求信号を受信した時等設定することができる。
【００６９】
（ルーム端末Ｒのコントローラ２Ｃの機能）（図４参照）
前記ルーム端末Ｒのコントローラ２Ｃは次の機能（制御手段）２Ｃ１〜２Ｃ５を有している。
２Ｃ１：作業関連情報受信手段
作業関連情報受信手段は、作業日時情報受信手段２Ｃ1Aと、作業内容情報受信手段２Ｃ1Bとを有しており、作業日時情報および作業内容情報を含む作業関連情報をルーム居住者管理サーバＳから受信する。
２Ｃ1A：作業日時情報受信手段
作業日時情報受信手段２Ｃ1Aは、特定のルーム居住者に対する作業が前記作業予定日時接近状態または作業予定日時経過状態になっていることを示す前記作業日時情報を前記ルーム居住者管理サーバ（Ｓ）から受信する。
２Ｃ1B：作業内容情報受信手段
作業内容情報受信手段２Ｃ1Bは、前記ルーム居住者管理サーバＳから送信された作業項目情報、作業内容情報等を受信する。
【００７０】
２Ｃ２：情報表示制御手段
情報表示制御手段２Ｃ２は、作業関連情報（作業予定表）表示手段２Ｃ2A、無入力時情報表示終了手段２Ｃ2B、入力情報送信時情報表示終了手段２Ｃ2C、作業予定日時接近状態表示手段２Ｃ2D、作業予定日時経過状態表示手段２Ｃ2Eおよび表示終了信号受信時表示終了手段２Ｃ2Fを有している。
２Ｃ2A：作業関連情報（作業予定表）表示手段
作業関連情報（作業予定表）表示手段２Ｃ2Aは、前記作業関連情報（作業予定表）送信手段１Ｃ8Dにより送信された作業関連情報（作業予定表）を前記ルーム端末Ｒの予定表表示欄Ｒ２ｄに表示する
２Ｃ2B：無入力時情報表示終了手段
無入力時情報表示終了手段２Ｃ2Bは、前記ルーム端末Ｒの予定表表示欄Ｒ２ｄに作業予定表が表示された状態で所定時間（例えば５分間）以上入力が無かった場合、作業予定表の表示を消去して自動的に初期表示画面（図２のＲ−１を参照）に戻る。この場合、ルーム居住者に対する作業項目として、「おむつ交換」のようなルーム居住者が恥ずかしいと思うような作業項目が、入力無しの状態で一定時間以上表示されるのを防止することができる。
２Ｃ2C：入力情報送信時情報表示終了手段
入力情報送信時情報表示終了手段２Ｃ2Cは、前記ルーム端末Ｒで入力した「作業状況」記入欄の「済」情報、「居住者状態メモ」記入欄の入力メモ、または「メモ」記入欄の入力メモ等の情報をルーム居住者管理サーバＳに送信した時に、前記ルーム端末Ｒの予定表表示欄Ｒ２ｄに表示された作業関連情報（作業予定表）を消去する。
【００７１】
２Ｃ2D：作業予定日時接近状態表示手段
作業予定日時接近状態表示手段２Ｃ2Dは、前記作業予定日時接近状態表示信号自動送信手段１Ｃ8Aにより送信された信号に応じて、ルーム端末Ｒの点灯表示部Ｒ１ｂに黄色ランプを点灯させる。また、前記作業予定日時接近状態表示信号自動送信手段１Ｃ8Bと作業予定日時接近状態表示手段２Ｃ2Dとにより接近状態自動表示手段（１Ｃ8A＋２Ｃ2D）が構成されている。
２Ｃ2E：作業予定日時経過状態表示手段
作業予定日時経過状態表示手段２Ｃ2Eは、前記作業予定日時経過状態表示信号自動送信手段１Ｃ8Bにより送信された信号に応じて、ルーム端末Ｒの点灯表示部Ｒ１ｂに赤色ランプを点灯させる。また、前記作業予定日時経過状態表示信号自動送信手段１Ｃ8Bと作業予定日時経過状態表示手段２Ｃ2Eとにより経過状態自動表示手段（１Ｃ8B＋２Ｃ2E）が構成されている。
２Ｃ2F：表示終了信号（日時情報表示終了信号）受信時表示終了手段
表示終了信号受信時表示終了手段２Ｃ2Fは、前記ルーム端末Ｒがルーム居住者管理サーバＳからの表示終了指示信号を受信すると、前記作業予定日時接近状態表示手段２Ｃ2Dまたは作業予定日時経過状態表示手段２Ｃ2Eにより前記ルーム端末Ｒの点灯表示部Ｒ１ｂに点灯されているランプＬｙ，Ｌｒを消灯する。
【００７２】
２Ｃ３：入力手段
入力手段２Ｃ３は、メモ入力手段２Ｃ3Aと、作業状況入力手段２Ｃ3Bとを有しており、前記ルーム端末Ｒの予定表表示欄Ｒ２ｄに表示された作業関連情報（作業予定表）の「居住者状態メモ」、「メモ」、「作業状況」の記入欄への入力を可能にする。
２Ｃ3A：メモ入力手段
メモ入力手段２Ｃ3Aは、予定表表示欄Ｒ２ｄに表示された作業関連情報（作業予定表）の「居住者状態メモ」記入欄、「メモ」記入欄へのメモ文章の記入を可能にする。
作業状況入力手段２Ｃ3B
作業状況入力手段２Ｃ3Bは、予定表表示欄Ｒ２ｄに表示された作業関連情報（作業予定表）の「作業状況」記入欄へ、作業予定表の作業項目に記載された作業が終了した状態か否かを表示する「済」の記入を可能にする。
【００７３】
２Ｃ４：一時記憶手段
一時記憶手段２Ｃ４は、入力メモ一時記憶手段２Ｃ4Aと、入力作業状況一時記憶手段２Ｃ4Bとを有しており、ルーム端末Ｒで入力された情報を一時（ルーム居住者管理サーバＳに送信する迄の間）記憶する。
２Ｃ4A：入力メモ一時記憶手段
入力メモ一時記憶段２Ｃ4Aは、予定表表示欄Ｒ２ｄに表示された作業関連情報（作業予定表）の「居住者状態メモ」記入欄、「メモ」記入欄へ記入されたメモ文章を一時（ルーム居住者管理サーバＳに送信する迄の間）記憶する。
２Ｃ4B：入力作業状況一時記憶手段
入力作業状況一時記憶手段２Ｃ4Bは、予定表表示欄Ｒ２ｄに表示された作業関連情報（作業予定表）の「作業状況」記入欄へ、作業予定表の作業項目に記載された作業が終了した状態か否かを表示する「済」が記入された場合に、前記「済」の状態であることを一時（ルーム居住者管理サーバＳに送信する迄の間）記憶する。
【００７４】
２Ｃ５：情報送信手段
情報送信手段２Ｃ５は、情報要求信号送信手段２Ｃ5Aと入力情報送信手段２Ｃ5Bとを有している。
２Ｃ5A：情報要求信号送信手段
情報要求信号送信手段２Ｃ5Aは、前記ルーム端末Ｒの初期表示画面（図２の表示画面Ｒ−１参照）でＩＤ、ＲＮ、ＢＮの値が正確に入力された状態で「送信」キーが入力されたときに、作業予定表を予定表表示欄Ｒ２ｄに表示するための情報の送信を前記ルーム居住者管理サーバＳに要求する。
２Ｃ5B：入力情報送信手段
入力情報送信手段２Ｃ5Bは、予定表表示欄Ｒ２ｄに表示されている作業予定表に入力情報（ＩＤ、ＲＮ、ＢＮ等の値、「作業状況」欄の「済」、「居住者状態メモ」欄に入力されたメモ文章、「メモ」欄に入力されたメモ文章等の情報）が入力された状態で「送信」キーが入力された場合に、前記入力情報をルーム端末Ｒから前記ルーム居住者管理サーバＳに送信する。
【００７５】
（無線端末Ｐのコントローラ３Ｃの機能）（図５参照）
図５は実施例１のルーム居住者管理システムの制御部分が備えている各機能をブロック図（機能ブロック図）で示した図であり、無線端末のコントローラ、および費用管理サーバのコントローラのブロック図である。
図５において、無線端末Ｐのコントローラ３Ｃは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
【００７６】
前記無線端末Ｐのコントローラ３Ｃは次の機能（制御手段）３Ｃ１〜３Ｃ５を有している。
３Ｃ１：作業関連情報受信手段
作業関連情報受信手段３Ｃ１は、作業日時情報および作業内容情報を含む作業関連情報をルーム居住者管理サーバＳから受信する。
【００７７】
３Ｃ２：情報表示制御手段
情報表示制御手段３Ｃ２は、作業関連情報（作業予定表）表示手段３Ｃ2A、無入力時情報表示終了手段３Ｃ2B、入力情報送信時情報表示終了手段３Ｃ2Cを有している。
３Ｃ2A：作業関連情報（作業予定表）表示手段
作業関連情報（作業予定表）表示手段２Ｃ2Aは、作業関連情報（作業予定表）送信手段１Ｃ8Dにより送信された作業関連情報（作業予定表）を前記無線端末Ｐの可変表示部材Ｐａに表示する
３Ｃ2B：無入力時情報表示終了手段
無入力時情報表示終了手段２Ｃ2Bは、前記無線端末Ｐの可変表示部材Ｐａに作業予定表が表示された状態で所定時間（例えば５分間）以上入力が無かった場合、作業予定表の表示を消去して自動的に初期表示画面（図３の表示画面Ｐ−１参照）を表示する。
３Ｃ2C：入力情報送信時情報表示終了手段
入力情報送信時情報表示終了手段３Ｃ2Cは、前記無線端末Ｐで入力した「作業状況」記入欄の「済」情報、「居住者状態メモ」記入欄の入力メモ、または「メモ」記入欄の入力メモ等の情報をルーム居住者管理サーバＳに送信した時に、前記無線端末Ｐの可変表示部材Ｐａに表示された作業関連情報（作業予定表）を消去して、初期画面（図３参照）を表示する。
【００７８】
３Ｃ３：入力手段
入力手段３Ｃ３は、メモ入力手段３Ｃ3Aと、作業状況入力手段３Ｃ3Bとを有しており、前記無線端末Ｐの可変表示部材Ｐａに表示された作業関連情報（作業予定表）の「居住者状態メモ」、「メモ」、「作業状況」の記入欄への入力を可能にする。
３Ｃ3A：メモ入力手段
メモ入力手段３Ｃ3Aは、可変表示部材Ｐａに表示された作業関連情報（作業予定表）の「居住者状態メモ」記入欄、「メモ」記入欄へのメモ文章の記入を可能にする。
作業状況入力手段３Ｃ3B
作業状況入力手段３Ｃ3Bは、可変表示部材Ｐａに表示された作業関連情報（作業予定表）の「作業状況」記入欄へ、作業予定表の作業項目に記載された作業が終了した状態か否かを表示する「済」の記入を可能にする。
【００７９】
３Ｃ４：一時記憶手段
一時記憶手段３Ｃ４は、入力メモ一時記憶手段３Ｃ4Aと、入力作業状況一時記憶手段３Ｃ4Bとを有しており、無線端末Ｐで入力された情報を一時（ルーム居住者管理サーバＳに送信する迄の間）記憶する。
３Ｃ4A：入力メモ一時記憶手段
入力メモ一時記憶段３Ｃ4Aは、可変表示部材Ｐａに表示された作業関連情報（作業予定表）の「居住者状態メモ」記入欄、「メモ」記入欄へ記入されたメモ文章を一時（ルーム居住者管理サーバＳに送信する迄の間）記憶する。
３Ｃ4B：入力作業状況一時記憶手段
入力作業状況一時記憶手段３Ｃ4Bは、可変表示部材Ｐａに表示された作業関連情報（作業予定表）の「作業状況」記入欄へ、作業予定表の作業項目に記載された作業が終了した状態か否かを表示する「済」が記入された場合に、前記「済」の状態であることを一時（ルーム居住者管理サーバＳに送信する迄の間）記憶する。
【００８０】
３Ｃ５：情報送信手段
情報送信手段３Ｃ５は、情報要求信号送信手段３Ｃ5Aと入力情報送信手段３Ｃ5Bとを有している。
３Ｃ5A：情報要求信号送信手段
情報要求信号送信手段３Ｃ5Aは、前記無線端末Ｐの初期表示画面（図３参照）でＩＤ、ＲＮ、ＢＮの値が正確に入力された状態で「送信」キーが入力されたときに、作業予定表を可変表示部材Ｐａに表示するための情報の送信を前記ルーム居住者管理サーバＳに要求する。
３Ｃ5B：入力情報送信手段
入力情報送信手段３Ｃ5Bは、可変表示部材Ｐａに表示されている作業予定表に入力情報（ＩＤ、ＲＮ、ＢＮ等の値、「作業状況」欄の「済」、居住者状態メモ」欄に入力されたメモ、「メモ」欄に入力されたメモ等の情報）が入力された状態で「送信」キーが入力された場合に、前記入力情報を無線端末Ｐから前記ルーム居住者管理サーバＳに送信する。
【００８１】
（費用管理サーバＨのコントローラ４Ｃの機能）（図４、図５参照）
前記費用管理サーバＨのコントローラ４Ｃは次の機能（システム）４Ｃ１，４Ｃ２を有している。
４Ｃ１：保険請求システム
保険請求システム４Ｃ１は、前記ルーム居住者管理サーバＳの医療費請求用作業情報送信手段１Ｃ９より受信した作業情報に基づいて保険金額請求書を作成する。
４Ｃ２：当人負担額請求システム
当人負担額請求システム４Ｃ２は、前記ルーム居住者管理サーバＳの医療費請求用作業情報送信手段１Ｃ９より受信した作業情報に基づいて居住者当人が負担する医療費請求書を作成する。
【００８２】
図６はルーム居住者管理サーバＳの電源オン時の表示画面（初期表示画面）Ｓ−１を示す図である。
図６の表示画面Ｓ−１は後述の図２１のフローチャートのＳＴ１で表示される画面である。図６において、ルーム居住者管理サーバＳの電源がオンになると、表示画面Ｓ−１が表示される。表示画面Ｓ−１は、モード選択画面であり、次のモードのいずれかを選択することができる。
（Ａ）管理テーブル（ルーム居住者に対して行う作業を管理するテーブル）の表示作成モード
（１）１ルームの１居住者のテーブル表示作成モード
（２）１ルームの全ベッドの居住者のテーブル表示作成モード
（３）作業項目一覧表表示作成モード
（Ｂ）管理テーブル表示モード
（４）１ルームの１居住者のテーブル表示モード
（５）１ルームの全ベッドの居住者のテーブル表示モード
前記（Ａ）は管理テーブルの表示および作成、編集等を行うモードである。また、前記（３）は、作業項目一覧表（図１０の、1.朝食、2.昼食、3.…等参照）を作成するモードである。前記（Ｂ）は管理テーブルの表示のみを行うモードであり、管理テーブルの作成や修正は行うことができない。
【００８３】
図７はルーム居住者管理サーバＳの表示画面Ｓ−２を示す図であり、表示画面Ｓ−２は前記図６の表示画面Ｓ−１で（１）が選択された場合に、後述の図２２のフローチャートのＳＴ２１で表示される画面である。
図７において表示画面Ｓ−２では、ルーム居住者管理サーバＳの操作者のＩＤと、ＲＮ（ルーム居住者が居住しているルームナンバー）と、ＢＮ（ベッドナンバー）とを入力する欄が表示される。
【００８４】
図８はルーム居住者管理サーバＳの表示画面Ｓ−３を示す図であり、表示画面Ｓ−３は前記表示画面Ｓ−２でＩＤ，ＲＮ，ＢＮが正しく入力された場合に、後述の図２２のフローチャートのＳＴ３１で表示される画面である。
図８において表示画面Ｓ−３では、ルーム居住者管理サーバＳの操作者のＩＤと、ＲＮ（ルーム居住者が居住しているルームナンバー）と、ＢＮ（ベッドナンバー）の表示欄と、前記ＢＮ（ベッドナンバー）のベッドの居住者名の入力表示欄が表示されるとともに、年および現在時刻の表示欄と、月日、曜日の入力表示欄と、作業予定表の入力表示欄とが表示される。
作業予定表の入力表示欄には、「時刻」「作業項目」、「作業状況」、居住者状態メモ」、「メモ」の入力表示欄が表示される。
【００８５】
また、図８の画面Ｓ−３の下部には、機能選択用のアイコン「キャンセル」、「確定」、「項目表示」、「印刷」、「行挿入」、「行削除」「モード切替」、「終了」が表示される。前記各アイコンの機能は次のとおりである。
「キャンセル」：ＩＤ，ＲＮ，ＢＮ入力中は全データを消去して初期画面を表示する。また、予定表の記入欄に入力中は、入力中の未確定文字がある場合に選択されると未確定文字を削除する。（図２３のＳＴ４４−１、ＳＴ４５参照）
「確定」：入力中の未確定文字がある場合に選択されると未確定文字を確定し、未確定文字が無い場合に選択されると表示画面中の全入力データを登録する。（図２３のＳＴ４６−１〜Ｓ４６−３参照）
「項目表示」：カーソル位置が作業項目欄に有るときに選択されると表示画面中の一部分に、作業項目一覧表（図１０の表示画面Ｓ−５参照）を表示する。
「印刷」：表示中の作業予定表を印刷する（図２３のＳＴ４１参照。
「行挿入」：カーソル行（カーソルが表示されている行）の一つ上の行に１行挿入する（図２３のＳＴ３９参照）。
「行削除」：カーソル行を削除する（図２３のＳＴ３９参照）。
【００８６】
「モード切替」：前記図６の（１）１ルームの１居住者のテーブル表示作成モード実行中に「モード切替」が選択されると、前記図６の（２）１ルームの全ベッドの居住者のテーブル表示作成モード実行中の表示画面に切り替えられる（図２３のＳＴ４３参照）。
例えば図８の表示画面Ｓ−３のときに、「モード切替」を選択すると、図１５（後述）の表示画面Ｓ−１０になる（図２３のＳＴ４３参照）。また、例えば図１１（後述）の表示画面Ｓ−６のときに、「モード切替」を選択すると、図１７の表示画面Ｓ−１２になる（図２３のＳＴ４３参照）。
逆に、前記図６の（２）１ルームの全ベッドの居住者のテーブル表示作成モード実行中に「モード切替」が選択されると、前記図６の（１）１ルームの１居住者のテーブル表示作成モード実行中の画面に切り替えられる（図２６のＳＴ４３′参照）。例えば図１５の表示画面Ｓ−１０のときに、「モード切替」を選択すると、図８の表示画面Ｓ−３になる（図２６のＳＴ４３′参照）。また、例えば図１７の表示画面Ｓ−１２のときに、「モード切替」を選択すると、図１１の表示画面Ｓ−６になる（図２６のＳＴ４３′参照）。
また、前記図６の（４）１ルームの１居住者のテーブル表示モード実行中に「モード切替」が選択されると、前記図６の（５）１ルームの全ベッドの居住者のテーブル表示モード実行中の画面に切り替えられる。逆に、前記図６の（５）１ルームの全ベッドの居住者のテーブル表示モード実行中に「モード切替」が選択されると、前記図６の（４）１ルームの１居住者のテーブル表示モード実行中の表示画面に切り替えられる。
「終了」：表示画面中の全入力データを登録して、動作中のモードの処理を終了し、表示画面Ｓ−１（メニュー画面）を表示する（図２３のＳＴ４８，ＳＴ４９、図２６のＳＴ４８′，ＳＴ４９′参照）。なお、現在時刻表示欄の時刻表示は自動表示される。
【００８７】
図９はルーム居住者管理サーバＳの表示画面Ｓ−４を示す図であり、前記表示画面Ｓ−３の氏名記入欄に氏名＝鈴木一郎が記入され、月日および曜日の記入欄に月日＝７月１日および曜日＝（火）が記入されている状態を示す図である。
【００８８】
図１０はルーム居住者管理サーバＳの表示画面Ｓ−５を示す図である。
図１０の表示画面Ｓ−５は、前記表示画面Ｓ−４の時刻欄に時刻＝「７：３０」を記入し、作業項目欄にカーソルが有る状態で表示画面Ｓ−４下部の「項目表示」アイコンを選択した場合（図２３のＳＴ３６でイエス（Ｙ）の場合）に、図２４のＳＴ５６で表示される。
図１０の表示画面Ｓ−５において、作業予定表の約右半分に、作業項目名のリストが表示されている。また、図１０の表示画面Ｓ−５の下部には、機能選択用のアイコン「キャンセル」、「前頁」、「次頁」が表示される。
図１０の表示画面Ｓ−５に表示された作業項目名のリストはＰ１（１頁目）のリストであり、Ｐ２（２頁目）以降の作業項目名のリストは表示されていない。
前記各アイコンの機能は次のとおりである。
「キャンセル」：「キャンセル」が選択されると、作業項目名のリストが消去され、リストが表示される前の画面に戻る。
「前頁」：表示されている頁の前の頁の作業項目名のリストを表示する。
「次頁」：表示されている頁の次の頁の作業項目名のリストを表示する。
なお、図１０の表示画面Ｓ−５において、キーボード３（図１参照）から数字を入力すると、入力された数字に対応する項目名がカーソル位置（作業項目記入欄）に入力されると同時に、作業項目名のリストが消去される。
【００８９】
図１１はルーム居住者管理サーバＳの表示画面Ｓ−６を示す図であり、前記表示画面Ｓ−６は、前記表示画面Ｓ−５の状態から、時刻記入欄および作業項目記入欄に、「１２：００」、「１４：３０」、「１８：００」および「朝食」、「昼食」、「おむつ替」、「夕食」を記入した状態を示す画面である。
図１２はルーム居住者管理サーバＳの表示画面Ｓ−７を示す図であり、前記表示画面Ｓ−７は、前記表示画面Ｓ−６の状態で、「行挿入」アイコンを選択して、カーソル行の上に１行挿入（図２３のＳＴ３９参照）した状態を示す画面である。
図１３はルーム居住者管理サーバＳの表示画面Ｓ−８を示す図であり、前記表示画面Ｓ−８は、前記表示画面Ｓ−７の状態から、時刻記入欄および作業項目記入欄に、「１６：００」および「入浴」を記入した状態を示す画面である。
【００９０】
図１４はルーム居住者管理サーバＳの表示画面Ｓ−９を示す図であり、表示画面Ｓ−９は前記図６の表示画面Ｓ−１で（２）が選択された場合に、後述の図２５のフローチャートのＳＴ２１′で表示される画面である。
図１４において表示画面Ｓ−９では、ルーム居住者管理サーバＳの操作者のＩＤと、ＲＮ（ルーム居住者が居住しているルームナンバー）とを入力する欄が表示される。
この図１４の表示画面Ｓ−９は、１ルームのルーム居住者全員の作業項目を同時に入力する画面であるので、ＲＮ（ルーム番号）の入力欄が表示されるだけで、ＢＮ（ベッドナンバー）の入力欄は表示されない。
【００９１】
図１５はルーム居住者管理サーバＳの表示画面Ｓ−１０を示す図であり、表示画面Ｓ−１０は前記表示画面Ｓ−９でＩＤ，ＲＮが正しく入力された場合に、後述の図２５のフローチャートのＳＴ３１′で表示される画面である。
図１５において表示画面Ｓ−１０では、ルーム居住者管理サーバＳの操作者のＩＤと、ＲＮ（ルーム居住者が居住しているルームナンバー）と、全ＢＮ（ベッドナンバー）の表示欄と、前記全ＢＮ（ベッドナンバー）１〜４の各ベッドの居住者名の入力表示欄が表示されるとともに、現在時刻の表示欄と、月日、曜日の入力表示欄と、各ＢＮに対応する作業予定表の入力表示欄とが表示される。
作業予定表の入力表示欄には、「時刻」と各ＢＮ（ベッドナンバー）に対応するルーム居住者の「作業項目」の入力表示欄が表示される。
また、図１５の画面Ｓ−１０の下部には、機能選択用のアイコン「キャンセル」、「確定」、「項目表示」、「印刷」、「行挿入」、「行削除」「モード切替」、「終了」が表示される。前記各アイコンの機能は、前記図８の表示画面Ｓ−３で説明したとおりである。
【００９２】
図１６はルーム居住者管理サーバＳの表示画面Ｓ−１１を示す図であり、表示画面Ｓ−１１は、前記表示画面Ｓ−１０の状態から、ＢＮ１のルーム居住者の氏名＝鈴木一郎を記入し、時刻記入欄および作業項目記入欄に、「７：３０」、「１２：００」、「１４：３０」、「１８：００」および「朝食」、「昼食」、「おむつ替」、「夕食」を記入した状態を示す画面である。
図１７はルーム居住者管理サーバＳの表示画面Ｓ−１２を示す図であり、表示画面Ｓ−１２は、前記表示画面Ｓ−１１の状態から、ＢＮ２のルーム居住者の氏名＝中村一郎を記入し、時刻記入欄の「７：３０」、「１２：００」、「１８：００」に対応して「朝食」、「昼食」、「夕食」を記入した状態を示す画面である。
【００９３】
図１８はルーム居住者管理サーバＳの表示画面Ｓ−１３を示す図であり、表示画面Ｓ−１３は、前記表示画面Ｓ−１２の状態で、「行挿入」アイコンを選択して、カーソル行の上に１行挿入（図２６のＳＴ３９′参照）した状態を示す画面である。行挿入が行われた場合、カーソル位置は時刻記入表示欄に移動する。
図１９はルーム居住者管理サーバＳの表示画面Ｓ−１４を示す図であり、表示画面Ｓ−１４は、前記表示画面Ｓ−１３の状態から、時刻記入欄およびＢＮ２の中村一郎の作業項目記入欄に、「１６：００」および「入浴」を記入した状態を示す画面である。
図２０はルーム居住者管理サーバＳの表示画面Ｓ−１５を示す図であり、表示画面Ｓ−１５は、前記表示画面Ｓ−１４の状態（ＢＮ（ベッドナンバー）２の中村一郎の作業項目記入欄の「入浴」にカーソルが有る状態）で「画面切替」アイコンが選択された場合の状態を示す画面である。
図２０の表示画面Ｓ−１５では、ＲＮ＝１０１、ＢＮ＝２の中村一郎のテーブル表示作成モードになっている。すなわち、図１９の１ルームの全ベッドのルーム居住者のテーブル表示作成モード（図６の表示画面Ｓ−１の（１）参照）実行中の表示画面Ｓ−１４（図１９参照）から、図２０の１ルーム１居住者のテーブル表示作成モード（図６の表示画面Ｓ−１の（２）参照）実行中の表示画面にモード切替えが行われている。
【００９４】
（実施例１のルーム居住者管理サーバＳのフローチャートの説明）
図２１は本発明の実施例１のルーム居住者管理システムのルーム居住者管理システムのメインルーチン（１）である。
図２１のフローチャートの各ＳＴ（ステップ）の処理は、前記コントローラ１ＣのＲＯＭに記憶されたプログラムに従って行われる。また、この処理はルーム居住者管理システムの他の各種処理と並行してマルチタスクで実行される。
図２１に示すルーム居住者管理システムのフローチャートは電源オンにより開始される。
図２１のＳＴ１（ステップ１）において、ルーム居住者管理サーバの画面にメニュー画面（図６の表示画面Ｓ−１）を表示する。そして、ＳＴ２に移る。
ＳＴ２において、モード入力欄に入力が有ったか否かを判別する。ノー（Ｎ）の場合はＳＴ４に移り、イエス（Ｙ）の場合はＳＴ３に移る。
ＳＴ３において、入力データを一時記憶してメニュー画面（図６参照）に追加表示する。そして、前記ＳＴ２に戻る。
ＳＴ４において、前記図６のメニュー画面に表示された「キャンセル」が選択されたか否かを判別する。ノー（Ｎ）の場合はＳＴ６に移り、イエス（Ｙ）の場合はＳＴ５に移る。
【００９５】
ＳＴ５において、モード入力欄のデータを消去し、前記ＳＴ１に戻る。
ＳＴ６において、前記図６のメニュー画面に表示されている「ＯＫ」が選択されたか否かを判断する。ノー（Ｎ）の場合は前記ＳＴ２に戻り、イエス（Ｙ）の場合はＳＴ７に移る。
ＳＴ７において、モード入力値＝１か否かを判断する。すなわち、前記図６で表示されたメニュー画面（表示画面Ｓ−１）の「１ルームの１居住者のテーブル表示作成モード」を選択したか否かを判断する。ノー（Ｎ）の場合はＳＴ９に移り、イエス（Ｙ）の場合はＳＴ８に移る。
ＳＴ８において、モード１の処理を行う。すなわち、前記「１ルームの１居住者のテーブル表示作成モード」の処理を行う。なお、前記モード１（１ルームの１居住者のテーブル表示作成モード）の処理は、図２２のサブルーチンで後述する。そして、前記ＳＴ１に戻る。
ＳＴ９において、モード入力値＝２か否かを判断する。すなわち、前記図６で表示されたメニュー画面（表示画面Ｓ−１）の「１ルームの全ベットの居住者のテーブル表示作成モード」を選択したか否かを判断する。ノー（Ｎ）の場合はＳＴ１１に移り、イエス（Ｙ）の場合はＳＴ１０に移る。
【００９６】
ＳＴ１０において、モード２の処理を行う。すなわち、前記「１ルームの全ベットの居住者のテーブル表示作成モード」の処理を行う。なお、前記モード２（１ルームの全ベットの居住者のテーブル表示作成モード）の処理は、図２５のサブルーチンで後述する。そして、前記ＳＴ１に戻る。
ＳＴ１１において、モード入力値＝３か否かを判断する。すなわち、前記図６で表示されたメニュー画面（表示画面Ｓ−１）の「作業項目一覧表表示作成モード」を選択したか否かを判断する。ノー（Ｎ）の場合はＳＴ１３に移り、イエス（Ｙ）の場合はＳＴ１２に移る。
ＳＴ１２において、モード３の処理を行う。すなわち、前記「作業項目一覧表表示作成モード」の処理を行う。なお、前記モード３（作業項目一覧表表示作成モード）の処理の詳細な説明は省略する。そして、前記ＳＴ１に戻る。
ＳＴ１３において、モード入力値＝４か否かを判断する。すなわち、前記図６で表示されたメニュー画面（表示画面Ｓ−１）の「１ルームの１居住者のテーブル表示モード」を選択したか否かを判断する。ノー（Ｎ）の場合はＳＴ１５に移り、イエス（Ｙ）の場合はＳＴ１４に移る。
【００９７】
ＳＴ１４において、モード４の処理を行う。すなわち、前記「１ルームの１居住者のテーブル表示モード」の処理を行う。なお、前記モード４（１ルームの１居住者のテーブル表示モード）の処理の詳細な説明は省略する。そして、前記ＳＴ１に戻る。
ＳＴ１５において、モード入力値＝５か否かを判断する。すなわち、前記図６で表示されたメニュー画面（表示画面Ｓ−１）の「１ルームの全ベットの居住者のテーブル表示モード」を選択したか否かを判断する。ノー（Ｎ）の場合は前記ＳＴ２に戻り、イエス（Ｙ）の場合はＳＴ１６に移る。
ＳＴ１６において、モード５の処理を行う。すなわち、前記「１ルームの全ベットの居住者のテーブル表示モード」の処理を行う。なお、前記モード５（１ルームの全ベットの居住者のテーブル表示モード）の処理の詳細な説明は省略する。そして、前記ＳＴ１に戻る。
【００９８】
（１ルームの１居住者のテーブル表示作成モードの処理：ＳＴ８のサブルーチン）
図２２は前記実施例１のルーム居住者管理システムの「１ルームの１居住者のテーブル表示作成モードの処理」のフローチャートであり、前記図２１のＳＴ８のサブルーチンのフローチートである。
前記図２２のＳＴ８のサブルーチンの処理がスタートすると、ＳＴ２１においてルーム居住者管理サーバＳのディスプレイ２に表示画面Ｓ−２（図７参照）を表示する。そして、ＳＴ２２に移る。
ＳＴ２２において、ＩＤ、ＲＮ（ルームナンバー）、ＢＮ（ベットナンバー）欄に入力が有るか否かを判断する。イエス（Ｙ）の場合はＳＴ２３に移り、ノー（Ｎ）の場合はＳＴ２４に移る。
ＳＴ２３において、入力データを一時記憶して表示画面Ｓ−２（図７参照）に追加表示する。そして、前記ＳＴ２２に戻る。
【００９９】
ＳＴ２４において、前記ルーム居住者管理サーバＳに接続されたキーボード３の「ＤＥＬ」キーもしくは「ＢＳ」キーが入力されたか否かを判断する。ノー（Ｎ）の場合はＳＴ２６に移り、イエス（Ｙ）の場合はＳＴ２５に移る。
ＳＴ２５において、文字を消去する。そして、前記ＳＴ２２に戻る。
ＳＴ２６において、「キャンセル」が選択されたか否かを判断する。ノー（Ｎ）の場合はＳＴ２８に移り、イエス（Ｙ）の場合はＳＴ２７に移る。
ＳＴ２７において、ＩＤ、ＲＮ（ルームナンバー）、ＢＮ（ベットナンバー）欄に入力されたデータを消去する。そして、前記図２１のＳＴ１に戻る。
ＳＴ２８において、前記図７のメニュー画面Ｓ−２に表示されている「ＯＫ」が選択されたか否かを判断する。ノー（Ｎ）の場合は前記ＳＴ２２に戻り、イエス（Ｙ）の場合はＳＴ２９に移る。
ＳＴ２９において、前記ＩＤ、ＲＮ（ルームナンバー）、ＢＮ（ベットナンバー）欄に入力されたデータが正しいか否かを判断する。ノー（Ｎ）の場合はＳＴ３０に移り、イエス（Ｙ）の場合はＳＴ３１に移る。
ＳＴ３０において、前記ＩＤ、ＲＮ（ルームナンバー）、ＢＮ（ベットナンバー）欄に入力されたデータが間違っていることを前記図７の表示画面Ｓ−２に追加表示する。そして、前記ＳＴ２２に戻る。
【０１００】
ＳＴ３１において、ルーム居住者管理サーバＳのディスプレイに表示画面Ｓ−３（図８参照）を表示する。また、居住者名および作業項目等が入力済の場合は入力済データも追加表示する。そして、ＳＴ３２に移る。
ＳＴ３２において、文字入力が有ったか否かを判断する。ノー（Ｎ）の場合はＳＴ３２−１に移り、イエス（Ｙ）の場合はＳＴ３３に移る。
ＳＴ３３において、入力データを一時記憶してメニュー画面Ｓ−３〜Ｓ−６（図９〜図１１）に追加表示する。そして、前記ＳＴ３２に戻る。
ＳＴ３２−１において、「変換」キーまたは「無変換」キーが入力されたか否かを判断する。ノー（Ｎ）の場合は図２３（後述）のＳＴ３４に移り、イエス（Ｙ）の場合はＳＴ３２−２に移る。
ＳＴ３２−２において、変換候補文字を表示する。そして、前記ＳＴ３２に戻る。
【０１０１】
図２３は、前記図２２の続きのフローチャートである。
図２３のＳＴ３４において、カーソル位置の移動指示が有ったか否かを判断する。すなわち、矢印キー（カーソル移動キー）が入力されたか否かを判断する。ノー（Ｎ）の場合はＳＴ３６に移り、イエス（Ｙ）の場合はＳＴ３５に移る。
ＳＴ３５において、次の処理を行う。
（１）矢印キー（カーソル移動キー）の入力に応じてカーソルを移動する。
（２）移動したカーソル位置に応じて画面をスクロールする。
そして、前記図２２のＳＴ３２に戻る。
ＳＴ３６において、項目表示が選択されたか否かを判断する。すなわち、ルーム居住者管理サーバの表示画面下部に設けられた「項目表示」（図９参照）が選択されたか否かを判断する。ノー（Ｎ）の場合はＳＴ３８に移り、イエス（Ｙ）の場合はＳＴ３７に移る。
ＳＴ３７において、項目表示選択時の制御処理を行う。なお、この項目表示選択時の制御処理のフローは図２４で後述する。そして、前記図２２のＳＴ３２に戻る。
ＳＴ３８において、ルーム居住者管理サーバＳの表示画面下部に設けられた「行挿入」または「行削除」が選択されたか否かを判断する。ノー（Ｎ）の場合はＳＴ４０に移り、イエス（Ｙ）の場合はＳＴ３９に移る。
【０１０２】
ＳＴ３９において、前記ＳＴ３８で「行挿入」が選択された場合、カーソルにより選択された位置に新規行が挿入される。前記ＳＴ３８で「行削除」が選択された場合、カーソルにより選択された行を削除する。そして、前記図２２のＳＴ３２に戻る。
ＳＴ４０において、ルーム居住者管理サーバの表示画面下部に設けられた「印刷」が選択されたか否かを判断する。ノー（Ｎ）の場合はＳＴ４２に移り、イエス（Ｙ）の場合はＳＴ４１に移る。
ＳＴ４１において、前記「印刷」が選択されたルーム居住者管理サーバＳの表示画面を印刷する。そして、前記図２２のＳＴ３２に戻る。
ＳＴ４２において、ルーム居住者管理サーバＳの表示画面下部に設けられた「モード切替」が選択されたか否かを判断する。ノー（Ｎ）の場合はＳＴ４４に移り、イエス（Ｙ）の場合はＳＴ４３に移る。
ＳＴ４３において、１ルームの全居住者のテーブル同時表示作成画面（図１３〜図１９参照）を表示する。そして、図２５のＳＴ３２′（後述）に移る。
ＳＴ４４において、ルーム居住者管理サーバＳの表示画面下部に設けられた「キャンセル」が選択されたか、又はルーム居住者管理サーバＳに接続されたキーボード３（図１、図４参照）の「ＥＳＣ」キーが入力されたか否かを判断する。ノー（Ｎ）の場合はＳＴ４６に移り、イエス（Ｙ）の場合はＳＴ４４−１に移る。
【０１０３】
ＳＴ４４−１において、未確定文字が有るか否かを判断する。ノー（Ｎ）の場合は前記図２２のＳＴ３２に戻り、イエス（Ｙ）の場合はＳＴ４５に移る。
ＳＴ４５において、未確定文字を削除する。そして、前記図２２のＳＴ３２に戻る。
ＳＴ４６において、ルーム居住者管理サーバＳの表示画面下部に設けられた「確定」が選択されたか、又はルーム居住者管理サーバＳに接続されたキーボード３（図１、図４参照）の「Ｅｎｔｅｒ」キーが入力されたか否かを判断する。ノー（Ｎ）の場合はＳＴ４７に移り、イエス（Ｙ）の場合はＳＴ４６−１に移る。
ＳＴ４６−１において未確定文字が有るか否かを判断する。ノー（Ｎ）の場合はＳＴ４６−３に移り、イエス（Ｙ）の場合はＳＴ４６−２に移る。
ＳＴ４６−２において、未確定文字を確定する。そして、前記図２２のＳＴ３２に戻る。
ＳＴ４６−３において、ルーム居住者管理サーバＳの表示画面の全入力データを前記ルーム居住者管理サーバＳに登録する。そして、前記図２２のＳＴ３２に戻る。
ＳＴ４７において、前記ルーム居住者管理サーバＳに接続されたキーボードの「ＤＥＬ」キーもしくは「ＢＳ」キーが入力されたか否かを判断する。ノー（Ｎ）の場合はＳＴ４８に移り、イエス（Ｙ）の場合はＳＴ４７−１に移る。
ＳＴ４７−１において、前記ルーム居住者管理サーバＳの表示画面のカーソルに選択された文字を消去する。そして、前記図２２のＳＴ３２に戻る。
ＳＴ４８において、ルーム居住者管理サーバの表示画面下部に設けられた「終了」が選択されたか否かを判断する。ノー（Ｎ）の場合は前記図２２のＳＴ３２に戻り、イエス（Ｙ）の場合はＳＴ４９に移る。
ＳＴ４９において、表示画面中の全入力データを登録する。そして、前記図２１のＳＴ１に戻る。
【０１０４】
図２４は、前記図２３のＳＴ３７のサブルーチンで、項目表示選択時の制御処理のフローチャートである。
図２４において、項目表示選択時の制御処理が開始されると、ＳＴ５１において、ルーム居住者管理サーバＳの表示画面のカーソル位置が「作業項目」入力欄に有るか否かを判断する。ノー（Ｎ）の場合はＳＴ５２に移り、イエス（Ｙ）の場合はＳＴ５６に移る。
ＳＴ５２において、表示画面Ｓ−４，Ｓ−６（図９、図１１参照）に「カーソル位置を作業項目入力欄に移動してから「項目表示」を選択して下さい。」というメッセージを追加表示する。そして、ＳＴ５３に移る。
ＳＴ５３において、カーソル位置の移動指示が有ったか否かを判断する。すなわち、矢印キー（カーソル移動キー）が入力されたか否かを判断する。ノー（Ｎ）の場合はＳＴ５４に移り、イエス（Ｙ）の場合はＳＴ５５に移る。
ＳＴ５４において、ルーム居住者管理サーバＳの表示画面下部に設けられた「キャンセル」が選択されたか否かを判断する。ノー（Ｎ）の場合は前記ＳＴ５３に戻り、イエス（Ｙ）の場合は前記図２２のＳＴ３２に戻る。
ＳＴ５５において、次の処理を行う。
（１）前記ＳＴ５２で表示画面Ｓ−４、Ｓ−８に表示したメッセージを消去する。
（２）前記ＳＴ５３で入力されたカーソル位置の移動指示に従いカーソルを移動する。
そして、前記図２２のＳＴ３２に戻る。
【０１０５】
ＳＴ５６において、次の処理を行う。
（１）ルーム居住者管理サーバＳの表示画面Ｓ−５の一部分に作業項目一覧表を上書表示（図１０参照）する。
（２）ルーム居住者管理サーバＳの表示画面下部に設けられたアイコン選択画面として、「キャンセル」、「確定」、「次頁」、「前頁」のみを表示（図１０参照）する。
そして、ＳＴ５７に移る。
ＳＴ５７において、前記ＳＴ５６の（１）で表示された作業項目一覧表より作業項目が選択されたか否かを判断する。ノー（Ｎ）の場合はＳＴ５８に移り、イエス（Ｙ）の場合はＳＴ６１に移る。
ＳＴ５８において、ルーム居住者管理サーバＳの表示画面下部に設けられた「キャンセル」が選択されたか否かを判断する。ノー（Ｎ）の場合はＳＴ５９に移り、イエス（Ｙ）の場合はＳＴ６２に移る。
ＳＴ５９において、ルーム居住者管理サーバＳの表示画面下部に設けられた「次頁」、「前頁」が選択されたか否かを判断する。ノー（Ｎ）の場合は前記ＳＴ５７に戻り、イエス（Ｙ）の場合はＳＴ６０に移る。
ＳＴ６０において、作業項目一覧表の表示部分を次頁又は前頁に変更する。また、最後の頁表示中に「次頁」が選択されると第１頁に戻る。そして、前記ＳＴ５７に戻る。
【０１０６】
ＳＴ６１において、選択された作業項目をカーソル位置に表示し、一時記憶する。そして、ＳＴ６２に移る。
ＳＴ６２において、次の処理を行う。
（１）作業項目一覧表をルーム居住者管理サーバＳの表示画面より消去する。
（２）ルーム居住者管理サーバＳの表示画面下部に設けられたアイコン選択画面を通常（表示画面Ｓ−６〜Ｓ−８等参照）にする。
そして、前記図２２のＳＴ３２に戻る。
【０１０７】
（１ルームの全居住者のテーブル表示作成モードの処理：ＳＴ１０のサブルーチン）
図２５は前記実施例１のルーム居住者管理システムの「１ルームの全居住者のテーブル表示作成モードの処理」のフローチャートであり、前記図２１のＳＴ１０のサブルーチンのフローチートである。
前記図２２の各ステップ（ＳＴ）に対応する図２５の各ステップには同一ステップ番号にダッシュを付けている。前記図２２の各ステップに対応する図２５の各ステップの処理で同一の処理を行うステップについては説明を省略し、処理の異なるステップにのみ説明する。
【０１０８】
ＳＴ２１′において、ルーム居住者管理サーバＳの画面に表示画面Ｓ−９（図１４参照）を表示する。そして、ＳＴ２２′に移る。
ＳＴ２３′において、入力データを一時記憶して表示画面Ｓ−９（図１４参照）に追加表示する。そして、前記ＳＴ２２′に戻る。
ＳＴ３０′において、入力データが間違っていることを表示画面７（図１２参照）に追加表示する。そして、前記ＳＴ２２′に戻る。
ＳＴ３１′において、ルーム居住者管理サーバＳの画面に表示画面Ｓ−１０（図１５参照）を表示する。また、居住者名および作業項目等が入力済の場合は入力済データを追加表示する。そして、ＳＴ３２′に移る。
ＳＴ３３′において、入力データを一時記憶してメニュー画面Ｓ−１０〜Ｓ−１４（図１５〜図１９）に追加表示する。そして、前記ＳＴ３２′に戻る。
【０１０９】
図２６は、前記図２５の続きのフローチャートである。
図２６において、前記図２５と同様に、前記図２３の各ステップ（ＳＴ）に対応する図２６の各ステップには同一ステップ番号にダッシュを付けている。前記図２３の各ステップに対応する図２６の各ステップの処理で同一の処理を行うステップについては説明を省略し、処理の異なるステップにのみ説明する。
ＳＴ４３′において、１ルームの１居住者のテーブル同時表示作成画面Ｓ−３〜Ｓ−８（図８〜図１３参照）を表示する。そして、前記図２２のＳＴ３２に移る。
【０１１０】
図２７は、前記図２６のＳＴ３７′のサブルーチンで、項目表示選択時の制御処理のフローチャートである。
図２７において、前記図２４の各ステップ（ＳＴ）に対応する図２７の各ステップには同一ステップ番号にダッシュを付けている。前記図２４の各ステップに対応する図２７の各ステップの処理で同一の処理を行うステップについては説明を省略し、処理の異なるステップにのみ説明する。
ＳＴ５２′において、表示画面Ｓ−１０〜Ｓ−１４（図１５〜図１９参照）に「カーソル位置を作業項目入力欄に移動してから「項目表示」を選択して下さい。」というメッセージを追加表示する。そして、ＳＴ５３′に移る。
ＳＴ５６′において、次の処理を行う。
（１）ルーム居住者管理サーバＳの表示画面Ｓ−１０〜Ｓ−１４の一部分に作業項目一覧表を上書表示する。
（２）ルーム居住者管理サーバＳの表示画面下部に設けられたアイコン選択画面として、「キャンセル」、「確定」、「次頁」、「前頁」のみを表示（図１０参照）する。
そして、ＳＴ５７′に移る。
ＳＴ６２′において、次の処理を行う。
（１）作業項目一覧表をルーム居住者管理サーバＳの表示画面より消去する。
（２）ルーム居住者管理サーバＳの表示画面下部に設けられたアイコン選択画面を通常（表示画面Ｓ−１０〜Ｓ−１４等参照）にする。
そして、前記図２５のＳＴ３２′に戻る。
【０１１１】
図２８は、ルーム居住者管理システムのメインルーチン（２）で作業処理状況送信処理のフローチャートである。
図２８において、作業処理状況送信処理のフローチャートが開始されると、ＳＴ７１において、次の処理を行う。
（１）ルーム番号ｎを０とする。
（２）ベット番号ｍを０とする。
そして、ＳＴ７２に移る。
ＳＴ７２において、ルーム番号ｎ＝ｎ＋１とする。そして、ＳＴ７３に移る。
ＳＴ７３において、ルーム番号ｎがルーム番号最大値ｎ０より大きいか否かを判断する。ノー（Ｎ）の場合はＳＴ７４に移り、イエス（Ｙ）の場合はＳＴ７１に戻る。
ＳＴ７４において、ベット番号ｍ＝ｍ＋１とする。そして、ＳＴ７５に移る。
ＳＴ７５において、ルーム番号ｎおよびベット番号ｍに対するルーム居住者が有るか否かを判断する。ノー（Ｎ）の場合はＳＴ７７に移り、イエス（Ｙ）の場合はＳＴ７６に移る。
【０１１２】
ＳＴ７６において、緑ランプ点灯フラグＦｇ＝「１」とする。前記緑ランプ点灯フラグＦｇ＝「１」は、住居者有りの場合を意味し、前記緑ランプ点灯フラグＦｇ＝「０」は、住居者無しの場合を意味する。前記緑ランプ点灯フラグＦｇ＝「１」のときには、緑ランプが点灯する。そして、ＳＴ７８に移る。
ＳＴ７７において、緑ランプ点灯フラグＦｇ＝「０」とする。前記緑ランプ点灯フラグＦｇ＝「０」のときは、初期状態であり、緑ランプＦｇが消灯する。そして、ＳＴ７８に移る。
ＳＴ７８において作業予定時刻を過ぎた未終了の作業が有るか否かを判断する。ノー（Ｎ）の場合はＳＴ８０に移り、イエス（Ｙ）の場合はＳＴ７９に移る。
ＳＴ７９において、赤ランプ点灯フラグＦｒ＝「１」とする。前記赤ランプ点灯フラグＦｒ＝「１」は、作業予定時刻が経過しても作業が終了されていない場合を意味し、前記赤ランプ点灯フラグＦｒ＝「０」は、作業が終了されている場合を意味する。前記赤ランプ点灯フラグＦｒ＝「１」のときには、赤ランプが点灯する。そして、ＳＴ８１に移る。
ＳＴ８０において、赤ランプ点灯フラグＦｒ＝「０」とする。前記赤ランプ点灯フラグＦｒ＝「０」は、初期状態であり、赤ランプが消灯する。そして、ＳＴ８１に移る。
【０１１３】
ＳＴ８１において現在時刻から２０分以内に作業予定時刻となる未終了の作業が有るか否かを判断する。ノー（Ｎ）の場合はＳＴ８３に移り、イエス（Ｙ）の場合はＳＴ８２に移る。
ＳＴ８２において、黄ランプ点灯フラグＦｙ＝「１」とする。前記黄ランプ点灯フラグＦｙ＝「１」は、作業予定時刻が接近しても作業が終了されていない場合を意味し、前記黄ランプ点灯フラグＦｙ＝「０」は、現在時刻から２０分以内に作業予定時刻となる未終了作業が無いことを意味する。前記黄ランプ点灯フラグＦｙ＝「１」のときには、黄ランプが点灯する。そして、ＳＴ８４に移る。
ＳＴ８３において、黄ランプ点灯フラグＦｙ＝「０」とする。前記黄ランプ点灯フラグＦｙ＝「０」は、初期状態であり、黄ランプが消灯する。そして、ＳＴ８４に移る。
ＳＴ８４において、前記ルーム居住者管理サーバＳは、ルーム番号ＲＮ＝ｎ、ベット番号ＢＮ＝ｍの居住者用管理ランプの点灯フラグＦｇ，Ｆｒ，Ｆｙの値を前記ルーム端末Ｒに送信する。そして、ＳＴ８５に移る。
ＳＴ８５において、ベット番号ｍが４以下か否か判断する。ノー（Ｎ）の場合はＳＴ８６に移り、イエス（Ｙ）の場合は前記ＳＴ７４に戻る。
ＳＴ８６において、ベット番号ｍを０とする。そして、前記ＳＴ７２に戻る。
【０１１４】
図２９は、ルーム居住者管理システムのメインルーチン（３）でルーム端末Ｒとの通信制御処理のフローチャートである。
図２９において、ルーム端末Ｒとの通信制御処理のフローチャートが開始されると、ＳＴ９１において、ルーム居住者管理サーバＳがルーム端末Ｒ又は無線端末Ｐから情報を受信したか否かを判断する。ノー（Ｎ）の場合は前記ＳＴ９１を繰り返し実行し、イエス（Ｙ）の場合はＳＴ９２に移る。
ＳＴ９２において、ＩＤが正しいか否かを判断する。ノー（Ｎ）の場合はＳＴ９３に移り、イエス（Ｙ）の場合はＳＴ９４に移る。
ＳＴ９３において、前記ルーム居住者管理サーバＳは、ＩＤが不正であるというメッセージを前記ルーム端末Ｒに送信する。そして、前記ＳＴ９１に戻る。
ＳＴ９４において、前記ルーム端末Ｒ又は無線端末Ｐが送信要求したか否かを判断する。ノー（Ｎ）の場合はＳＴ９８に移り、イエス（Ｙ）の場合はＳＴ９５に移る。
【０１１５】
ＳＴ９５において、前記ルーム端末Ｒ又は無線端末Ｐが要求したルーム番号ｎ、ベット番号ｍのルーム居住者の作業関連情報が前記ルーム居住者管理サーバＳに有るか否かを判断する。ノー（Ｎ）の場合はＳＴ９６に移り、イエス（Ｙ）の場合はＳＴ９７に移る。
ＳＴ９６において、前記要求されたルーム番号ｎ、ベット番号ｍのルーム居住者の作業関連情報が無いというメッセージを送信する。そして、前記ＳＴ９１に戻る。
ＳＴ９７において、前記ルーム居住者管理サーバＳは、前記ルーム端末Ｒが要求したルーム番号ｎ、ベット番号ｍのルーム居住者の作業関連情報を前記ルーム端末Ｒに送信する。そして、ＳＴ９８に移る。
ＳＴ９８において、前記ルーム居住者管理サーバＳは、前記ルーム端末Ｒからの作業状況記入欄、居住者状態メモ入力欄、又はメモ記入欄の記入データ受信か否かを判断する。ノー（Ｎ）の場合は前記ＳＴ９１に移り、イエス（Ｙ）の場合はＳＴ９９に移る。
ＳＴ９９において、前記ルーム居住者管理サーバＳのコントローラ１Ｃは、前記ＳＴ９８で受信した情報（ルーム番号ｎ、ベット番号ｍのルーム居住者の「作業状況」、「居住者状態メモ」、「メモ」欄の記入データ）を居住者管理情報記憶手段１Ｃ４の作業関連情報記憶手段１Ｃ４Ｂに記憶する。そして、前記ＳＴ９１に戻る。
【０１１６】
図３０は、ルーム居住者管理システムのメインルーチン（４）で費用管理サーバへの作業関連情報送信処理のフローチャートである。
図３０において、費用管理サーバＨへの作業関連情報送信処理のフローチャートが開始されると、ＳＴ１０１において、前記ルーム居住者管理サーバＳは、費用管理サーバＨから作業関連情報送信要求が有ったか否かを判断する。ノー（Ｎ）の場合は前記ＳＴ１０１を繰り返し実行し、イエス（Ｙ）の場合はＳＴ１０２に移る。
ＳＴ１０２において、前記ルーム居住者管理サーバＳは、費用管理サーバＨから要求された作業関連情報（指定されたルーム居住者の指定された期間の作業関連情報）を前記費用管理サーバＨに送信する。そして、前記ＳＴ１０１に戻る。
【０１１７】
（ルーム端末Ｒ）
図３１は前記図２の表示画面Ｒ−１でＩＤ，ＲＮ，ＢＮ等が正しく入力された場合に、後述の図４５のフローチャートのＳＴ１２５で表示されるルーム端末の表示画面Ｒ−２の図である。
図３１の予定表表示欄Ｒ２ｄに表示される予定表中の情報は、現在時刻表示欄に表示される時刻（６：５０）以外は、ルーム居住者管理サーバＳで作成された情報である。図３１においてカーソル位置は時刻表示欄に有る。
図３２は現在時刻は７：２０で、時刻表示欄の時刻が７：００で作業項目欄の作業がおむつ交換の行の作業状況記入欄にカーソル位置が移動した状態を示す表示画面Ｒ−３の図である。
作業者が、時刻７：００頃に、ＲＮ（ルームナンバー）＝１０１、ＢＮ（ベッドナンバー）＝１のルーム居住者（鈴木一郎）に対するオムツ交換の作業を行ったとき、前記図３１の表示画面Ｒ−２のカーソル位置から、カーソルを図３２の表示画面Ｒ−３のカーソル位置に移動させる。カーソルの移動は入力キー配置部Ｒ１ｃの矢印キー（カーソル移動キー）により行われる。
図３３は前記図３２の表示画面Ｒ−３の状態（カーソル位置が時刻表示欄の時刻＝７：００且つ作業項目欄の作業＝おむつ交換の行の作業状況記入欄に移動した状態）において入力キー配置部Ｒ１ｃの「済」キーを入力した状態を示す表示画面Ｒ−４の図である。
【０１１８】
図３３において、カーソルが「作業状況」欄にある場合、入力キー配置部Ｒ１ｃの「済」キーをワンタッチ入力することにより、作業状況記入欄に「済」を記入することができる。この作業状況記入欄に「済」が入力されると、７：００のオムツ交換作業が済んだことを意味している。この作業記入欄に入力した「済」という入力情報は、後述する図４７のフローチャートのＳＴ１５０の処理によりルーム居住者管理サーバＳに送信される。
図３４は前記図３３の表示画面Ｒ−４の状態から、「朝食」の作業状況記入欄に「済」が記入され、「昼食」の作業状況記入欄に「済」が記入された状態を示す表示画面Ｒ−５の図である。
なお、前記「済」キー入力時（図４６のＳＴ１３７参照）の制御処理（図４６のＳＴ１３８参照）のサブルーチンのフローチャートは図５０により後述する。
【０１１９】
図３５は前記図３４の表示画面Ｒ−５の状態（カーソル位置が「居住者状態メモ」の記入欄に移動した状態）で入力キー配置部Ｒ１ｃの「文字入力」キーを入力した状態を示す居住者状態メモ入力用表示画面Ｒ−６の図である。
「文字入力」キーの入力時（図４６のＳＴ１３９参照）の制御処理（図４６のＳＴ１４０参照）のサブルーチンのフローチャートは図５１により後述する。また、図５１のフローチャートのＳＴ１７２に示された「居住者状態メモ」入力処理のサブルーチンのフローチャートは図５２、図５３に示されている。
図３５において、前記図３４の表示画面Ｒ−５でカーソルの有った行は予定表の一番上の行に移動しており、その行の下方には入力用の文字が表示されている。また、メモ記入を行う居住者状態メモ記入欄のカーソル（文字記入位置表示用カーソル）の他に、入力文字選択用のカーソルが入力用の文字「あ」の下側に表示されている。
【０１２０】
この図３５の表示画面Ｒ−６では、入力キー配置部Ｒ１ｃの矢印キー（カーソル移動キー）により、入力文字選択用のカーソルが移動する。そして、カーソルが所望の文字の下側に移動した状態で入力キー配置部Ｒ１ｃの「文字選択」キーを入力することにより、前記居住者状態メモ記入欄のカーソル（文字記入位置表示用カーソル）位置に文字を入力することができる。このとき入力された文字は確定されていないので、適当数の文字を前記居住者状態メモ記入欄のカーソル（文字記入位置表示用カーソル）位置に入力してから、入力キー配置部Ｒ１ｃの「変換」キーまたは「確定」キーを入力することにより、居住者状態メモ記入欄にメモ文章を記入することができる。
なお、表示された入力用の文字を選択する方法としては、前述のように入力文字選択用のカーソルを移動させてから「文字選択」キーを入力する代わりに、スタイラスペンにより入力用の文字を選択することができる。
【０１２１】
図３６は前記図３５の表示画面Ｒ−６の状態で、居住者状態メモ記入欄にメモ文章「１／３残した」を記入した状態を表示する表示画面Ｒ−７の図である。
図３６の状態で居住者状態メモ記入欄に記入したメモ文章「１／３残した」を「確定」キーにより確定された状態で、もう１度「確定キー」入力すると、前記入力用の文字が消去されて、図３７の表示画面Ｒ−８の状態となる。
図３７は前記図３６の表示画面Ｒ−７の状態で、居住者状態メモ記入欄にメモ文章「１／３残した」の記入を完了した状態の表示画面Ｒ−８の図である。
図３８は前記図３７の表示画面Ｒ−８の状態で、時刻＝１２：４５、作業項目＝おむつ交換の行の「作業状況」記入欄に「済」を記入し、居住者状態メモ記入欄にメモ文章「肛門周囲にただれ有り」を記入してから、カーソル位置を「居住者状態メモ」記入欄の右側の「メモ」記入欄に移動させた状態を表示する表示画面Ｒ−９の図である。
前記図３７の表示画面Ｒ−８では、「作業項目」欄の右側には、順次、「作業内容」、「作業状況」、「居住者状態メモ」の欄が表示されているが、その表示の右端の「居住者状態メモ」の欄からさらに右側にカーソルを移動させると、図３８の表示画面Ｒ−９に示すように、「作業内容」欄が消去されて「作業状況」、「居住者状態メモ」が左側に移動し、「居住者状態メモ」の欄の右側に「メモ」欄が表示される。
【０１２２】
図３９は前記図３８の表示画面Ｒ−９の状態（カーソル位置が「メモ」の記入欄に移動した状態）で入力キー配置部Ｒ１ｃの「文字入力」キーを入力した状態を示すメモ入力用表示画面Ｒ−１０の図である。
「文字入力」キーの入力時（図４６のＳＴ１３９参照）の制御処理（図４６のＳＴ１４０参照）のサブルーチンのフローチャートは図５１に示されている。また、図５１のフローチャートのＳＴ１７４に示された「メモ」入力処理のサブルーチンのフローチャートは図５４、図５５に示されている。
図３９において、前記図３８の表示画面Ｒ−９でカーソルの有った行は予定表の一番上の行に移動しており、その行の下方には入力用の文字が表示されている。また、メモ記入を行うメモ記入欄のカーソル（文字記入位置表示用カーソル）の他に、入力文字選択用のカーソルが入力用の文字「あ」の下側に表示されている。この「メモ」記入欄にメモ記入を行う方法は、前記「居住者状態メモ」記入欄にメモ記入を行う場合と同様である。
【０１２３】
図４０は前記図３９の状態で「メモ」入力を終了してカーソルを時刻表示欄の「１５：００」の位置に移動した状態を表示する表示画面Ｒ−１１の図である。
図４１は前記図４０の表示画面Ｒ−１１で入力キー配置部Ｒ１ｃの「行挿入」キーを入力した状態の表示画面の図である。
前記図４０において、「行挿入」キーを入力すると、図４１に示すようにカーソル行の上側に１行挿入される。
図４１において、前記「行挿入」キーの入力により挿入された行の時刻表示欄への時刻の入力が可能である。すなわち、挿入された行の時刻表示欄にカーソルを移動した状態（図４１参照）において、入力キー配置部Ｒ１ｃの「文字入力」キーを入力することにより、挿入された行の時刻表示欄への数値キーの入力が可能になる。
「文字入力」キーの入力時（図４６のＳＴ１３９参照）の制御処理（図４６のＳＴ１４０参照）のサブルーチンのフローチャートは図５１に示されている。また、図５１のフローチャートのＳＴ１７６に示された「時刻表示欄」の入力処理のサブルーチンのフローチャートは後述の図５６、図５７に示されている。
【０１２４】
図４２は前記図４１の表示画面Ｒ−１２で時刻表示欄に時刻を入力してから、カーソル位置を「メモ」記入欄に移動した状態を表示する表示画面Ｒ−１３の図である。
図４３は前記図４２の状態で入力キー配置部Ｒ１ｃの「文字入力」キーを入力した状態を表示する表示画面Ｒ−１４の図である。
この図４３の表示画面Ｒ−１４が表示された状態では、前記図３９のメモ入力用表示画面Ｒ−１０と同様にメモ入力を行うことが可能である。
なお、「文字入力」キーの入力時（図４６のＳＴ１３９参照）の制御処理（図４６のＳＴ１４０参照）のサブルーチンのフローチャートは図５１に示されている。また、図５１のフローチャートのＳＴ１７４に示された「メモ」入力処理のサブルーチンのフローチャートは図５４、図５５に示されている。
後述するフローチャートの説明から分かるが、本実施例１では、ルーム端末Ｒで入力できるのは、「作業状況」記入欄の「済」と、「居住者状態メモ」および「メモ」の記入欄と、行挿入された行の「時刻表示欄」のみである。「作業項目」および「作業内容」の記入欄には、ルーム端末Ｒでは記入不可能である。
すなわち、「作業項目」および「作業内容」と、前記「作業項目」に記載された作業を行う「時刻表示欄」の記入は、ルーム居住者管理サーバＳでのみ記入することができる。
【０１２５】
（実施例１のルーム端末Ｒのフローチャートの説明）
図４４は、ルーム端末Ｒの作業テーブル（予定表）の表示処理のフローチャートである。
図４４において、ルーム端末Ｒの作業テーブルの表示処理が開始されると、ＳＴ１１１において、前記ルーム端末Ｒの予定表表示欄Ｒ２ｄに初期表示画面Ｒ−１（図２参照）を表示する。そして、ＳＴ１１２に移る。
ＳＴ１１２において、前記ルーム端末Ｒの予定表表示欄Ｒ２ｄのＩＤ、ルーム番号ＲＮ、ベット番号ＢＮに入力が有りか否かを判断する。ノー（Ｎ）の場合はＳＴ１１４に移り、イエス（Ｙ）の場合はＳＴ１１３に移る。
ＳＴ１１３において、次の処理を行う。
（１）前記予定表表示欄Ｒ２ｄに入力した情報を一時記憶して、初期表示画面Ｒ−１に追加表示する。
（２）前記初期表示画面Ｒ−１に受信メッセージ（後述のＳＴ１２１参照）が追加表示されている場合は、表示中のメッセージを消去する。
そして、前記ＳＴ１１２に戻る。
【０１２６】
ＳＴ１１４において、前記ルーム端末Ｒの矢印キー（カーソル移動キー）が入力されたか否かを判断する。ノー（Ｎ）の場合はＳＴ１１６に移り、イエス（Ｙ）の場合はＳＴ１１５に移る。
ＳＴ１１５において、次の処理を行う。
（１）前記ＳＴ１１４で矢印キー（カーソル移動キー）が入力されるのに伴い、カーソル位置を移動する。
（２）前記初期表示画面Ｒ−１に受信メッセージ（後述のＳＴ１２１参照）が追加表示されている場合は、表示中のメッセージを消去する。
そして、前記ＳＴ１１２に戻る。
【０１２７】
ＳＴ１１６において、前記ルーム端末Ｒの「キャンセル」キーが入力されたか否かを判断する。ノー（Ｎ）の場合はＳＴ１１８に移り、イエス（Ｙ）の場合はＳＴ１１７に移る。
ＳＴ１１７において、前記ルーム端末Ｒの予定表表示欄Ｒ２ｄのカーソル位置の文字を消去する。そして、前記ＳＴ１１２に戻る。
ＳＴ１１８において、前記ルーム端末Ｒの予定表表示欄Ｒ２ｄに表示されたアイコン欄の中から「送信」が選択されたか否かを判断する。ノー（Ｎ）の場合は前記ＳＴ１１２に戻り、イエス（Ｙ）の場合は図４５（後述）のＳＴ１１９に移る。
【０１２８】
図４５は、前記図４４の続きのフローチャートである。
図４５のＳＴ１１９において、前記ルーム端末Ｒは、ＩＤ、ルーム番号ＲＮ、ベット番号ＢＮの入力値及び本日の年月日情報と共に作業予定表の送信要求をルーム居住者管理サーバＳに送信する。そして、ＳＴ１２０に移る。
ＳＴ１２０において、前記ルーム居住者管理サーバＳからのＩＤ不正メッセージを前記ルーム端末Ｒが受信したか否かを判断する。ノー（Ｎ）の場合はＳＴ１２２に移り、イエス（Ｙ）の場合はＳＴ１２１に移る。
ＳＴ１２１において、ＩＤが不正であることを表示画面Ｒ−１（図２参照）に追加表示する。そして、前記図４４のＳＴ１１２に戻る。
ＳＴ１２２において、前記ルーム端末Ｒが作業予定表のデータ無しというメッセージを前記ルーム居住者管理サーバＳより受信したか否かを判断する。ノー（Ｎ）の場合はＳＴ１２４に移り、イエス（Ｙ）の場合はＳＴ１２３に移る。
ＳＴ１２３において、前記ルーム端末Ｒは、前記ＳＴ１１９でルーム居住者管理サーバＳに送信したルーム番号ＲＮ、ベット番号ＢＮに対応する本日分の作業データが無いことを前記ルーム端末Ｒの表示画面Ｒ−１に追加表示する。そして、前記図４４のＳＴ１１２に戻る。
ＳＴ１２４において、前記ルーム端末Ｒが作業予定表のデータを前記ルーム居住者管理サーバＳより受信したか否かを判断する。ノー（Ｎ）の場合は前記ＳＴ１２０に戻り、イエス（Ｙ）の場合はＳＴ１２５に移る。
ＳＴ１２５において、次の処理を行う。
（１）前記ルーム端末Ｒが受信した作業予定表を一時記憶する。
（２）受信した作業予定表を前記ルーム端末Ｒの表示画面Ｒ−２（図３０参照）に表示する。
そして、図４６（後述）のＳＴ１３１に移る。
【０１２９】
図４６は、前記図４５の続きのフローチャートである。
図４６のＳＴ１３１において、前記ルーム端末Ｒの「矢印」キーが入力されたか否かを判断する。ノー（Ｎ）の場合はＳＴ１３３に移り、イエス（Ｙ）の場合はＳＴ１３２に移る。
ＳＴ１３２において、次の処理を行う。
（１）前記ＳＴ１３２で入力した「矢印」キーに応じてカーソル位置を移動する。
（２）前記カーソル位置に応じて画面をスクロールする。但し、左右方向のスクロールは「時刻」欄および「作業項目」欄以外のみスクロールする。
（３）前記ルーム端末Ｒに画面追加表示がある場合は追加表示を消去する。
そして、前記ＳＴ１３１に戻る
ＳＴ１３３において、前記ルーム端末Ｒの「前頁」キーが入力されたか否かを判断する。ノー（Ｎ）の場合はＳＴ１３５に移り、イエス（Ｙ）の場合はＳＴ１３４に移る。
ＳＴ１３４において、前記ルーム端末Ｒの「前頁」キー入力時の制御処理を行う。なお、前記「前頁」キー入力時の制御処理は、図４８のサブルーチンで後述する。そして、前記ＳＴ１３１に戻る。
【０１３０】
ＳＴ１３５において、前記ルーム端末Ｒの「次頁」キーが入力されたか否かを判断する。ノー（Ｎ）の場合はＳＴ１３７に移り、イエス（Ｙ）の場合はＳＴ１３６に移る。
ＳＴ１３６において、前記ルーム端末Ｒの「次頁」キー入力時の制御処理を行う。なお、前記「次頁」キー入力時の制御処理は、図４９のサブルーチンで後述する。そして、前記ＳＴ１３１に戻る。
ＳＴ１３７において、前記ルーム端末Ｒの「済」キーが入力されたか否かを判断する。ノー（Ｎ）の場合はＳＴ１３９に移り、イエス（Ｙ）の場合はＳＴ１３８に移る。
ＳＴ１３８において、前記ルーム端末Ｒの「済」キー入力時の制御処理を行う。なお、前記「済」キー入力時の制御処理は、図５０のサブルーチンで後述する。そして、前記ＳＴ１３１に戻る。
ＳＴ１３９において、前記ルーム端末Ｒの「文字入力」キーが入力されたか否かを判断する。ノー（Ｎ）の場合はＳＴ１４１に移り、イエス（Ｙ）の場合はＳＴ１４０に移る。
ＳＴ１４０において、前記ルーム端末Ｒの「文字入力」キー入力時の制御処理を行う。なお、前記「文字入力」キー入力時の制御処理は、図５１のサブルーチンで後述する。そして、前記ＳＴ１３１に戻る。
【０１３１】
ＳＴ１４１において、前記ルーム端末Ｒの「行挿入」キーが入力されたか否かを判断する。ノー（Ｎ）の場合はＳＴ１４３に移り、イエス（Ｙ）の場合はＳＴ１４２に移る。
ＳＴ１４２において、前記ルーム端末Ｒの「行挿入」キー入力時の制御処理を行う。すなわち、前記ルーム端末Ｒの表示画面Ｒ−１１のカーソル位置に１行挿入する。なお、前記「行挿入」キー入力時の制御処理の詳細な説明は省略する。そして、前記ＳＴ１３１に戻る。
ＳＴ１４３において、前記ルーム端末Ｒの「行削除」キーが入力されたか否かを判断する。ノー（Ｎ）の場合は図４７（後述）のＳＴ１４５に移り、イエス（Ｙ）の場合はＳＴ１４４に移る。
ＳＴ１４４において、前記ルーム端末Ｒの「行削除」キー入力時の制御処理を行う。すなわち、前記ルーム端末Ｒの表示画面Ｒ−２の現在時刻に対応したカーソル位置の１行を消去する。なお、前記「行削除」キー入力時の制御処理は、図５８のサブルーチンで後述する。そして、前記ＳＴ１３１に戻る。
【０１３２】
図４７は、前記図４６の続きのフローチャートである。
図４７のＳＴ１４５において、前記ルーム端末Ｒの「キャンセル」キーが入力されたか否かを判断する。ノー（Ｎ）の場合はＳＴ１４８に移り、イエス（Ｙ）の場合はＳＴ１４６に移る。
ＳＴ１４６において、前記ＳＴ１３８およびＳＴ１４２で入力されたデータが有りか否かを判断する。すなわち、前記ルーム端末Ｒの「済」キー、「行挿入」キーが入力されたか否かを判断する。ノー（Ｎ）の場合は前記４５のＳＴ１３１に戻り、イエス（Ｙ）の場合はＳＴ１４７に移る。
ＳＴ１４７において、入力データを消去する。そして、前記図４６のＳＴ１３１に戻る。
ＳＴ１４８において、前記ルーム端末Ｒの「送信」キーが入力されたか否かを判断する。ノー（Ｎ）の場合は前記４５のＳＴ１３１に戻り、イエス（Ｙ）の場合はＳＴ１４９に移る。
ＳＴ１４９において、前記ＳＴ１３８およびＳＴ１４２で入力されたデータが有りか否かを判断する。すなわち、前記ルーム端末Ｒの「済」キー、「行挿入」キーが入力されたか否かを判断する。ノー（Ｎ）の場合は前記４５のＳＴ１３１に戻り、イエス（Ｙ）の場合はＳＴ１５０に移る。
ＳＴ１５０において、次の処理を行う。
（１）前記ＳＴ１３８およびＳＴ１４２で入力されたデータを前記ルーム居住者管理サーバＳに送信する。
（２）前記ルーム端末Ｒに表示中の予定表を予定表表示欄Ｒ２ｄから削除して、前記ルーム端末Ｒの予定表表示欄Ｒ２ｄに初期画面を表示する。
そして、前記図４４のＳＴ１１１に戻る。
【０１３３】
図４８は、「前頁」キー入力時の制御処理のフローチャートであり、前記ＳＴ１３４のサブルーチンである。
図４８において、「前頁」キー入力時の制御処理が開始されると、ＳＴ１５１において、前記ルーム端末Ｒに現在表示中の予定表の前日の予定表は一時記憶済か否かを判断する。ノー（Ｎ）の場合はＳＴ１５３に移り、イエス（Ｙ）の場合はＳＴ１５２に移る。
ＳＴ１５２において、前記ルーム端末Ｒに現在表示中の作業予定表の前日の作業予定表を表示する。そして、前記図４６のＳＴ１３１に移る。
ＳＴ１５３において、前記ルーム端末Ｒの現在表示中の画面に入力されているＩＤ、ルーム番号ＲＮ、ベット番号ＢＮの入力値および現在表示中の作業予定表の年月日の前日の作業予定表の送信要求をサーバＳに送信する。ぞして、ＳＴ１５４に移る。
ＳＴ１５４において、ＩＤ不正メッセージを受信したか否かを判断する。ノー（Ｎ）の場合はＳＴ１５６に移り、イエス（Ｙ）の場合はＳＴ１５５に移る。
【０１３４】
ＳＴ１５５において、ＩＤが不正であることを前記ルーム端末Ｒの現在表示中の画面に追加表示する。そして、前記図４６のＳＴ１３１に移る。
ＳＴ１５６において、作業予定表のデータ無しメッセージを受信したか否かを判断する。ノー（Ｎ）の場合はＳＴ１５８に移り、イエス（Ｙ）の場合はＳＴ１５７に移る。
ＳＴ１５７において、前記ルーム居住者管理サーバＳに送信要求した日付に対応する作業予定表データが無いことを前記ルーム端末Ｒの現在表示中の画面に追加表示する。そして、前記図４６のＳＴ１３１に移る。
ＳＴ１５８において、前記ルーム端末Ｒが作業予定表のデータを受信したか否かを判断する。ノー（Ｎ）の場合は前記ＳＴ１５４に戻り、イエス（Ｙ）の場合はＳＴ１５９に移る。
ＳＴ１５９において、次の処理を行う。
（１）前記ルーム端末Ｒが受信した作業予定表のデータを一時記憶する。
（２）前記ルーム端末Ｒが受信した作業予定表を表示する。
そして、前記図４６のＳＴ１３１に移る。
【０１３５】
図４９は、「次頁」キー入力時の制御処理のフローチャートであり、前記ＳＴ１３６のサブルーチンである。
図４９において、前記図４８の各ステップ（ＳＴ）に対応する図４９の各ステップには同一ステップ番号にダッシュを付けている。前記図４８の各ステップに対応する図４９の各ステップの処理で同一の処理を行うステップについては説明を省略し、処理の異なるステップにのみ説明する。
ＳＴ１５１′において、前記ルーム端末Ｒに現在表示中の予定表の次の日の予定表は一時記憶済か否かを判断する。ノー（Ｎ）の場合はＳＴ１５３′に移り、イエス（Ｙ）の場合はＳＴ１５２′に移る。
ＳＴ１５２′において、前記ルーム端末Ｒに現在表示中の作業予定表の次の日の作業予定表を表示する。そして、前記図４６のＳＴ１３１に移る。
ＳＴ１５３′において、前記ルーム端末Ｒの現在表示中の画面に入力されているＩＤ、ルーム番号ＲＮ、ベット番号ＢＮの入力値および現在表示中の作業予定表の年月日の次の日の作業予定表の送信要求をサーバＳに送信する。ぞして、ＳＴ１５４′に移る。
【０１３６】
図５０は、「済」キー入力時の制御処理のフローチャートであり、前記ＳＴ１３８のサブルーチンである。
図５０において、「済」キー入力時の制御処理が開始されると、ＳＴ１６１において、前記ルーム端末Ｒのカーソル位置は「作業状況」記入欄か否かを判断する。ノー（Ｎ）の場合はＳＴ１６２に移り、イエス（Ｙ）の場合はＳＴ１６３に移る。
ＳＴ１６２において、前記ルーム端末Ｒの現在表示中のカーソル位置を前記カーソルが表示されている行の「作業状況」記入欄に移動する。そして、前記図４６のＳＴ１３１に移る。
ＳＴ１６３において、前記ルーム端末Ｒの「作業状況」記入欄に「済」を記入する。そして、ＳＴ１６４に移る。
ＳＴ１６４において、前記ルーム端末Ｒの「キャンセル」キーが入力されたか否かを判断する。ノー（Ｎ）の場合はＳＴ１６６に移り、イエス（Ｙ）の場合はＳＴ１６５に移る。
ＳＴ１６５において、前記ルーム端末Ｒの「作業状況」記入欄に「済」が記入されている場合は「済」を消去する。そして、前記図４６のＳＴ１３１に移る。
ＳＴ１６６において、前記ルーム端末Ｒの「確定」キーが入力されたか否かを判断する。ノー（Ｎ）の場合は前記ＳＴ１６４に移り、イエス（Ｙ）の場合は前記図４６のＳＴ１３１に戻る。
【０１３７】
図５１は、「文字入力」キー入力時の制御処理のフローチャートであり、前記ＳＴ１４０のサブルーチンである。
図５１において、「文字入力」キー入力時の制御処理が開始されると、ＳＴ１７１において、前記ルーム端末Ｒのカーソル位置は「居住者状態メモ」記入欄か否かを判断する。ノー（Ｎ）の場合はＳＴ１７３に移り、イエス（Ｙ）の場合はＳＴ１７２に移る。
ＳＴ１７２において、「居住者メモ」入力処理を行う。なお、前記「居住者メモ」入力処理は、図５２のサブルーチンで後述する。そして、前記図４６のＳＴ１３１に戻る。
ＳＴ１７３において、前記ルーム端末Ｒのカーソル位置が「メモ」記入欄か否かを判断する。ノー（Ｎ）の場合はＳＴ１７５に移り、イエス（Ｙ）の場合はＳＴ１７４に移る。
【０１３８】
ＳＴ１７４において、「メモ」入力処理を行う。なお、前記「メモ」入力処理は、図５４のサブルーチンで後述する。そして、前記図４６のＳＴ１３１に戻る。
ＳＴ１７５において、前記ルーム端末Ｒのカーソル位置は時刻表示欄か否かを判断する。ノー（Ｎ）の場合はＳＴ１７７に移り、イエス（Ｙ）の場合はＳＴ１７６に移る。
ＳＴ１７６において、「時刻表示」欄の入力処理を行う。なお、前記時刻表示欄の入力処理は、図５６のサブルーチンで後述する。そして、前記図４６のＳＴ１３１に戻る。
ＳＴ１７７において、（「居住者状態メモ」記入欄又は「メモ」記入欄以外はメモ入力できません。）を前記ルーム端末Ｒの現在表示画面に追加表示する。そして、前記図４６のＳＴ１３１に戻る。
【０１３９】
図５２は、「居住者状態メモ」入力処理のフローチャートであり、前記ＳＴ１７２のサブルーチンである。
図５２において、「居住者状態メモ」入力処理が開始されると、ＳＴ１８１において、次の処理を行う。
（１）前記ルーム端末Ｒのカーソルが表示されている行を表示中の予定表の上から一番目の行に表示する。
（２）前記ルーム端末Ｒの表示中の予定表の２行目以下の表示領域に入力用の文字を表示（図３２参照）し、表示した入力用文字の左上端の文字位置に、文字選択用カーソルを表示する。
そして、ＳＴ１８２に移る。
ＳＴ１８２において、前記ルーム端末Ｒの矢印キー「←」「→」「↑」「↓」が入力されたか否かを判断する。ノー（Ｎ）の場合はＳＴ１８４に移り、イエス（Ｙ）の場合はＳＴ１８３に移る。
ＳＴ１８３において、前記ＳＴ１８２で入力された矢印キーの入力に応じて文字選択用カーソルを移動する。そして、前記ＳＴ１８２に戻る。
【０１４０】
ＳＴ１８４において、前記ルーム端末Ｒの「文字選択」キー入力か否かを判断する。ノー（Ｎ）の場合はＳＴ１８６に移り、イエス（Ｙ）の場合はＳＴ１８５に移る。
ＳＴ１８５において、前記ルーム端末Ｒの文字選択用カーソル位置の文字を「居住者状態メモ」記入欄に記入する。なお、前記「居住者状態メモ」記入欄に記入した文字は未確定状態で記入される。そして、前記ＳＴ１８２に戻る。
ＳＴ１８６において、前記ルーム端末Ｒのスタイラスペンにより文字が選択されたか否かを判断する。ノー（Ｎ）の場合はＳＴ１８８に移り、イエス（Ｙ）の場合はＳＴ１８７に移る。
ＳＴ１８７において、前記ルーム端末Ｒのスタイラスペンにより選択された文字を「居住者状態メモ」記入欄に記入する。なお、前記ルーム端末Ｒのスタイラスペンにより選択された文字は、未確定状態で記入される。そして、前記ＳＴ１８２に戻る。
ＳＴ１８８において、前記ルーム端末Ｒの「変換」キーが入力されたか否かを判断する。ノー（Ｎ）の場合は図５３（後述）のＳＴ１９１に移り、イエス（Ｙ）の場合はＳＴ１８９に移る。
ＳＴ１８９において、前記ルーム端末Ｒの「居住者状態メモ」記入欄に未確定文字が有るか否かを判断する。ノー（Ｎ）の場合は前記ＳＴ１８２に戻り、イエス（Ｙ）の場合はＳＴ１９０に移る。
ＳＴ１９０において、前記「居住者状態メモ」記入欄の未確定文字をカナ漢字変換する。なお、前記「居住者状態メモ」記入欄の未確定文字は、未確定状態でカナ漢字変換される。そして、前記ＳＴ１８２に戻る。
【０１４１】
図５３は、前記図５２の続きのフローチャートである。
図５３のＳＴ１９１において、前記ルーム端末Ｒの「キャンセル」キーが入力されたか否かを判断する。ノー（Ｎ）の場合はＳＴ１９５に移り、イエス（Ｙ）の場合はＳＴ１９２に移る。
ＳＴ１９２において、前記ルーム端末Ｒの「居住者状態メモ」記入欄に記入されている文字が有るか否かを判断する。ノー（Ｎ）の場合はＳＴ１９４に移り、イエス（Ｙ）の場合はＳＴ１９３に移る。
ＳＴ１９３において、前記「居住者状態メモ」記入欄に記入されている文字の最後の文字消去する。そして、前記図５２のＳＴ１８２に戻る。
ＳＴ１９４において、次の処理を行う。
（１）前記ルーム端末Ｒの表示中の入力用文字（図３６参照）を消去する。
（２）前記ルーム端末Ｒの「文字入力」キーが入力された時（ＳＴ１３９参照）に表示されていた画面（図３４参照）を表示する。
そして、前記４５のＳＴ１３１に戻る。
【０１４２】
ＳＴ１９５において、前記ルーム端末Ｒの「確定」キーが入力されたか否かを判断する。ノー（Ｎ）の場合は前記図５２のＳＴ１８２に戻り、イエス（Ｙ）の場合はＳＴ１９６に移る。
ＳＴ１９６において、前記ルーム端末Ｒの「居住者状態メモ」記入欄に記入されている未確定文字が有るか否かを判断する。ノー（Ｎ）の場合はＳＴ１９８に移り、イエス（Ｙ）の場合はＳＴ１９７に移る。
ＳＴ１９７において、前記「居住者状態メモ」記入欄に記入されている未確定文字を確定する。そして、前記図５２のＳＴ１８２に戻る。
ＳＴ１９８において、次の処理を行う。
（１）前記ルーム端末Ｒに表示中の入力用文字（図３６参照）を消去する。
（２）前記ルーム端末Ｒの「文字入力」キーが入力された時（ＳＴ１３９参照）に表示されていた画面（予定表）の「居住者状態メモ」記入欄にメモ入力された予定表（図３７参照）を表示する。
そして、図４６のＳＴ１３１に戻る。
【０１４３】
図５４は、「メモ」入力処理のフローチャートであり、前記ＳＴ１７４のサブルーチンである。
図５４において、前記図５２の各ステップ（ＳＴ）に対応する図５４の各ステップには同一ステップ番号にダッシュを付けている。前記図５２の各ステップに対応する図５４の各ステップの処理で同一の処理を行うステップについては説明を省略し、処理の異なるステップにのみ説明する。
図５４のＳＴ１８１′において、次の処理を行う。
（１）前記ルーム端末Ｒのカーソルが表示されている行を表示中の予定表の上から一番目の行に表示（図３８参照）する。
（２）前記ルーム端末Ｒの表示中の予定表の２行目以下の表示領域に入力用の文字を表示（図３９参照）し、表示した入力用文字の左上端の文字位置に、文字選択用カーソルを表示する。
そして、ＳＴ１８２′に移る。
ＳＴ１８５′において、前記ルーム端末Ｒの文字選択用カーソル位置の文字を「メモ」記入欄に記入する。なお、前記「メモ」記入欄に記入した文字は未確定状態で記入される。そして、前記ＳＴ１８２′に戻る。
ＳＴ１８７′において、前記ルーム端末Ｒのスタイラスペンにより選択された文字を「メモ」記入欄に記入する。なお、前記ルーム端末Ｒのスタイラスペンにより選択された文字は、未確定状態で記入される。そして、前記ＳＴ１８２′に戻る。
ＳＴ１８９′において、前記ルーム端末Ｒの「メモ」記入欄に未確定文字が有るか否かを判断する。ノー（Ｎ）の場合は前記ＳＴ１８２′に戻り、イエス（Ｙ）の場合はＳＴ１９０′に移る。
【０１４４】
図５５は、前記図５４の続きのフローチャートである。
図５５において、前記図５３の各ステップ（ＳＴ）に対応する図５５の各ステップには同一ステップ番号にダッシュを付けている。前記図５３の各ステップに対応する図５５の各ステップの処理で同一の処理を行うステップについては説明を省略し、処理の異なるステップにのみ説明する。
図５５のＳＴ１９２′において、前記ルーム端末Ｒの「メモ」記入欄に記入されている文字が有るか否かを判断する。ノー（Ｎ）の場合はＳＴ１９４′に移り、イエス（Ｙ）の場合はＳＴ１９３′に移る。
ＳＴ１９４′において、次の処理を行う。
（１）前記ルーム端末Ｒの表示中の入力用文字（図３９参照）を消去する。
（２）前記ルーム端末Ｒの「文字入力」キーが入力された時（ＳＴ１３９参照）に表示されていた画面（図３８参照）を表示する。
そして、前記４５のＳＴ１３１に戻る。
ＳＴ１９６′において、前記ルーム端末Ｒの「メモ」記入欄に記入されている未確定文字が有るか否かを判断する。ノー（Ｎ）の場合はＳＴ１９８′に移り、イエス（Ｙ）の場合はＳＴ１９７′に移る。
ＳＴ１９８′において、次の処理を行う。
（１）前記ルーム端末Ｒに表示中の入力用文字（図３９参照）を消去する。
（２）前記ルーム端末Ｒの「文字入力」キーが入力された時（ＳＴ１３９参照）に表示されていた画面（予定表）の「メモ」記入欄にメモ入力された予定表を表示する。
そして、図４６のＳＴ１３１に戻る。
【０１４５】
図５６は、「時刻表示欄」の表示時刻入力処理のフローチャートであり、前記ＳＴ１７６のサブルーチンである。
図５６において、「時刻表示欄」の表示時刻入力処理が開始されるとＳＴ１８０において、前記ルーム端末Ｒのカーソルが表示されている行の「作業項目」記入欄に記入データが無しか否かを判断する。ノー（Ｎ）の場合はＳＴ１８０−１に移り、イエス（Ｙ）の場合はＳＴ１８１″に移る。
ＳＴ１８０−１において、前記ルーム端末Ｒの現在表示画面に（「行挿入」により挿入された行以外は時刻入力不能です）を表示する。そして、前記図４６のＳＴ１３１に戻る。
ＳＴ１８１″において、次の処理を行う。
（１）予定表のカーソルが表示されている行を表示中の予定表の上から１番目の行に表示する。
（２）時刻表示欄に数字入力位置表示用カーソルを表示（図４０参照）する。
そして、ＳＴ１８２″に移る。
ＳＴ１８２″において、前記ルーム端末Ｒの矢印キー「←」、「→」が入力されたか否かを判断する。ノー（Ｎ）の場合はＳＴ１８４″に移り、イエス（Ｙ）の場合はＳＴ１８３″に移る。
【０１４６】
ＳＴ１８３″において、前記予定表の時刻表示欄中で文字入力位置表示用カーソルを前記ＳＴ１８２″の入力に応じて移動（時刻欄の右端より右には移動しない）する。そして、前記ＳＴ１８２″に戻る。
ＳＴ１８４″において、前記ルーム端末Ｒの「数値」キーが入力または、スタイラスペンＰ１１により数字が選択されたか否かを判断する。ノー（Ｎ）の場合は図５７（後述）のＳＴ１９１″に移り、イエス（Ｙ）の場合はＳＴ１８５″に移る。
ＳＴ１８５″において、次の処理を行う。
（１）前記ＳＴ１８４″で入力された数字を前記時刻表示欄のカーソル位置に記入する。
（２）前記カーソル位置を右に移動する。なお、前記時刻表示欄の右端より右には移動しない。
そして、前記ＳＴ１８２″に戻る。
【０１４７】
図５７は、前記図５６の続きのフローチャートである。
ＳＴ１９１″において、前記ルーム端末Ｒの「キャンセル」キーが入力されたか否かを判断する。ノー（Ｎ）の場合はＳＴ１９５″に移り、イエス（Ｙ）の場合はＳＴ１９２″に移る。
ＳＴ１９２″において、前記予定表の時刻表示欄に記入されている数字が有るか否かを判断する。ノー（Ｎ）の場合はＳＴ１９４″に移り、イエス（Ｙ）の場合はＳＴ１９３″に移る。
ＳＴ１９３″において、前記予定表の時刻表示欄に記入されている最後の数字を消去する。そして、前記図５６のＳＴ１８２″に戻る。
ＳＴ１９４″において、前記ルーム端末Ｒの「文字入力」キーが入力されたとき（ＳＴ１３９参照）に表示されていた画面を表示する。そして、前記図４６のＳＴ１３１に戻る。
ＳＴ１９５″において、前記ルーム端末Ｒの「確定」キーが入力されたか否かを判断する。ノー（Ｎ）の場合は前記図５６のＳＴ１８２″に戻り、イエス（Ｙ）の場合はＳＴ１９６″に移る。
ＳＴ１９６″において、記入された時刻は存在するか否かを判断する。ノー（Ｎ）の場合はＳＴ１９７″に戻り、イエス（Ｙ）の場合はＳＴ１９８″に移る。
ＳＴ１９７″において、前記ルーム端末Ｒの現在表示画面に（時刻を正しく入力して下さい）を表示する。そして、前記図５６のＳＴ１８２″に戻る。
ＳＴ１９８″において、時刻が記入された行（前記ルーム端末Ｒの「行挿入」キーの選択により挿入された行）を正しい位置（時刻順）に移動した予定表を表示する。そして、前記図４６のＳＴ１３１に戻る。
【０１４８】
図５８は、「行削除」キー入力時の制御処理のフローチャートであり、前記ＳＴ１４４のサブルーチンである。
図５８において、前記「行削除」キー入力時の制御処理が開始されるとＳＴ１９９において、前記予定表のカーソルが表示されている行は、前記ＳＴ１４２で「行挿入」により作成した行（項目欄に記載の無い行）か否かを判断する。ノー（Ｎ）の場合はＳＴ２００に移り、イエス（Ｙ）の場合はＳＴ２０１に移る。
ＳＴ２００において、前記ルーム端末Ｒの現在表示画面に（削除不可能な行です）を表示する。そして、前記図４６のＳＴ１３１に戻る。
ＳＴ２０１において、次の処理を行う。
（１）前記予定表のカーソルが表示されている行を削除する。
（２）削除した行の次の行にカーソルを表示（次の行が無い場合は前の行にカーソルを表示）する。
そして、前記図４６のＳＴ１３１に戻る。
【０１４９】
図５９は、予定表自動消去制御処理のフローチャートであり、ルーム端末のメインルーチン２である。
図５９において、予定表自動消去制御処理が開始されるとＳＴ２０２において、前記ルーム端末Ｒに入力が有りか否かを判断する。ノー（Ｎ）の場合は前記ＳＴ２０２を繰り返し実行し、イエス（Ｙ）の場合はＳＴ２０３に移る。
ＳＴ２０３において、タイマＴＭに３分セットする。そして、ＳＴ２０４に移る。
ＳＴ２０４において、前記ルーム端末Ｒに入力が有りか否かを判断する。ノー（Ｎ）の場合はＳＴ２０５に移り、イエス（Ｙ）の場合は前記ＳＴ２０３に戻る。
ＳＴ２０５において、タイマＴＭはタイムアップか否かを判断する。ノー（Ｎ）の場合は前記ＳＴ２１３に戻り、イエス（Ｙ）の場合はＳＴ２０６に移る。
ＳＴ２０６において、前記ルーム端末Ｒに表示中の画面は初期表示画面（図２参照）か否かを判断する。ノー（Ｎ）の場合はＳＴ２０７に移り、イエス（Ｙ）の場合は前記ＳＴ２０２に戻る。
ＳＴ２０７において、前記ルーム端末Ｒに初期表示画面（図２参照）を表示する。そして、前記ＳＴ２０２に戻る。
【０１５０】
図６０は、ルーム番号ＲＮ＝ｎのルーム端末Ｒの入居者管理用ランプの点灯制御処理のフローチャートであり、ルーム端末Ｒのメインルーチン３である。
図６０において、ルーム番号ＲＮ＝ｎのルーム端末Ｒの入居者管理用ランプの点灯制御処理が開始されるとＳＴ２０８において、ルーム番号ＲＮ＝ｎの入居者用管理ランプの点灯フラグＦｇ，Ｆｒ，Ｆｙを受信したか否かを判断する。ノー（Ｎ）の場合は前記ＳＴ２０８を繰り返し実行し、イエス（Ｙ）の場合はＳＴ２０９に移る。
ＳＴ２０９において、前記点灯フラグＦｇ，Ｆｒ，Ｆｙの値に応じて入居者用管理ランプを点灯または消灯する。そして、前記ＳＴ２０８に戻る。
【０１５１】
（無線端末Ｐ）
図６１は前記図３の表示画面Ｐ−１で「文字入力」キーが入力された時または「文字入力」アイコンが選択された場合（図７５のＳＴ２１１−１参照）に、後述の図７５のフローチャートのＳＴ２１１−２で表示される表示画面Ｐ−２の図である。
「文字入力」キーの入力時または「文字入力」アイコンの選択時（図７５のＳＴ２１１−１参照）には、無線端末Ｐの可変表示部材Ｐａの中央部に、入力用の文字が表示される。また、ＩＤ記入欄に、文字記入位置表示用カーソルが表示されるとともに、入力文字選択用のカーソルが入力用の文字「あ」の下側に表示されている。
この図６１の表示画面Ｐ−２では、矢印キー（カーソル移動キー）Ｐ１〜Ｐ４により、入力文字選択用のカーソルが移動する。そして、カーソルが所望の文字の下側に移動した状態で「文字選択」キーＰ７を入力することにより、文字記入位置表示用カーソル（ＩＤ記入欄参照）位置に文字を入力することができる。
前記作業者のＩＤと、ＲＮ（ルームナンバー）と、ＢＮ（ベッドナンバー）とを入力してから送信キーＰ１０を入力すると、情報要求信号がルーム居住者管理サーバＳに送信される。
なお、表示された入力用の文字を選択する方法としては、前述のように入力文字選択用のカーソルを矢印キー（カーソル移動キー）Ｐ１〜Ｐ４により移動させてから「文字選択」キーを入力する代わりに、スタイラスペンＰ１１により入力用の文字を選択することができる。
【０１５２】
前記ＩＤと、ＲＮ（ルームナンバー）と、ＢＮ（ベッドナンバー）とを正確に入力して送信すると、ＲＮ（ルームナンバー）とＢＮ（ベッドナンバー）に対応して定まるルーム居住者の作業関連情報がルーム居住者管理サーバＳから送信される。前記送信された作業関連情報を受信すると、前記入力用の文字が自動的に消去されると同時に受信した作業関連情報が作業予定表の形式で可変表示部材Ｐａに表示される。
図６２は前記図６１の表示画面Ｐ−２でＩＤ，ＲＮ，ＢＮ等が正しく入力された場合に、後述の図７６のフローチャートのＳＴ２２５で表示される表示画面Ｐ−３の図である。
図６２に表示された作業予定表に表示される情報は、現在時刻表示欄に表示される時刻（６：５０）以外は、ルーム居住者管理サーバＳで作成された情報である。図６２においてカーソル位置は時刻表示欄に有る。
【０１５３】
図６３は前記図６２の表示画面Ｐ−３の状態から、７：００の「おむつ交換」、８：３０の「朝食」、「１２：００」の「昼食」の作業が終了して、「作業状況」記入欄に「済」を記入した状態を表示する表示画面Ｐ−４の図である。
図６３において、前記カーソルが「作業状況」欄にある場合、可変表示部材Ｐａの下端部に表示された「済」アイコンをワンタッチ入力することにより、作業状況記入欄に「済」を記入することができる。この作業状況記入欄に「済」が入力されると、「済」が記入されている行の作業項目の作業（「おむつ交換」、「朝食」および「昼食」）が済んだことを意味している。この作業記入欄に入力した「済」という入力情報は、後述する図７８のフローチャートのＳＴ２５０の処理によりルーム居住者管理サーバＳに送信される。
図６４は前記図６３の表示画面Ｐ−４の状態で、カーソル位置を「作業状況」の記入欄の右側の「居住者状態メモ」の記入欄に移動させた状態を表示する表示画面Ｐ−５の図である。
前記図６３の表示画面Ｐ−４では、「作業項目」欄の右側には、順次、「作業内容」、「作業状況」の欄が表示されているが、その表示の右端の「作業状況」の欄からさらに右側にカーソルを移動させると、図６４の表示画面Ｐ−５に示すように、前記「作業内容」、「作業状況」欄が消去されて、「居住者状態メモ」が左側に移動し、「作業項目」の欄の右側に「居住者状態メモ」欄が表示される。
【０１５４】
図６５は前記図６４の表示画面Ｐ−５の状態（カーソル位置が「居住者状態メモ」の記入欄に移動した状態）で「文字入力」キーを入力した状態を示す居住者状態メモ入力用表示画面Ｐ−６の図である。
「文字入力」キーの入力時または「文字入力」アイコン選択時（図７７のＳＴ２３９参照）の制御処理（図７７のＳＴ２４０参照）のサブルーチンのフローチャートは図８２に示されている。また、図８２のフローチャートのＳＴ２７２に示された「居住者状態メモ」入力処理のサブルーチンのフローチャートは図８３、図８４に示されている。
図６５において、前記図６４の表示画面Ｐ−５でカーソルの有った行は予定表の一番上の行に移動しており、その行の下方（可変表示部材Ｐａの中央部）には入力用の文字が表示されている。また、メモ記入を行う居住者状態メモ記入欄のカーソル（文字記入位置表示用カーソル）の他に、入力文字選択用のカーソルが入力用の文字「あ」の下側に表示されている。
【０１５５】
この図６５の表示画面Ｐ−６では、矢印キー（カーソル移動キー）により、入力文字選択用のカーソルが移動する。そして、カーソルが所望の文字の下側に移動した状態で「文字選択」キーを入力することにより、前記居住者状態メモ記入欄のカーソル（文字記入位置表示用カーソル）位置に文字を入力することができる。このとき入力された文字は確定されていないので、適当数の文字を前記居住者状態メモ記入欄のカーソル（文字記入位置表示用カーソル）位置に入力してから、「変換」キーまたは「確定」キーを入力することにより、居住者状態メモ記入欄にメモ文章を記入することができる。
なお、表示された入力用の文字を選択する方法としては、前述のように入力文字選択用のカーソルを移動させてから「文字選択」キーを入力する代わりに、スタイラスペンＰ１１により入力用の文字を選択することができる。また、入力された文字を確定する際に、スタイラスペンＰ１１により「変換」アイコンまたは「確定」アイコンを選択して居住者状態メモ記入欄にメモ文章を記入することができる。
【０１５６】
図６６は前記図６５の表示画面Ｐ−６の状態で、「居住者状態メモ」記入欄にメモ文章「１／３残した」を記入した状態を表示する表示画面Ｐ−７の図である。
図６６の状態で居住者状態メモ記入欄に記入したメモ文章「１／３残した」を「確定」キーにより確定された状態で、もう１度「確定キー」入力すると、前記入力用の文字が消去されて、図６７の表示画面Ｐ−８の状態となる。
図６７は前記図６６の表示画面Ｐ−７の状態で、「居住者状態メモ」記入欄にメモ文章「１／３残した」の記入を完了した状態の表示画面Ｐ−８の図である。
図６８は前記図６７の表示画面Ｐ−８の状態で、カーソルを「居住者状態メモ」の記入欄から左に移動して、可変表示部材Ｐａに「作業内容」および「作業状況」を表示させた状態を表示する表示画面Ｐ−９の図である。
図６９は前記図６８の表示画面Ｐ−９の状態から、「おむつ交換」の「作業状況」記入欄に「済」を記入してから、カーソルを「時刻表示欄」の「１５：００」の位置に移動させた状態を表示する表示画面Ｐ−１０の図である。
【０１５７】
図７０は前記図６９の表示画面Ｐ−１０で「行挿入」キーを入力した状態または「行挿入」アイコンを選択した状態の表示画面Ｐ−１１の図である。
前記図６９において、「行挿入」キーを入力すると、図７０に示すようにカーソル行の上側に１行挿入される。
図７０において、前記「行挿入」キーの入力により挿入された行の時刻表示欄への時刻の入力が可能である。すなわち、挿入された行の時刻表示欄にカーソルを移動した状態（図７０の表示画面Ｐ−１１参照）において、「文字入力」キーを入力することにより、挿入された行の時刻表示欄への数値キーの入力が可能になる。
「文字入力」キーの入力時（図７７のＳＴ２３９参照）の制御処理（図７７のＳＴ２４０参照）のサブルーチンのフローチャートは図８２に示されている。また、図８２のフローチャートのＳＴ２７６に示された「時刻表示欄」の入力処理のサブルーチンのフローチャートは図８７、図８８に示されている。
図７１は前記図７０の表示画面Ｐ−１１において「文字入力」アイコンを選択したときに表示される表示画面Ｐ−１２の図である。
図７２は前記図７１の表示画面Ｐ−１２においてスタイラスペンＰ１１により数字を選択入力して時刻表示欄に時刻を入力したときに表示される表示画面Ｐ−１３の図である。
【０１５８】
図７３は「時刻表示」欄の時刻入力を完了した状態の表示画面Ｐ−１４の図である。
図７４は前記図７３の状態でカーソル位置を「作業状況」の記入欄の右側に設けられている「居住者状態メモ」欄のさらに右側の「メモ」欄に移動した状態を表示する表示画面Ｐ−１５の図である。
図７４において、「文字入力」キーの入力または「文字選択」アイコンの選択をすることにより、図６６、図６７の前記「居住者状態メモ」の場合と同様に可変表示部材Ｐａに入力用文字を表示することができる（図示省略）。前記入力文字を表示した状態で、前記「居住者状態メモ」入力時と同様にして「メモ」記入欄にメモ文章を記入することができる。
【０１５９】
（無線端末のフローチャート）
図７５は、無線端末Ｐの作業テーブルの表示処理のフローチャートである。
図７５において、無線端末Ｐの作業テーブルの表示処理が開始されると、ＳＴ２１１において、前記無線端末Ｐの可変表示部材Ｐａに初期表示画面（図３参照）を表示する。そして、ＳＴ２１１−１に移る。
ＳＴ２１１−１において、前記無線端末Ｐの「文字入力」が選択されたか否かを判断する。ノー（Ｎ）の場合はＳＴ２１２に移り、イエス（Ｙ）の場合はＳＴ２１１−２に移る。
ＳＴ２１１−２において、前記無線端末Ｐの初期表示画面Ｐ−１（図３参照）に入力文字表を追加表示（表示画面Ｐ−２表示）（図６１参照）する。そして、前記ＳＴ２１１−１に戻る。
ＳＴ２１２において、前記無線端末Ｐの可変表示部材ＰａのＩＤ、ルーム番号ＲＮ、ベット番号ＢＮに入力が有りか否かを判断する。ノー（Ｎ）の場合はＳＴ２１４に移り、イエス（Ｙ）の場合はＳＴ２１３に移る。
ＳＴ２１３において、次の処理を行う。
（１）前記可変表示部材Ｐａに入力した情報を一時記憶して、初期表示画面Ｐ−２に追加表示する。
（２）前記初期表示画面Ｐ−２に受信メッセージ（後述のＳＴ２２１参照）が追加表示されている場合は、表示中のメッセージを消去する。
そして、前記ＳＴ２１１−１に戻る。
ＳＴ２１４において、前記ルーム端末Ｒの矢印キー（カーソル移動キー）が入力されたか否かを判断する。ノー（Ｎ）の場合はＳＴ２１６に移り、イエス（Ｙ）の場合はＳＴ２１５に移る。
【０１６０】
ＳＴ２１５において、次の処理を行う。
（１）前記ＳＴ２１４で入力された矢印キー（カーソル移動キー）に伴い、カーソル位置を移動する。
（２）前記初期表示画面Ｐ−２に受信メッセージ（後述のＳＴ２２１参照）が追加表示されている場合は、表示中のメッセージを消去する。
そして、前記ＳＴ２１１−１に戻る。
ＳＴ２１６において、前記無線端末Ｐの「キャンセル」キーが入力されたか否かを判断する。ノー（Ｎ）の場合はＳＴ２１８に移り、イエス（Ｙ）の場合はＳＴ２１７に移る。
ＳＴ２１７において、前記無線端末Ｐの可変表示部材Ｐａのカーソル位置の文字を消去する。そして、前記ＳＴ２１１−１に戻る。
ＳＴ２１８において、前記無線端末Ｐの「送信」が選択されたか否かを判断する。ノー（Ｎ）の場合は前記ＳＴ２１１−１に戻り、イエス（Ｙ）の場合は図７６（後述）のＳＴ２１９に移る。
【０１６１】
図７６は、前記図７５の続きのフローチャートである。
図７６のＳＴ２１９において、前記無線端末Ｐに入力したＩＤ、ルーム番号ＲＮ、ベット番号ＢＮの入力値と共に作業予定表の送信要求を前記ルーム居住者管理サーバＳに送信する。そして、ＳＴ２１９に移る。
ＳＴ２２０において、前記無線端末ＰがＩＤ不正メッセージを受信したか否かを判断する。ノー（Ｎ）の場合はＳＴ２２２移り、イエス（Ｙ）の場合はＳＴ２２１に移る。
ＳＴ２２１において、前記無線端末Ｐの表示画面Ｐ−２（図６１参照）にＩＤが不正であることを追加表示する。そして、前記図７５のＳＴ２１１−１に戻る。
ＳＴ２２２において、前記無線端末Ｐが作業予定表のデータ無メッセージを受信したか否かを判断する。ノー（Ｎ）の場合はＳＴ２２４移り、イエス（Ｙ）の場合はＳＴ２２３に移る。
【０１６２】
ＳＴ２２３において、前記無線端末Ｐが送信したルーム番号ＲＮ、ベット番号ＢＮに対応する本日分の作業予定表データが無いことを表示画面Ｐ−２（図６１参照）に追加表示する。そして、前記図７５のＳＴ２１１−１に戻る。
ＳＴ２２４において、前記無線端末Ｐが作業予定表のデータを受信したか否かを判断する。ノー（Ｎ）の場合は前記ＳＴ２２０に戻り、イエス（Ｙ）の場合はＳＴ２２５に移る。
ＳＴ２２５において、次の処理を行う。
（１） 前記無線端末Ｐが受信した作業予定表を一時記憶する。
（２） 前記無線端末Ｐの可変表示部材Ｐａに表示された文字入力表（図６１の表示画面Ｐ−２参照）を前記可変表示部材Ｐａより消去する。
（３） 前記無線端末Ｐが受信した作業予定表｛表示画面Ｐ−３（図６２参照）｝を前記可変表示部材Ｐａに表示する。
そして、図７７（後述）のＳＴ２３１に移る。
【０１６３】
図７７は、前記図７６の続きのフローチャートである。
図７７において、前記図４６の各ステップ（ＳＴ）番号の百の位の数字は１であるが、前記図４６に対応する図７７の各ステップ番号には百の位の数字に２を付けている。前記図４６の各ステップに対応する図７７の各ステップの処理で同一の処理を行うステップについては説明を省略する。
ＳＴ２３３において、前記無線端末Ｐの「前頁」アイコンが選択されたか否かを判断する。ノー（Ｎ）の場合はＳＴ２３５に移り、イエス（Ｙ）の場合はＳＴ２３４に移る。
ＳＴ２３５において、前記無線端末Ｐの「次頁」アイコンが選択されたか否かを判断する。ノー（Ｎ）の場合はＳＴ２３７に移り、イエス（Ｙ）の場合はＳＴ２３６に移る。
ＳＴ２３７において、前記無線端末Ｐの「済」アイコンが選択されたか否かを判断する。ノー（Ｎ）の場合はＳＴ２３９に移り、イエス（Ｙ）の場合はＳＴ２３８に移る。
ＳＴ２３９において、前記無線端末Ｐの「文字入力」キー入力または「文字入力」アイコンが選択されたか否かを判断する。ノー（Ｎ）の場合はＳＴ２３７に移り、イエス（Ｙ）の場合はＳＴ２３６に移る。
ＳＴ２４１において、前記無線端末Ｐの「行挿入」アイコンが選択されたか否かを判断する。ノー（Ｎ）の場合はＳＴ２４３に移り、イエス（Ｙ）の場合はＳＴ２４２に移る。
ＳＴ２４３において、前記無線端末Ｐの「行削除」アイコンが選択されたか否かを判断する。ノー（Ｎ）の場合は図７８（後述）のＳＴ２４５に移り、イエス（Ｙ）の場合はＳＴ２４４に移る。
【０１６４】
図７８は、前記図７７の続きのフローチャートである。
図７８のＳＴ２４５において、前記無線端末Ｐの「キャンセル」キーが入力されたか否かを判断する。ノー（Ｎ）の場合はＳＴ２４８に移り、イエス（Ｙ）の場合はＳＴ２４６に移る。
ＳＴ２４６において、前記図７７のＳＴ２３８およびＳＴ２４２で入力されたデータが有りか否かを判断する。ノー（Ｎ）の場合は前記図７７のＳＴ２３１に戻り、イエス（Ｙ）の場合はＳＴ２４７に移る。
ＳＴ２４７において、前記図７７のＳＴ２３８およびＳＴ２４２で入力されたデータで入力されたデータを消去する。そして、前記図７７のＳＴ２３１に戻る。
ＳＴ２４８において、前記無線端末Ｐの「確定」キーが入力されたか否かを判断する。ノー（Ｎ）の場合は前記図７７のＳＴ２３１に戻り、イエス（Ｙ）の場合はＳＴ２４９に移る。
ＳＴ２４９において、前記図７７のＳＴ２３８およびＳＴ２４２で入力されたデータが有りか否かを判断する。ノー（Ｎ）の場合は前記図７７のＳＴ２３１に戻り、イエス（Ｙ）の場合はＳＴ２５０に移る。
ＳＴ２５０において、前記無線端末Ｐの入力データをルーム居住者管理サーバＳに送信する。そして、前記図７５のＳＴ２１１に戻る。
【０１６５】
図７９は、無線端末の「前頁」選択時の制御処理のフローチャートであり、前記ＳＴ２３４のサブルーチンである。
図７９において、前記図４８の各ステップ（ＳＴ）番号の百の位の数字は１であるが、前記図４８に対応する図７９の各ステップ番号には百の位の数字に２を付けている。図７９の各ステップの処理は、図７９の各ステップに対応する前記図４８の各ステップと同一の処理を行うため説明を省略する。
【０１６６】
図８０は、無線端末の「次頁」選択時の制御処理のフローチャートであり、前記ＳＴ２３６のサブルーチンである。
図８０において、前記図４９の各ステップ（ＳＴ）番号の百の位の数字は１であるが、前記図４９に対応する図８０の各ステップ番号には百の位の数字に２を付けている。図８０の各ステップの処理は、図８０の各ステップに対応する前記図４９の各ステップと同一の処理を行うため説明を省略する。
【０１６７】
図８１は、無線端末の「済」アイコン選択時の制御処理のフローチャートであり、前記ＳＴ２３８のサブルーチンである。
図８１において、前記図５０の各ステップ（ＳＴ）番号の百の位の数字は１であるが、前記図５０に対応する図８１の各ステップ番号には百の位の数字に２を付けている。図８１の各ステップの処理は、図８１の各ステップに対応する前記図５０の各ステップと同一の処理を行うため説明を省略する。
【０１６８】
図８２は、無線端末の「文字入力」選択時の制御処理のフローチャートであり、前記ＳＴ２４０のサブルーチンである。
図８２において、前記図５１の各ステップ（ＳＴ）番号の百の位の数字は１であるが、前記図５１に対応する図８２の各ステップ番号には百の位の数字に２を付けている。図８２の各ステップの処理は、図８２の各ステップに対応する前記図５１の各ステップと同一の処理を行うため説明を省略する。
【０１６９】
図８３は、無線端末の「居住者状態メモ」入力処理のフローチャートであり、前記図８２のＳＴ２７２のサブルーチンである。
図８３において、前記図５２の各ステップ（ＳＴ）番号の百の位の数字は１であるが、前記図５２に対応する図８３の各ステップ番号には百の位の数字に２を付けている。前記図５２の各ステップに対応する図８３の各ステップの処理で同一の処理を行うステップについては説明を省略する。
ＳＴ２８１において、次の処理を行う。
（１） 前記無線端末Ｐのカーソルが表示されている行を表示中の予定表の上から１番目の行に表示する。
（２） 前記表示中の予定表の２行目以下の表示領域に入力用文字を表示（図６５参照）し、表示した入力用文字の左上端の文字位置に、文字選択用カーソルを表示する。
そして、ＳＴ２８２に移る。
ＳＴ２８８において、前記無線端末Ｐの「変換」キー又は「変換」アイコンが入力されたか否かを判断する。ノー（Ｎ）の場合は図８４（後述）のＳＴ２９１に移り、イエス（Ｙ）の場合はＳＴ２８９に移る。
【０１７０】
図８４は、前記図８３の続きのフローチャートである。
図８４において、前記図５３の各ステップ（ＳＴ）番号の百の位の数字は１であるが、前記図５３に対応する図８４の各ステップ番号には百の位の数字に２を付けている。前記図５３の各ステップに対応する図８４の各ステップの処理で同一の処理を行うステップについては説明を省略する。
ＳＴ２９４において、次の処理を行う。
（１）前記無線端末Ｐに表示中の入力用文字（図６５参照）を消去する。
（２）前記無線端末Ｐの「文字入力」キーが入力または「文字入力」アイコンが選択された時（ＳＴ２３９）に表示されていた画面（予定表）（図６４参照）を表示する。
そして、前記図７７のＳＴ２３１に戻る。
ＳＴ２９８において、次の処理を行う。
（１） 前記無線端末Ｐに表示中の入力用文字（図６５、図６６参照）を消去する。
（２） 前記無線端末Ｐの「文字入力」キーが入力された時（ＳＴ２３９）に表示されていた画面（予定表）の「居住者メモ」記入欄にメモ入力された予定表（図６７参照）を表示する。
そして、前記図７７のＳＴ２３１に戻る。
【０１７１】
図８５は、無線端末の「メモ」入力処理のフローチャートであり、前記図８２のＳＴ２７４のサブルーチンである。
図８５において、前記図５４の各ステップ（ＳＴ）番号の百の位の数字は１であるが、前記図５４に対応する図８５の各ステップ番号には百の位の数字に２を付けている。前記図５４の各ステップに対応する図８５の各ステップの処理で同一の処理を行うステップについては説明を省略する。
ＳＴ２８１´において、次の処理を行う。
（１） 前記無線端末Ｐのカーソルが表示されている行を表示中の予定表の上から１番目の行に移動表示すると共に「作業項目」記入欄の右側の「メモ」記入欄を表示（図７４参照）する。
（２） 前記無線端末Ｐに表示中の２行目以下の表示領域に入力用文字を表示し、表示した入力用文字の左上端の文字位置に、文字選択用カーソルを表示する。
そして、ＳＴ２８２´に移る。
ＳＴ２８８´において、前記無線端末Ｐの「変換」キー又は「変換」アイコンが入力されたか否かを判断する。ノー（Ｎ）の場合は図８３（後述）のＳＴ２９１´に移り、イエス（Ｙ）の場合はＳＴ２８９´に移る。
【０１７２】
図８６は、前記図８５の続きのフローチャートである。
図８６において、前記図５５の各ステップ（ＳＴ）番号の百の位の数字は１であるが、前記図５５に対応する図８６の各ステップ番号には百の位の数字に２を付けている。前記図５５の各ステップに対応する図８６の各ステップの処理で同一の処理を行うステップについては説明を省略する。
ＳＴ２９４´において、次の処理を行う。
（１） 前記無線端末Ｐに表示中の入力文字を消去する。
（２） 前記無線端末Ｐの「文字入力」キーが入力された時（ＳＴ２３９）に表示されていた画面（図７４参照）（予定表）を表示する。
そして、前記図７７のＳＴ２３１に戻る。
ＳＴ２９８´において、次の処理を行う。
（１） 前記無線端末Ｐに表示中の入力用文字を消去する。
（２） 前記無線端末Ｐの「文字入力」キーが入力された時（ＳＴ２３９）に表示されていた画面（予定表）（図７４参照）の「メモ」記入欄にメモ記載内容（図示せず）が入力された予定表を表示する。
そして、前記図７７のＳＴ２３１に戻る。
【０１７３】
図８７は、無線端末の「時刻表示欄」の表示時刻入力処理のフローチャートであり、前記図８２のＳＴ２７６のサブルーチンである。
図８７において、前記図５６の各ステップ（ＳＴ）番号の百の位の数字は１であるが、前記図５６に対応する図８７の各ステップ番号には百の位の数字に２を付けている。前記図５６の各ステップに対応する図８７の各ステップの処理で同一の処理を行うステップについては説明を省略する。
ＳＴ２８２″において、前記無線端末Ｐの矢印キーＰ３、Ｐ４が入力されたか否かを判断する。ノー（Ｎ）の場合はＳＴ２８４″に移り、イエス（Ｙ）の場合はＳＴ２８３″に移る。
ＳＴ２８４″において、前記無線端末ＰのスタイラスペンＰ１１により「数値」が選択されたか否かを判断する。ノー（Ｎ）の場合は図８８（後述）のＳＴ２９１″に移り、イエス（Ｙ）の場合はＳＴ２８５″に移る。
【０１７４】
図８８は、前記図８７の続きのフローチャートである。
図８８において、前記図５７の各ステップ（ＳＴ）番号の百の位の数字は１であるが、前記図５７に対応する図８８の各ステップ番号には百の位の数字に２を付けている。前記図５７の各ステップに対応する図８８の各ステップの処理で同一の処理を行うステップについては説明を省略する。
ＳＴ２９４″において、「文字入力」キーが入力された時（ＳＴ２３９）に表示されていた画面（予定表）（図７０参照）を前記無線端末Ｐの可変表示部材Ｐａに表示する。そして、前記図７７のＳＴ２３１に戻る。
【０１７５】
図８９は、無線端末の「行削除」アイコン選択時の制御処理のフローチャートであり、前記ＳＴ２４４のサブルーチンである。
図８９において、前記図５８の各ステップ（ＳＴ）番号の百の位の数字は１であるが、前記図５８に対応する図８９の各ステップ番号には百の位の数字に２を付けている。図８９の各ステップの処理は、図８９の各ステップに対応する前記図５８の各ステップと同一の処理を行うため説明を省略する。
【０１７６】
図９０は、無線端末の予定表自動消去制御処理のフローチャートである。
図９０において、前記図５９の各ステップ（ＳＴ）番号の百の位の数字は１であるが、前記図５９に対応する図９０の各ステップ番号には百の位の数字に２を付けている。図９０の各ステップの処理は、図９０の各ステップに対応する前記図５９の各ステップと同一の処理を行うため説明を省略する。
【産業上の利用可能性】
【０１７７】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）前記実施例１では、赤色ランプＬｒ、黄色ランプＬｙ、緑色ランプＬｇの点灯制御は、ルーム居住者管理サーバＳからの受信信号（Ｆｇ，Ｆｒ，Ｆｙの値）に応じてルーム端末Ｒが行っているが、ルーム居住者管理サーバＳが直接点灯制御するように構成することも可能である。
（Ｈ02）前記本実施例１において、無線端末Ｐに作業日時情報を表示する部材（赤色ランプＬｒ、黄色ランプＬｙ等）を設けることが可能である。
（Ｈ03）前記黄色ランプＬｙの代りに、黄色の直線状表示部材を使用することが可能である。作業予定時刻の２０分前から黄色の直線状表示部材を点灯してその表示領域（点灯領域）の長さを序々に長くしたり、逆に序々に短くして作業予定時刻になかったときに表示色を赤に変えたりすることが可能である。
（Ｈ01）本実施例では、無線端末Ｐには作業日時情報
（Ｈ02）前記実施例１では、赤色ランプＬｒ、黄色ランプＬｙ、緑色ランプＬｇの点灯制御は、ルーム居住者管理サーバＳからの受信信号（Ｆｇ，Ｆｒ，Ｆｙの値）に応じてルーム端末Ｒが行っているが、ルーム居住者管理サーバＳが直接点灯制御するように構成することも可能である。
【図面の簡単な説明】
【０１７８】
【図１】図１は本発明のルーム居住者管理システムの実施例１の全体説明図である。
【図２】図２はルーム端末Ｒのキー配置部および作業表示欄の拡大説明図で、ルーム端末Ｒの電源オン時の初期画面が表示された状態を示す図である。
【図３】図３は無線端末Ｐの斜視図である。
【図４】図４は実施例１のルーム居住者管理システムの制御部分が備えている各機能をブロック図（機能ブロック図）で示した図であり、ルーム居住者管理サーバのコントローラ、ルーム端末のコントローラ、および費用管理サーバのコントローラのブロック図である。
【図５】図５は実施例１のルーム居住者管理システムの制御部分が備えている各機能をブロック図（機能ブロック図）で示した図であり、ルーム居住者管理サーバのコントローラ、無線端末のコントローラ、および費用管理サーバのコントローラのブロック図である。
【図６】図６はルーム居住者管理サーバＳの電源オン時の表示画面（初期表示画面）Ｓ−１を示す図である。
【図７】図７はルーム居住者管理サーバＳの表示画面Ｓ−２を示す図であり、表示画面Ｓ−２は前記図６の表示画面Ｓ−１で（１）が選択された場合に、後述の図２２のフローチャートのＳＴ２１で表示される画面である。
【図８】図８はルーム居住者管理サーバＳの表示画面Ｓ−３を示す図であり、表示画面Ｓ−３は前記表示画面Ｓ−２でＩＤ，ＲＮ，ＢＮが正しく入力された場合に、後述の図２２のフローチャートのＳＴ３１で表示される画面である。
【図９】図９はルーム居住者管理サーバＳの表示画面Ｓ−４を示す図であり、前記表示画面Ｓ−３の氏名記入欄に氏名＝鈴木一郎が記入され、月日および曜日の記入欄に月日＝７月１日および曜日＝（火）が記入されている状態を示す図である。
【図１０】図１０はルーム居住者管理サーバＳの表示画面Ｓ−５を示す図である。
【図１１】図１１はルーム居住者管理サーバＳの表示画面Ｓ−６を示す図であり、前記表示画面Ｓ−６は、前記表示画面Ｓ−５の状態から、時刻記入欄および作業項目記入欄に、「１２：００」、「１４：３０」、「１８：００」および「朝食」、「昼食」、「おむつ替」、「夕食」を記入した状態を示す画面である。
【図１２】図１２はルーム居住者管理サーバＳの表示画面Ｓ−７を示す図であり、前記表示画面Ｓ−７は、前記表示画面Ｓ−６の状態で、「行挿入」アイコンを選択して、カーソル行の上に１行挿入（図２３のＳＴ３９参照）した状態を示す画面である。
【図１３】図１３はルーム居住者管理サーバＳの表示画面Ｓ−８を示す図であり、前記表示画面Ｓ−８は、前記表示画面Ｓ−７の状態から、時刻記入欄および作業項目記入欄に、「１６：００」および「入浴」を記入した状態を示す画面である。
【図１４】図１４はルーム居住者管理サーバＳの表示画面Ｓ−９を示す図であり、表示画面Ｓ−９は前記図６の表示画面Ｓ−１で（２）が選択された場合に、後述の図２５のフローチャートのＳＴ２１′で表示される画面である。
【図１５】図１５はルーム居住者管理サーバＳの表示画面Ｓ−１０を示す図であり、表示画面Ｓ−１０は前記表示画面Ｓ−９でＩＤ，ＲＮが正しく入力された場合に、後述の図２５のフローチャートのＳＴ３１′で表示される画面である。
【図１６】図１６はルーム居住者管理サーバＳの表示画面Ｓ−１１を示す図であり、前記表示画面Ｓ−１１は、前記表示画面Ｓ−１０の状態から、ＢＮ１のルーム居住者の氏名＝鈴木一郎を記入し、時刻記入欄および作業項目記入欄に、「７：３０」、「１２：００」、「１４：３０」、「１８：００」および「朝食」、「昼食」、「おむつ替」、「夕食」を記入した状態を示す画面である。
【図１７】図１７はルーム居住者管理サーバＳの表示画面Ｓ−１２を示す図であり、前記表示画面Ｓ−１２は、前記表示画面Ｓ−１１の状態から、ＢＮ２のルーム居住者の氏名＝中村一郎を記入し、時刻記入欄の「７：３０」、「１２：００」、「１８：００」に対応して「朝食」、「昼食」、「夕食」を記入した状態を示す画面である。
【図１８】図１８はルーム居住者管理サーバＳの表示画面Ｓ−１３を示す図であり、前記表示画面Ｓ−１３は、前記表示画面Ｓ−１２の状態で、「行挿入」アイコンを選択して、カーソル行の上に１行挿入（図２６のＳＴ３９′参照）した状態を示す画面である。
【図１９】図１９はルーム居住者管理サーバＳの表示画面Ｓ−１４を示す図であり、前記表示画面Ｓ−１４は、前記表示画面Ｓ−１３の状態から、時刻記入欄およびＢＮ２の中村一郎の作業項目記入欄に、「１６：００」および「入浴」を記入した状態を示す画面である。
【図２０】図２０はルーム居住者管理サーバＳの表示画面Ｓ−１５を示す図であり、前記表示画面Ｓ−１５は、前記表示画面Ｓ−１４の状態（ＢＮ（ベッドナンバー）２の中村一郎の作業項目記入欄の「入浴」にカーソルが有る状態）で「画面切替」アイコンが選択された場合の状態を示す画面である。
【図２１】図２１は本発明の実施例１のルーム居住者管理システムのルーム居住者管理システムのメインルーチン（１）である。
【図２２】図２２は前記実施例１のルーム居住者管理システムの「１ルームの１居住者のテーブル表示作成モードの処理」のフローチャートであり、前記図２１のＳＴ８のサブルーチンのフローチートである。
【図２３】図２３は、前記図２２の続きのフローチャートである。
【図２４】図２４は、前記図２３のＳＴ３７のサブルーチンで、項目表示選択時の制御処理のフローチャートである。
【図２５】図２５は前記実施例１のルーム居住者管理システムの「１ルームの全居住者のテーブル表示作成モードの処理」のフローチャートであり、前記図２１のＳＴ１０のサブルーチンのフローチートである。
【図２６】図２６は、前記図２５の続きのフローチャートである。
【図２７】図２７は、前記図２６のＳＴ３７′のサブルーチンで、項目表示選択時の制御処理のフローチャートである。
【図２８】図２８は、ルーム居住者管理システムのメインルーチン（２）で作業処理状況送信処理のフローチャートである。
【図２９】図２９は、ルーム居住者管理システムのメインルーチン（３）でルーム端末Ｒとの通信制御処理のフローチャートである。
【図３０】図３０は、ルーム居住者管理システムのメインルーチン（４）で費用管理サーバへの作業関連情報送信処理のフローチャートである。
【図３１】図３１は前記図２の表示画面Ｒ−１でＩＤ，ＲＮ，ＢＮ等が正しく入力された場合に、後述の図４５のフローチャートのＳＴ１２５で表示されるルーム端末の表示画面Ｒ−２の図である。
【図３２】図３２は現在時刻は７：２０で、時刻表示欄の時刻が７：００で作業項目欄の作業がおむつ交換の行の作業状況記入欄にカーソル位置が移動した状態を示す表示画面Ｒ−３の図である。
【図３３】図３３は前記図３２の表示画面Ｒ−３の状態（カーソル位置が時刻表示欄の時刻＝７：００且つ作業項目欄の作業＝おむつ交換の行の作業状況記入欄に移動した状態）において入力キー配置部Ｒ１ｃの「済」キーを入力した状態を示す表示画面Ｒ−４の図である。
【図３４】図３４は前記図３３の表示画面Ｒ−４の状態から、「朝食」の作業状況記入欄に「済」が記入され、「昼食」の作業状況記入欄に「済」が記入された状態を示す表示画面Ｒ−５の図である。
【図３５】図３５は前記図３４の表示画面Ｒ−５の状態（カーソル位置が「居住者状態メモ」の記入欄に移動した状態）で入力キー配置部Ｒ１ｃの「文字入力」キーを入力した状態を示す居住者状態メモ入力用表示画面Ｒ−６の図である。
【図３６】図３６は前記図３５の表示画面Ｒ−６の状態で、居住者状態メモ記入欄にメモ文章「１／３残した」を記入した状態を表示する表示画面Ｒ−７の図である。
【図３７】図３７は前記図３６の表示画面Ｒ−７の状態で、居住者状態メモ記入欄にメモ文章「１／３残した」の記入を完了した状態の表示画面Ｒ−８の図である。
【図３８】図３８は前記図３７の表示画面Ｒ−８の状態で、時刻＝１２：４５、作業項目＝おむつ交換の行の「作業状況」記入欄に「済」を記入し、居住者状態メモ記入欄にメモ文章「肛門周囲にただれ有り」を記入してから、カーソル位置を「居住者状態メモ」記入欄の右側の「メモ」記入欄に移動させた状態を表示する表示画面Ｒ−９の図である。
【図３９】図３９は前記図３８の表示画面Ｒ−９の状態（カーソル位置が「メモ」の記入欄に移動した状態）で入力キー配置部Ｒ１ｃの「文字入力」キーを入力した状態を示すメモ入力用表示画面Ｒ−１０の図である。
【図４０】図４０は前記図３９の状態で「メモ」入力を終了してカーソルを時刻表示欄の「１５：００」の位置に移動した状態を表示する表示画面Ｒ−１１の図である。
【図４１】図４１は前記図４０の表示画面Ｒ−１１で入力キー配置部Ｒ１ｃの「行挿入」キーを入力した状態の表示画面の図である。
【図４２】図４２は前記図４１の表示画面Ｒ−１２で時刻表示欄に時刻を入力してから、カーソル位置を「メモ」記入欄に移動した状態を表示する表示画面Ｒ−１３の図である。
【図４３】図４３は前記図４２の状態で入力キー配置部Ｒ１ｃの「文字入力」キーを入力した状態を表示する表示画面Ｒ−１４の図である。
【図４４】図４４は、ルーム端末Ｒの作業テーブル（予定表）の表示処理のフローチャートである。
【図４５】図４５は、前記図４４の続きのフローチャートである。
【図４６】図４６は、前記図４５の続きのフローチャートである。
【図４７】図４７は、前記図４６の続きのフローチャートである。
【図４８】図４８は、「前頁」キー入力時の制御処理のフローチャートであり、前記ＳＴ１３４のサブルーチンである。
【図４９】図４９は、「次頁」キー入力時の制御処理のフローチャートであり、前記ＳＴ１３６のサブルーチンである。
【図５０】図５０は、「済」キー入力時の制御処理のフローチャートであり、前記ＳＴ１３８のサブルーチンである。
【図５１】図５１は、「文字入力」キー入力時の制御処理のフローチャートであり、前記ＳＴ１４０のサブルーチンである。
【図５２】図５２は、「居住者状態メモ」入力処理のフローチャートであり、前記ＳＴ１７２のサブルーチンである。
【図５３】図５３は、前記図５２の続きのフローチャートである。
【図５４】図５４は、「メモ」入力処理のフローチャートであり、前記ＳＴ１７４のサブルーチンである。
【図５５】図５５は、前記図５４の続きのフローチャートである。
【図５６】図５６は、「時刻表示欄」の表示時刻入力処理のフローチャートであり、前記ＳＴ１７６のサブルーチンである。
【図５７】図５７は、前記図５６の続きのフローチャートである。
【図５８】図５８は、「行削除」キー入力時の制御処理のフローチャートであり、前記ＳＴ１４４のサブルーチンである。
【図５９】図５９は、予定表自動消去制御処理のフローチャートであり、ルーム端末のメインルーチン２である。
【図６０】図６０は、ルーム番号ＲＮ＝ｎのルーム端末Ｒの入居者管理用ランプの点灯制御処理のフローチャートであり、ルーム端末Ｒのメインルーチン３である。
【図６１】図６１は前記図３の表示画面Ｐ−１で「文字入力」キーが入力された時または「文字入力」アイコンが選択された場合（図７５のＳＴ２１１−１参照）に、後述の図７５のフローチャートのＳＴ２１１−２で表示される表示画面Ｐ−２の図である。
【図６２】図６２は前記図６１の表示画面Ｐ−２でＩＤ，ＲＮ，ＢＮ等が正しく入力された場合に、後述の図７６のフローチャートのＳＴ２２５で表示される表示画面Ｐ−３の図である。
【図６３】図６３は前記図６２の表示画面Ｐ−３の状態から、７：００の「おむつ交換」、８：３０の「朝食」、「１２：００」の「昼食」の作業が終了して、「作業状況」記入欄に「済」を記入した状態を表示する表示画面Ｐ−４の図である。
【図６４】図６４は前記図６３の表示画面Ｐ−４の状態で、カーソル位置を「作業状況」の記入欄の右側の「居住者状態メモ」の記入欄に移動させた状態を表示する表示画面Ｐ−５の図である。
【図６５】図６５は前記図６４の表示画面Ｐ−５の状態（カーソル位置が「居住者状態メモ」の記入欄に移動した状態）で「文字入力」キーを入力した状態を示す居住者状態メモ入力用表示画面Ｐ−６の図である。
【図６６】図６６は前記図６５の表示画面Ｐ−６の状態で、「居住者状態メモ」記入欄にメモ文章「１／３残した」を記入した状態を表示する表示画面Ｐ−７の図である。
【図６７】図６７は前記図６６の表示画面Ｐ−７の状態で、「居住者状態メモ」記入欄にメモ文章「１／３残した」の記入を完了した状態の表示画面Ｐ−８の図である。
【図６８】図６８は前記図６７の表示画面Ｐ−８の状態で、カーソルを「居住者状態メモ」の記入欄から左に移動して、可変表示部材Ｐａに「作業内容」および「作業状況」を表示させた状態を表示する表示画面Ｐ−９の図である。
【図６９】図６９は前記図６８の表示画面Ｐ−９の状態から、「おむつ交換」の「作業状況」記入欄に「済」を記入してから、カーソルを「時刻表示欄」の「１５：００」の位置に移動させた状態を表示する表示画面Ｐ−１０の図である。
【図７０】図７０は前記図６９の表示画面Ｐ−１０で「行挿入」キーを入力した状態または「行挿入」アイコンを選択した状態の表示画面Ｐ−１１の図である。
【図７１】図７１は前記図７０の表示画面Ｐ−１１において「文字入力」アイコンを選択したときに表示される表示画面Ｐ−１２の図である。
【図７２】図７２は前記図７１の表示画面Ｐ−１２においてスタイラスペンＰ１１により数字を選択入力して時刻表示欄に時刻を入力したときに表示される表示画面Ｐ−１３の図である。
【図７３】図７３は「時刻表示」欄の時刻入力を完了した状態の表示画面Ｐ−１４の図である。
【図７４】図７４は前記図７３の状態でカーソル位置を「作業状況」の記入欄の右側に設けられている「居住者状態メモ」欄のさらに右側の「メモ」欄に移動した状態を表示する表示画面Ｐ−１５の図である。
【図７５】図７５は、無線端末Ｐの作業テーブルの表示処理のフローチャートである。
【図７６】図７６は、前記図７５の続きのフローチャートである。
【図７７】図７７は、前記図７６の続きのフローチャートである。
【図７８】図７８は、前記図７７の続きのフローチャートである。
【図７９】図７９は、無線端末の「前頁」選択時の制御処理のフローチャートであり、前記ＳＴ２３４のサブルーチンである。
【図８０】図８０は、無線端末の「次頁」選択時の制御処理のフローチャートであり、前記ＳＴ２３６のサブルーチンである。
【図８１】図８１は、無線端末の「済」アイコン選択時の制御処理のフローチャートであり、前記ＳＴ２３８のサブルーチンである。
【図８２】図８２は、無線端末の「文字入力」選択時の制御処理のフローチャートであり、前記ＳＴ２４０のサブルーチンである。
【図８３】図８３は、無線端末の「居住者状態メモ」入力処理のフローチャートであり、前記図８２のＳＴ２７２のサブルーチンである。
【図８４】図８４は、前記図８３の続きのフローチャートである。
【図８５】図８５は、無線端末の「メモ」入力処理のフローチャートであり、前記図８２のＳＴ２７４のサブルーチンである。
【図８６】図８６は、前記図８５の続きのフローチャートである。
【図８７】図８７は、無線端末の「時刻表示欄」の表示時刻入力処理のフローチャートであり、前記図８２のＳＴ２７６のサブルーチンである。
【図８８】図８８は、前記図８７の続きのフローチャートである。
【図８９】図８９は、無線端末の「行削除」アイコン選択時の制御処理のフローチャートであり、前記ＳＴ２４４のサブルーチンである。
【図９０】図９０は、無線端末の予定表自動消去制御処理のフローチャートである。
【符号の説明】
【０１７９】
Ｌｒ，Ｌｙ…作業日時情報表示部材、Ｐ…無線端末、Ｐａ，Ｒ２ｃ＋Ｌｙ，Ｒ２ｃ＋Ｒ２ｄ＋Ｌｒ＋Ｌｙ…作業関連情報表示部材、Ｒ…ルーム端末、Ｒ２ｃ…居住者特定情報表示部材、Ｒ２ｄ…予定表示部材、Ｓ…ルーム居住者管理サーバ、１Ｃ４…居住者管理情報記憶手段、１Ｃ4C…受信情報記憶手段、１Ｃ5A…作業予定日時接近状態自動検出手段、１Ｃ5B…作業予定日時経過状態自動検出手段、１Ｃ６…情報受信手段、１Ｃ７…受信情報登録手段、１Ｃ8A…作業予定日時接近状態表示信号自動送信手段、１Ｃ8A＋２Ｃ2D…接近状態自動表示手段、１Ｃ8B…作業予定日時経過状態表示信号自動送信手段、１Ｃ8B＋２Ｃ2E…経過状態自動表示手段、１Ｃ8D…作業関連情報送信手段、２Ｃ1…作業関連情報受信手段、２Ｃ1A…作業日時情報受信手段、２Ｃ2A…作業関連情報表示手段（作業予定表表示手段）、２Ｃ2B…無入力時情報表示終了手段、２Ｃ2C…入力情報送信時情報表示終了手段、２Ｃ2D…作業予定日時接近状態表示手段、２Ｃ2E…作業予定日時経過状態表示手段、２Ｃ3A…メモ入力手段、２Ｃ3B…作業状況入力手段、２Ｃ5A…情報要求信号送信手段、３Ｃ1…作業関連情報受信手段、３Ｃ2A…作業関連情報表示手段（予定表表示手段）、３Ｃ2C…入力情報送信時情報表示終了手段、３Ｃ3A…メモ入力手段、３Ｃ3B…作業状況入力手段、３Ｃ4B…入力作業状況一時記憶手段、３Ｃ5A…情報要求信号送信手段、３Ｃ5B…入力情報送信手段。
【図１】
2005092774.tif 000003
【図２】
2005092774.tif 000004
【図３】
2005092774.tif 000005
【図４】
2005092774.tif 000006
【図５】
2005092774.tif 000007
【図６】
2005092774.tif 000008
【図７】
2005092774.tif 000009
【図８】
2005092774.tif 000010
【図９】
2005092774.tif 000011
【図１０】
2005092774.tif 000012
【図１１】
2005092774.tif 000013
【図１２】
2005092774.tif 000014
【図１３】
2005092774.tif 000015
【図１４】
2005092774.tif 000016
【図１５】
2005092774.tif 000017
【図１６】
2005092774.tif 000018
【図１７】
2005092774.tif 000019
【図１８】
2005092774.tif 000020
【図１９】
2005092774.tif 000021
【図２０】
2005092774.tif 000022
【図２１】
2005092774.tif 000023
【図２２】
2005092774.tif 000024
【図２３】
2005092774.tif 000025
【図２４】
2005092774.tif 000026
【図２５】
2005092774.tif 000027
【図２６】
2005092774.tif 000028
【図２７】
2005092774.tif 000029
【図２８】
2005092774.tif 000030
【図２９】
2005092774.tif 000031
【図３０】
2005092774.tif 000032
【図３１】
2005092774.tif 000033
【図３２】
2005092774.tif 000034
【図３３】
2005092774.tif 000035
【図３４】
2005092774.tif 000036
【図３５】
2005092774.tif 000037
【図３６】
2005092774.tif 000038
【図３７】
2005092774.tif 000039
【図３８】
2005092774.tif 000040
【図３９】
2005092774.tif 000041
【図４０】
2005092774.tif 000042
【図４１】
2005092774.tif 000043
【図４２】
2005092774.tif 000044
【図４３】
2005092774.tif 000045
【図４４】
2005092774.tif 000046
【図４５】
2005092774.tif 000047
【図４６】
2005092774.tif 000048
【図４７】
2005092774.tif 000049
【図４８】
2005092774.tif 000050
【図４９】
2005092774.tif 000051
【図５０】
2005092774.tif 000052
【図５１】
2005092774.tif 000053
【図５２】
2005092774.tif 000054
【図５３】
2005092774.tif 000055
【図５４】
2005092774.tif 000056
【図５５】
2005092774.tif 000057
【図５６】
2005092774.tif 000058
【図５７】
2005092774.tif 000059
【図５８】
2005092774.tif 000060
【図５９】
2005092774.tif 000061
【図６０】
2005092774.tif 000062
【図６１】
2005092774.tif 000063
【図６２】
2005092774.tif 000064
【図６３】
2005092774.tif 000065
【図６４】
2005092774.tif 000066
【図６５】
2005092774.tif 000067
【図６６】
2005092774.tif 000068
【図６７】
2005092774.tif 000069
【図６８】
2005092774.tif 000070
【図６９】
2005092774.tif 000071
【図７０】
2005092774.tif 000072
【図７１】
2005092774.tif 000073
【図７２】
2005092774.tif 000074
【図７３】
2005092774.tif 000075
【図７４】
2005092774.tif 000076
【図７５】
2005092774.tif 000077
【図７６】
2005092774.tif 000078
【図７７】
2005092774.tif 000079
【図７８】
2005092774.tif 000080
【図７９】
2005092774.tif 000081
【図８０】
2005092774.tif 000082
【図８１】
2005092774.tif 000083
【図８２】
2005092774.tif 000084
【図８３】
2005092774.tif 000085
【図８４】
2005092774.tif 000086
【図８５】
2005092774.tif 000087
【図８６】
2005092774.tif 000088
【図８７】
2005092774.tif 000089
【図８８】
2005092774.tif 000090
【図８９】
2005092774.tif 000091
【図９０】
2005092774.tif 000092